(57)【要約】  本発明の諸実施形態では、立体撮像装置および方法、ならびにディスプレイを提供する。当該立体撮像装置は、複数の画素ユニットを備え時分割多重方式で画像を表示するように構成されたディスプレイ・パネルと、それぞれ当該複数の画素ユニットに対応する位置に配置された複数の電気光学変調ユニットを備え、当該複数の画素ユニットに表示された画像の光線を、時分割多重方式で変化する印加された電界に従って異なる投影方向に交互に偏向するように構成された電気光学変調層であって、時分割多重方式で変化する電界は、時分割多重方式で表示された画像と同期して変化する、電気光学変調層とを備える。本発明の諸実施形態の技術的解決策は裸眼立体ディスプレイの解像度を改善することができる。
2016533070.tif 000002
【特許請求の範囲】
【請求項１】
複数の画素ユニットを備え、時分割多重方式で画像を表示するように構成されたディスプレイ・パネルと、
それぞれ前記複数の画素ユニットに対応する位置に配置された複数の電気光学変調ユニットを備え、前記複数の画素ユニットに表示された前記画像の光線を、時分割多重方式で変化する印加された電界に従って異なる投影方向に交互に偏向するように構成された電気光学変調層であって、時分割多重方式で変化する前記電界は時分割多重方式で表示された前記画像と同期して変化する、電気光学変調層と、
を備える、立体撮像装置。
【請求項２】
前記複数の電気光学変調ユニットは前記複数の画素ユニットと１対１の対応関係にあり、前記電気光学変調層は、
電気光学変調媒体を備え、出光面および入光面を有する電気光学変調媒体層と、
前記電気光学変調媒体層の前記出光面に配置された電極を備える第１の電極層と、
前記電気光学変調媒体層の前記入光面に配置された電極を備える第２の電極層と、
を備え、
前記複数の電気光学変調ユニットの各電気光学変調ユニットは前記電気光学変調媒体層に配置された電気光学変調媒体、前記第１の電極層に配置された少なくとも１つの第１の電極、および前記第２の電極層に配置された少なくとも１つの第２の電極を備え、前記電気光学変調媒体は、前記少なくとも１つの第１の電極および前記少なくとも１つの第２の電極の間で印加された電圧構成により形成された電界に従って、前記電気光学変調媒体に対応する画素ユニットに表示された画像の光線を事前設定された投影方向に偏向する、
請求項１に記載の立体撮像装置。
【請求項３】
前記複数の電気光学変調ユニットの各電気光学変調ユニットは、少なくとも２つの第１の電極を備え、それぞれが少なくとも２つの電圧を受信するように構成され、前記少なくとも１つの第２の電極は共通電極として使用され、基準電圧を受信するように構成された、請求項２に記載の立体撮像装置。
【請求項４】
前記複数の電気光学変調ユニットの各電気光学変調ユニットは、それぞれが複数の電圧を受信するように構成された複数の第１の電極を備え、前記複数の電圧のうち少なくとも２つの電圧は異なり、その結果、前記電気光学変調媒体が、前記複数の第１の電極の各々で受信された前記複数の電圧と共通電極として使用される前記少なくとも１つの第２の電極で受信された前記基準電圧とにより形成された電界の影響の下で軸外レンズの機能を生成して、光線を事前設定された投影方向に偏向する、請求項２または３に記載の立体撮像装置。
【請求項５】
前記複数の電気光学変調ユニットの各電気光学変調ユニットは２つの第１の電極と前記２つの第１の電極の間で接続された抵抗膜とを備え、前記２つの第１の電極の各々は、２つの電圧を受信するように構成され、前記２つの電圧は異なり、その結果、前記電気光学変調媒体は、前記２つの第１の電極の各々で受信された前記２つの電圧と共通電極として使用される前記少なくとも１つの第２の電極で受信された前記基準電圧とにより形成された電界の影響の下で線形位相チルトを有するレンズの機能を生成して、光線を事前設定された投影方向に偏向する、請求項３に記載の立体撮像装置。
【請求項６】
前記複数の電気光学変調ユニットの各電気光学変調ユニットは、前記少なくとも２つの第１の電極と共通電極として使用される前記少なくとも１つの第２の電極との間で受信された第１の電圧構成により形成された電界に従って、前記電気光学変調媒体に対応する画素ユニットに表示された画像の光線を第１の投影方向に第１の期間において偏向し、前記少なくとも２つの第１の電極と共通電極として使用される前記少なくとも１つの第２の電極との間で受信された第２の電圧構成により形成された電界に従って、前記電気光学変調媒体に対応する前記画素ユニットに表示された画像の光線を前記第２の投影方向に第２の期間において偏向し、前記第１の電圧構成は前記第２の電圧構成と異なり、その結果、時分割多重方式で変化する電界が前記第１の期間および前記第２の期間において形成される、請求項３乃至５の何れか１項に記載の立体撮像装置。
【請求項７】
前記複数の電気光学変調ユニットの各電気光学変調ユニットは２つの第１の電極と前記２つの第１の電極の間で接続された抵抗膜とを備え、前記２つの第１の電極の各々は、２つの電圧を受信するように構成され、前記２つの電圧は異なり、前記電気光学変調ユニットの各々は１つの第１の電極を隣接する電気光学変調ユニットと共有し、その結果、前記電気光学変調媒体は、前記２つの第１の電極の各々で受信された前記２つの電圧と共通電極として使用される前記少なくとも１つの第２の電極で受信された前記基準電圧とにより形成された電界の影響の下で線形位相チルトを有するレンズの機能を生成して、光線を事前設定された投影方向に偏向する、請求項３に記載の立体撮像装置。
【請求項８】
前記複数の電気光学変調ユニットの各電気光学変調ユニットは、前記２つの第１の電極と共通電極として使用される前記少なくとも１つの第２の電極との間で受信された第１の電圧構成に従って、前記電気光学変調媒体に対応する画素ユニットに表示された画像の光線を第１の投影方向に第１の期間において偏向し、前記２つの第１の電極と共通電極として使用される前記少なくとも１つの第２の電極との間で受信された第２の電圧構成に従って、前記電気光学変調媒体に対応する前記画素ユニットに表示された画像の光線を第２の投影方向に第２の期間において偏向し、前記隣接する電気光学変調ユニットは、前記隣接する電気光学変調ユニットの２つの第１の電極と共通電極として使用される前記少なくとも１つの第２の電極との間で受信された前記第２の電圧構成に従って、前記隣接する電気光学変調ユニットの電気光学変調媒体に対応する画素ユニットに表示された画像の光線を前記第２の投影方向に前記第１の期間において偏向し、前記隣接する電気光学変調ユニットの前記２つの第１の電極と共通電極として使用される前記少なくとも１つの第２の電極との間で受信された前記第１の電圧構成に従って、前記隣接する電気光学変調ユニットの前記電気光学変調媒体に対応する前記画素ユニットに表示された画像の光線を前記第１の投影方向に前記第２の期間において偏向し、前記第１の電圧構成は前記第２の電圧構成と異なり、その結果、時分割多重方式で変化する電界が前記第１の期間および前記第２の期間において形成される、請求項７に記載の立体撮像装置。
【請求項９】
前記複数の電気光学変調ユニットの各電気光学変調ユニットは少なくとも２つの第２の電極を含み、前記少なくとも２つの第２の電極の配置方向は前記少なくとも２つの第１の電極の配置方向とは異なり、前記立体撮像装置が第１の方向にあるとき、前記少なくとも２つの第１の電極の各々は前記少なくとも２つの電圧を受信し、前記少なくとも２つの第２の電極は前記基準電圧を受信するための共通電極として使用され、前記立体撮像装置が第２の方向にあるとき、前記少なくとも２つの第１の電極は前記基準電圧を受信するための共通電極として使用され、前記少なくとも２つの第２の電極の各々は前記少なくとも２つの電圧を受信する、請求項３乃至８の何れか１項に記載の立体撮像装置。
【請求項１０】
前記複数の電気光学変調ユニットの各電気光学変調ユニットは複数の第２の電極を含み、それぞれが複数の電圧を受信するように構成され、前記複数の電圧のうち少なくとも２つの電圧は異なり、その結果、前記電気光学変調媒体は、前記複数の第２の電極の各々で受信された前記複数の電圧と共通電極として使用される前記少なくとも２つの第１の電極で受信された前記基準電圧とにより形成された電界の影響の下で軸外レンズの機能を生成して、光線を事前設定された投影方向に偏向する、請求項９に記載の立体撮像装置。
【請求項１１】
前記複数の電気光学変調ユニットの各電気光学変調ユニットは２つの第２の電極と前記２つの第２の電極との間で接続された抵抗膜とを備え、前記２つの第２の電極の各々は、２つの電圧を受信するように構成され、前記２つの電圧は異なり、その結果、前記電気光学変調媒体は、前記２つの第２の電極の各々で受信された前記２つの電圧と共通電極として使用される前記少なくとも２つの第１の電極で受信された前記基準電圧とにより形成された電界の影響の下で線形位相チルトを有するレンズの機能を生成して、光線を事前設定された投影方向に偏向する、請求項９に記載の立体撮像装置。
【請求項１２】
前記複数の電気光学変調ユニットの各電気光学変調ユニットは、共通電極として使用される前記少なくとも２つの第１の電極と前記少なくとも２つの第２の電極との間で受信された第３の電圧構成に従って、前記電気光学変調媒体に対応する画素ユニットに表示された画像の光線を第３の投影方向に第３の期間において偏向し、共通電極として使用される前記少なくとも２つの第１の電極と前記少なくとも２つの第２の電極との間で受信された第４の電圧構成に従って、前記電気光学変調媒体に対応する前記画素ユニットに表示された画像の光線を第４の投影方向に第４の期間において偏向し、前記第３の電圧構成は前記第４の電圧構成とは異なり、その結果、時分割多重方式で変化する電界が前記第３の期間および前記第４の期間において形成される、請求項９乃至１１の何れか１項に記載の立体撮像装置。
【請求項１３】
前記複数の電気光学変調ユニットの各電気光学変調ユニットは２つの第２の電極と前記２つの第２の電極の間で接続された抵抗膜とを含み、前記２つの第２の電極の各々は、２つの電圧を受信するように構成され、前記２つの電圧は異なり、前記電気光学変調ユニットの各々は１つの第２の電極を隣接する電気光学変調ユニットと共有し、その結果、前記電気光学変調媒体は、前記２つの第２の電極の各々で受信された前記２つの電圧と共通電極として使用される前記少なくとも２つの第１の電極で受信された前記基準電圧とにより形成された電界の影響の下で線形位相チルトを有するレンズの機能を生成して、光線を事前設定された投影方向に偏向する、請求項９に記載の立体撮像装置。
【請求項１４】
前記複数の電気光学変調ユニットの各電気光学変調ユニットは、前記２つの第１の電極と共通電極として使用される前記少なくとも２つの第２の電極との間で受信された第３の電圧構成に従って、前記電気光学変調媒体に対応する画素ユニットに表示された画像の光線を第３の投影方向に第３の期間において偏向し、共通電極として使用される前記２つの第１の電極と前記２つの第２の電極との間で受信された第４の電圧構成に従って、前記電気光学変調媒体に対応する前記画素ユニットに表示された画像の光線を第４の投影方向に第４の期間において偏向し、前記隣接する電気光学変調ユニットは、共通電極として使用される２つの第１の電極と前記隣接する電気光学変調ユニットの少なくとも２つの第２の電極との間で受信された前記第４の電圧構成に従って、前記隣接する電気光学変調ユニットの電気光学変調媒体に対応する画素ユニットに表示された画像の光線を前記第４の投影方向に前記第３の期間において偏向し、共通電極として使用される前記２つの第２の電極と前記隣接する電気光学変調ユニットの前記２つの第１の電極との間で受信された前記第３の電圧構成に従って、前記隣接する電気光学変調ユニットの前記電気光学変調媒体に対応する前記画素ユニットに表示された画像の光線を前記第３の投影方向に前記第４の期間において偏向し、前記第３の電圧構成は前記第４の電圧構成とは異なり、その結果、時分割多重方式で変化する電界が前記第３の期間および前記第４の期間において形成される、請求項１３に記載の立体撮像装置。
【請求項１５】
前記少なくとも１つの第２の電極は連続酸化インジウムスズＩＴＯ透明導電膜を備える、請求項３乃至８の何れか１項に記載の立体撮像装置。
【請求項１６】
前記電気光学変調媒体は液晶またはニオブ酸リチウム結晶を備える、請求項２乃至１５の何れか１項に記載の立体撮像装置。
【請求項１７】
前記電気光学変調ユニットの各々の幅は７５μｍ以下である、請求項２乃至１６の何れか１項に記載の立体撮像装置。
【請求項１８】
前記立体撮像装置の少なくとも１つの方向の単位長において、前記電気光学変調ユニットに含まれる電極の数は画素ユニットの数より多い、請求項２乃至１７の何れか１項に記載の立体撮像装置。
【請求項１９】
電界が印加されていない場合には、前記電気光学変調層は前記ディスプレイ・パネルに二次元画像を表示させる、請求項２乃至１８の何れか１項に記載の立体撮像装置。
【請求項２０】
複数の画素ユニットを備え画像を表示するように構成されたディスプレイ・パネルと、
複数の電気光学変調ユニットを備えた電気光学変調層であって、前記複数の電気光学変調ユニットの各電気光学変調ユニットは電気光学変調媒体、前記電気光学変調媒体の出光面に配置された少なくとも２つの第１の電極、および前記電気光学変調媒体層の入光面に配置された少なくとも２つの第２の電極を備え、前記電気光学変調媒体は、前記少なくとも２つの第１の電極と前記少なくとも２つの第２の電極との間で受信された電圧構成により形成された電界に従って、前記電気光学変調媒体に対応する画素ユニットに表示された画像の光線を事前設定された投影方向に偏向し、前記少なくとも２つの第１の電極の配置方向は前記少なくとも２つの第２の電極の配置方向とは異なる、電気光学変調層と、
を備える、立体撮像装置。
【請求項２１】
前記立体撮像装置が第１の方向にあるとき、前記少なくとも２つの第１の電極の各々は前記少なくとも２つの電圧を受信し、前記立体撮像装置が第２の方向にあるとき、前記少なくとも２つの第１の電極は前記基準電圧を受信するための共通電極として使用され、前記立体撮像装置が前記第１の方向にあるとき、前記少なくとも２つの第２の電極は前記基準電圧を受信するための共通電極として使用され、前記立体撮像装置が前記第２の方向にあるとき、前記少なくとも２つの第２の電極の各々は前記少なくとも２つの電圧を受信する、請求項２０に記載の立体撮像装置。
【請求項２２】
前記複数の電気光学変調ユニットの各電気光学変調ユニットはそれぞれが複数の電圧を受信するように構成された複数の第１の電極を備え、前記複数の電圧のうち少なくとも２つの電圧は異なり、その結果、前記電気光学変調媒体は、前記複数の第１の電極の各々で受信された前記複数の電圧と共通電極として使用される前記少なくとも２つの第２の電極で受信された前記基準電圧とにより形成された電界の影響の下で軸外レンズの機能を生成して、光線を事前設定された投影方向に偏向し、
前記複数の電気光学変調ユニットの各電気光学変調ユニットは複数の第２の電極を含み、それぞれが複数の電圧を受信するように構成され、前記複数の電圧のうち少なくとも２つの電圧は異なり、その結果、前記電気光学変調媒体は、前記複数の第２の電極の各々で受信された前記複数の電圧と共通電極として使用される前記少なくとも２つの第１の電極で受信された前記基準電圧とにより形成された電界の影響の下で軸外レンズの機能を生成して、光線を事前設定された投影方向に偏向する、
請求項２１に記載の立体撮像装置。
【請求項２３】
前記複数の電気光学変調ユニットの各電気光学変調ユニットは２つの第１の電極と前記２つの第１の電極の間で接続された抵抗膜とを備え、前記２つの第１の電極の各々は、２つの電圧を受信するように構成され、前記２つの電圧は異なり、その結果、前記電気光学変調媒体は、前記２つの第１の電極の各々で受信された前記２つの電圧と前記共通電極で受信された前記基準電圧とにより形成された電界の影響の下で線形位相チルトを有するレンズの機能を生成して、光線を事前設定された投影方向に偏向し、
前記複数の電気光学変調ユニットの各電気光学変調ユニットは２つの第２の電極と前記２つの第２の電極の間で接続された抵抗膜とを含み、前記少なくとも２つの第２の電極に含まれる前記２つの第２の電極の各々は２つの電圧を受信するように構成され、前記２つの電圧は異なり、その結果、前記電気光学変調媒体は、前記２つの第２の電極の各々で受信された前記２つの電圧と共通電極として使用される前記少なくとも２つの第１の電極で受信された前記基準電圧とにより形成された電界の影響の下で線形位相チルトを有するレンズの機能を生成して、光線を事前設定された投影方向に偏向する、
請求項２１に記載の立体撮像装置。
【請求項２４】
前記複数の電気光学変調ユニットの各電気光学変調ユニットは２つの第１の電極と前記２つの第１の電極の間で接続された抵抗膜とを備え、前記２つの第１の電極の各々は２つの電圧を受信するように構成され、前記２つの電圧は異なり、前記電気光学変調ユニットの各々は１つの第１の電極を隣接する電気光学変調ユニットと共有し、その結果、前記電気光学変調媒体は、前記２つの第１の電極の各々で受信された前記２つの電圧と共通電極として使用される前記少なくとも２つの第２の電極で受信された前記基準電圧とにより形成された電界の影響の下で線形位相チルトを有するレンズの機能を生成して、光線を事前設定された投影方向に偏向し、
前記複数の電気光学変調ユニットの各電気光学変調ユニットは２つの第２の電極と前記２つの第２の電極の間で接続された抵抗膜とを含み、前記２つの第２の電極の各々は、２つの電圧を受信するように構成され、前記２つの電圧は異なり、前記電気光学変調ユニットの各々は１つの第２の電極を隣接する電気光学変調ユニットと共有し、その結果、前記電気光学変調媒体は、前記２つの第２の電極の各々で受信された前記２つの電圧と共通電極として使用される前記少なくとも２つの第２の電極で受信された前記基準電圧とにより形成された電界の影響の下で線形位相チルトを有するレンズの機能を生成して、光線を事前設定された投影方向に偏向する、
請求項２１に記載の立体撮像装置。
【請求項２５】
前記ディスプレイ・パネルは前記画像を時分割多重方式で表示し、前記複数の電気光学変調ユニットは、時分割多重方式で変化し受信された電圧構成により形成される電界に従って、前記複数の画素ユニットに表示された前記画像の光線を前記異なる投影方向に交互に偏向し、前記複数の電気光学変調ユニットは前記複数の画素ユニットと１対１の対応関係にあり、時分割多重方式で変化する前記電界は時分割多重方式で表示された前記画像と同期して変化する、請求項２０乃至２４の何れか１項に記載の立体撮像装置。
【請求項２６】
請求項１乃至２５に記載の立体撮像装置と、
前記立体撮像装置の電気光学変調層と重なり合い、バックライトを放射するように構成されたバックライト層と、
時分割多重方式で画像を表示するように前記立体撮像装置のディスプレイ・パネルを制御し、時分割多重方式で変化する印加された電界に従って、前記ディスプレイ・パネルに表示された前記画像の光線を交互に前記異なる投影方向に偏向するように前記立体撮像装置の前記電気光学変調層を制御するように構成された制御モジュールと、
を備える、ディスプレイ。
【請求項２７】
前記制御モジュールは、
センサによりフィードバックされた情報に従って前記画像の投影方向を計算するように構成された方向計算サブモジュールと、
前記投影方向に従って前記投影方向に対応する電圧構成を計算するように構成された電圧計算サブモジュールと、
前記投影方向に従って、前記投影方向に対応する前記画像を時分割多重方式で表示するように前記立体撮像装置の前記ディスプレイ・パネルを制御するように構成された表示制御サブモジュールと、
前記電圧構成に従って、時分割多重方式で変化し前記立体撮像装置の前記電気光学変調層に適用される前記電界を制御し、前記画像の前記光線を前記異なる投影方向に交互に偏向するように前記立体撮像装置の前記電気光学変調層を制御するように構成された電圧制御サブモジュールと、
を備える、請求項２６に記載のディスプレイ。
【請求項２８】
前記センサによりフィードバックされた前記情報は、人間の目の位置の情報、ジャイロスコープ情報、加速度情報、および温度情報のうち少なくとも１つを含む、請求項２７に記載のディスプレイ。
【請求項２９】
画像を複数の画素ユニットに時分割多重方式で表示するステップと、
時分割多重方式で変化する電界を複数の電気光学変調ユニットに印加するステップと、
時分割多重方式で変化する前記電界に従って、前記複数の画素ユニットに表示された前記画像の光線を交互に前記異なる投影方向に偏向するステップであって、時分割多重方式で変化する前記電界は時分割多重方式で表示された前記画像と同期して変化する、ステップと、
を含む、立体撮像方法。
【請求項３０】
前記複数の画素ユニットは前記複数の電気光学変調ユニットと１対１の対応関係にあり、時分割多重方式で変化する電界を複数の電気光学変調ユニットに印加するステップは、前記複数の画素ユニットの各画素ユニットの少なくとも１つの第１の電極および少なくとも１つの第２の電極層の間で電圧構成を受信して、電界を形成するステップを含む、請求項２９に記載の立体撮像方法。
【請求項３１】
前記複数の画素ユニットの各画素ユニットの少なくとも１つの第１の電極および少なくとも１つの第２の電極層の間で電圧構成を受信して、電界を形成するステップは、
少なくとも２つの電圧を、前記複数の電気光学変調ユニットの各電気光学変調ユニットの少なくとも２つの第１の電極の各々で受信し、基準電圧を前記少なくとも１つの第２の電極で受信するステップ
を含む、請求項３０に記載の立体撮像方法。
【請求項３２】
少なくとも２つの電圧を、前記複数の電気光学変調ユニットの各電気光学変調ユニットの少なくとも２つの第１の電極の各々で受信し、基準電圧を前記少なくとも１つの第２の電極で受信するステップは、
複数の電圧を前記複数の電気光学変調ユニットの各電気光学変調ユニットの複数の第１の電極の各々で受信するステップであって、前記複数の電圧のうち少なくとも２つの電圧は異なり、その結果、前記複数の電気光学変調ユニットは、前記複数の第１の電極の各々で受信された前記複数の電圧と前記少なくとも１つの第２の電極で受信された前記基準電圧とにより形成された電界の影響の下で軸外レンズの機能を生成して、光線を事前設定された投影方向に偏向する、ステップ
を含む、請求項３１に記載の立体撮像方法。
【請求項３３】
少なくとも２つの電圧を、前記複数の電気光学変調ユニットの各電気光学変調ユニットの少なくとも２つの第１の電極の各々で受信し、基準電圧を前記少なくとも１つの第２の電極で受信するステップは、
２つの電圧を、前記複数の電気光学変調ユニットの各電気光学変調ユニットの抵抗膜に接続された２つの第１の電極の各々で受信するステップであって、前記２つの電圧は異なり、その結果、前記電気光学変調ユニットの各々は、前記２つの第１の電極の各々で受信された前記２つの電圧と前記少なくとも１つの第２の電極で受信された前記基準電圧とにより形成された電界の影響の下で線形位相チルトを有するレンズの機能を生成して、光線を事前設定された投影方向に偏向する、ステップ
を含む、請求項３１に記載の立体撮像方法。
【請求項３４】
時分割多重方式で変化する前記電界に従って、前記複数の画素ユニットに表示された前記画像の光線を交互に前記異なる投影方向に偏向するステップは、
前記少なくとも２つの第１の電極と共通電極として使用される前記少なくとも１つの第２の電極との間で受信された第１の電圧構成により形成された電界に従って、前記複数の電気光学変調ユニットの各電気光学変調ユニットにより、前記電気光学変調ユニットの各々に対応する画素ユニットに表示された画像の光線を第１の投影方向に第１の期間において偏向するステップと、
前記少なくとも２つの第１の電極と共通電極として使用される前記少なくとも１つの第２の電極との間で受信された第２の電圧構成により形成された電界に従って、前記複数の電気光学変調ユニットの各電気光学変調ユニットにより、前記電気光学変調ユニットの各々に対応する前記画素ユニットに表示された画像の光線を第２の投影方向に第２の期間において偏向するステップであって、前記第１の電圧構成は前記第２の電圧構成と異なり、その結果、時分割多重方式で変化する電界が前記第１の期間および前記第２の期間において形成される、ステップと、
を含む、請求項３１乃至３３の何れか１項に記載の立体撮像方法。
【請求項３５】
少なくとも２つの電圧を、前記複数の電気光学変調ユニットの各電気光学変調ユニットの少なくとも２つの第１の電極の各々で受信し、基準電圧を前記少なくとも１つの第２の電極で受信するステップは、
２つの電圧を、前記複数の電気光学変調ユニットの各電気光学変調ユニットの抵抗膜に接続された２つの第１の電極の各々で受信するステップであって、前記２つの電圧は異なり、前記電気光学変調ユニットの各々は１つの第１の電極を隣接する電気光学変調ユニットと共有し、その結果、前記電気光学変調ユニットの各々は、前記２つの第１の電極の各々で受信された前記２つの電圧と前記少なくとも１つの第２の電極で受信された前記基準電圧とにより形成された電界の影響の下で線形位相チルトを有するレンズの機能を生成して、光線を事前設定された投影方向に偏向する、ステップ
を含む、請求項３１に記載の立体撮像方法。
【請求項３６】
時分割多重方式で変化する前記電界に従って、前記複数の画素ユニットに表示された前記画像の光線を交互に前記異なる投影方向に偏向するステップは、
前記２つの第１の電極と前記少なくとも１つの第２の電極との間で受信された第１の電圧構成に従って、前記複数の電気光学変調ユニットの各電気光学変調ユニットにより、前記電気光学変調ユニットの各々に対応する画素ユニットに表示された画像の光線を第１の投影方向に第１の期間において偏向するステップと、
前記２つの第１の電極と前記少なくとも１つの第２の電極との間で受信された第２の電圧構成に従って、前記複数の電気光学変調ユニットの各電気光学変調ユニットにより、前記電気光学変調ユニットの各々に対応する前記画素ユニットに表示された画像の光線を第２の投影方向に第２の期間において偏向するステップと、
前記隣接する電気光学変調ユニットの２つの第１の電極と前記少なくとも１つの第２の電極との間で受信された前記第２の電圧構成に従って、前記隣接する電気光学変調ユニットにより、前記隣接する電気光学変調ユニットに対応する画素ユニットに表示された画像の光線を前記第２の投影方向に前記第１の期間において偏向するステップと、
前記隣接する電気光学変調ユニットの前記２つの第１の電極と前記少なくとも１つの第２の電極との間で受信された前記第１の電圧構成に従って、前記隣接する電気光学変調ユニットにより、前記隣接する電気光学変調ユニットに対応する前記画素ユニットに表示された画像の光線を前記第１の投影方向に前記第２の期間において偏向するステップであって、前記第１の電圧構成は前記第２の電圧構成と異なり、その結果、時分割多重方式で変化する電界が前記第１の期間および前記第２の期間において形成される、ステップと、
を含む、請求項３５に記載の立体撮像方法。
【請求項３７】
前記複数の電気光学変調ユニットの各電気光学変調ユニットの少なくとも２つの第２の電極の配置方向は前記少なくとも２つの第１の電極の配置方向と異なり、前記複数の画素ユニットの各画素ユニットの少なくとも１つの第１の電極および少なくとも１つの第２の電極層の間で電圧構成を受信して、電界を形成するステップは、
前記立体撮像装置が第１の方向にあるとき、前記少なくとも２つの電圧を前記少なくとも２つの第１の電極の各々で受信し、共通電極として使用される前記少なくとも２つの第２の電極で前記基準電圧を受信するステップを含み、
前記立体撮像方法はさらに、前記立体撮像装置が第２の方向にあるとき、共通電極として使用される前記少なくとも２つの第１の電極で前記基準電圧を受信し、前記少なくとも２つの電圧を前記少なくとも２つの第２の電極の各々で受信するステップを含む、
請求項３１乃至３６の何れか１項に記載の立体撮像方法。
【請求項３８】
前記少なくとも２つの電圧を前記少なくとも２つの第２の電極の各々で受信するステップは、複数の電圧を前記複数の電気光学変調ユニットの各電気光学変調ユニットの複数の第２の電極の各々で受信するステップであって、前記複数の電圧のうち少なくとも２つの電圧は異なり、その結果、前記電気光学変調ユニットの各々は、前記複数の第２の電極の各々で受信された前記複数の電圧と共通電極として使用される前記少なくとも２つの第１の電極で受信された前記基準電圧とにより形成された電界の影響の下で軸外レンズの機能を生成して、光線を事前設定された投影方向に偏向する、ステップを含む、請求項３７に記載の立体撮像方法。
【請求項３９】
前記少なくとも２つの電圧を前記少なくとも２つの第２の電極の各々で受信するステップは、２つの電圧を、前記複数の電気光学変調ユニットの各電気光学変調ユニットの抵抗膜に接続された２つの第２の電極の各々で受信するステップであって、前記２つの電圧は異なり、その結果、前記電気光学変調ユニットの各々は、前記２つの第２の電極の各々で受信された前記２つの電圧と共通電極として使用される前記少なくとも２つの第１の電極で受信された前記基準電圧とにより形成された電界の影響の下で線形位相チルトを有するレンズの機能を生成して、光線を事前設定された投影方向に偏向する、ステップを含む、請求項３７に記載の立体撮像方法。
【請求項４０】
前記複数の電気光学変調ユニットの各電気光学変調ユニットは、共通電極として使用される前記少なくとも２つの第１の電極と前記少なくとも２つの第２の電極との間で受信された第３の電圧構成に従って、前記電気光学変調ユニットの各々に対応する画素ユニットに表示された画像の光線を第３の投影方向に第３の期間において偏向し、
前記複数の電気光学変調ユニットの各電気光学変調ユニットは、共通電極として使用される前記少なくとも２つの第１の電極と前記少なくとも２つの第２の電極との間で受信された第４の電圧構成に従って、前記電気光学変調ユニットの各々に対応する前記画素ユニットに表示された画像の光線を第４の投影方向に第４の期間において偏向し、前記第３の電圧構成は前記第４の電圧構成とは異なり、その結果、時分割多重方式で変化する電界が前記第３の期間および前記第４の期間において形成される、
請求項３７乃至３９の何れか１項に記載の立体撮像方法。
【請求項４１】
前記少なくとも２つの電圧を前記少なくとも２つの第２の電極の各々で受信するステップは、２つの電圧を、前記複数の電気光学変調ユニットの各電気光学変調ユニットの抵抗膜に接続された２つの第２の電極の各々で受信するステップであって、前記２つの電圧は異なり、前記電気光学変調ユニットの各々は１つの第２の電極を隣接する電気光学変調ユニットと共有し、その結果、前記電気光学変調ユニットの各々は、前記２つの第２の電極の各々で受信された前記２つの電圧と共通電極として使用される前記少なくとも２つの第１の電極で受信された前記基準電圧とにより形成された電界の影響の下で線形位相チルトを有するレンズの機能を生成して、光線を事前設定された投影方向に偏向する、ステップを含む、請求項３７に記載の立体撮像方法。
【請求項４２】
前記複数の電気光学変調ユニットの各電気光学変調ユニットは、前記２つの第１の電極と共通電極として使用される前記少なくとも２つの第２の電極との間で受信された第３の電圧構成に従って、前記電気光学変調ユニットの各々に対応する画素ユニットに表示された画像の光線を第３の投影方向に第３の期間において偏向し、
前記複数の電気光学変調ユニットの各電気光学変調ユニットは、共通電極として使用される前記２つの第１の電極と前記２つの第２の電極との間で受信された第４の電圧構成に従って、前記電気光学変調ユニットの各々に対応する前記画素ユニットに表示された画像の光線を第４の投影方向に第４の期間において偏向し、
前記隣接する電気光学変調ユニットは、共通電極として使用される２つの第１の電極と前記隣接する電気光学変調ユニットの少なくとも２つの第２の電極との間で受信された前記第４の電圧構成に従って、前記隣接する電気光学変調ユニットに対応する画素ユニットに表示された画像の光線を前記第４の投影方向に前記第３の期間において偏向し、
前記隣接する電気光学変調ユニットは、共通電極として使用される前記２つの第２の電極と前記隣接する電気光学変調ユニットの前記２つの第１の電極との間で受信された前記第４の電圧構成に従って、前記隣接する電気光学変調ユニットに対応する前記画素ユニットに表示された画像の光線を前記第３の投影方向に前記第４の期間において偏向し、前記第３の電圧構成は前記第４の電圧構成とは異なり、その結果、時分割多重方式で変化する電界が前記第３の期間および前記第４の期間において形成される、
請求項４１に記載の立体撮像方法。
【請求項４３】
画像を複数の画素ユニットに表示するステップと、
複数の電気光学変調ユニットの各電気光学変調ユニットの少なくとも２つの第１の電極と少なくとも２つの第２の電極との間で電圧構成を受信して、電界を形成するステップと、
前記電気光学変調ユニットの各々に対応する画素ユニットに表示された画像の光線を前記電界に従って事前設定された投影方向に偏向するステップであって、前記少なくとも２つの第１の電極の配置方向は前記少なくとも２つの第２の電極の配置方向とは異なる、ステップと、
を含む、立体撮像方法。
【請求項４４】
複数の電気光学変調ユニットの各電気光学変調ユニットの少なくとも２つの第１の電極と少なくとも２つの第２の電極との間で電圧構成を受信して、電界を形成するステップは、
前記立体撮像装置が第１の方向にあるとき、前記少なくとも２つの電圧を前記少なくとも２つの第１の電極の各々で受信し、前記少なくとも２つの第２の電極を共通電極として使用して前記基準電圧を受信するステップと、
前記立体撮像装置が第２の方向にあるとき、前記少なくとも２つの第１の電極を共通電極として使用して前記基準電圧を受信し、前記少なくとも２つの電圧を前記少なくとも２つの第２の電極の各々で受信するステップと、
を含む、請求項４３に記載の立体撮像方法。
【請求項４５】
前記少なくとも２つの電圧を前記少なくとも２つの第１の電極の各々で受信するステップは、複数の電圧を複数の第１の電極の各々で受信するステップであって、前記複数の電圧のうち少なくとも２つの電圧は異なり、その結果、前記電気光学変調ユニットの各々は、前記複数の第１の電極の各々で受信された前記複数の電圧と共通電極として使用される前記少なくとも２つの第２の電極で受信された前記基準電圧とにより形成された電界の影響の下で軸外レンズの機能を生成して、光線を事前設定された投影方向に偏向する、ステップを含み、
前記少なくとも２つの電圧を前記少なくとも２つの第２の電極の各々で受信するステップは、複数の電圧を複数の第２の電極の各々で受信するステップであって、前記複数の電圧のうち少なくとも２つの電圧は異なり、その結果、前記電気光学変調ユニットの各々は、前記複数の第２の電極の各々で受信された前記複数の電圧と共通電極として使用される前記少なくとも２つの第１の電極で受信された前記基準電圧とにより形成された電界の影響の下で軸外レンズの機能を生成して、光線を事前設定された投影方向に偏向する、ステップを含む、
請求項４４に記載の立体撮像方法。
【請求項４６】
前記少なくとも２つの電圧を前記少なくとも２つの第１の電極の各々で受信するステップは、２つの電圧を抵抗膜に接続された２つの第１の電極の各々で受信するステップであって、前記２つの電圧は異なり、その結果、前記電気光学変調ユニットの各々は、前記２つの第１の電極の各々で受信された前記２つの電圧と共通電極として使用される前記少なくとも２つの第２の電極で受信された前記基準電圧とにより形成された電界の影響の下で線形位相チルトを有するレンズの機能を生成して、光線を事前設定された投影方向に偏向する、ステップを含み、
前記少なくとも２つの電圧を前記少なくとも２つの第２の電極の各々で受信するステップは、２つの電圧を抵抗膜に接続された２つの第２の電極の各々で受信するステップであって、前記２つの電圧は異なり、その結果、前記電気光学変調ユニットの各々は、前記２つの第２の電極の各々で受信された前記２つの電圧と共通電極として使用される前記少なくとも２つの第１の電極で受信された前記基準電圧とにより形成された電界の影響の下で線形位相チルトを有するレンズの機能を生成して、光線を事前設定された投影方向に偏向する、ステップを含む、
請求項４４に記載の立体撮像方法。
【請求項４７】
前記少なくとも２つの電圧を前記少なくとも２つの第１の電極の各々で受信するステップは、２つの電圧を抵抗膜に接続された２つの第１の電極の各々で受信するステップであって、前記２つの電圧は異なり、前記電気光学変調ユニットの各々は１つの第１の電極を隣接する電気光学変調ユニットと共有し、その結果、前記電気光学変調ユニットの各々は、前記２つの第１の電極の各々で受信された前記２つの電圧と共通電極として使用される前記少なくとも２つの第２の電極で受信された前記基準電圧とにより形成された電界の影響の下で線形位相チルトを有するレンズの機能を生成して、光線を事前設定された投影方向に偏向する、ステップを含み、
前記少なくとも２つの電圧を前記少なくとも２つの第２の電極の各々で受信するステップは、
２つの電圧を抵抗膜に接続された２つの第２の電極の各々で受信するステップであって、前記２つの電圧は異なり、前記電気光学変調ユニットの各々は１つの第２の電極を隣接する電気光学変調ユニットと共有し、その結果、前記電気光学変調ユニットの各々は、前記２つの第２の電極の各々で受信された前記２つの電圧と共通電極として使用される前記少なくとも２つの第１の電極で受信された前記基準電圧とにより形成された電界の影響の下で線形位相チルトを有するレンズの機能を生成して、光線を事前設定された投影方向に偏向する、ステップを含む、
請求項４４に記載の立体撮像方法。
【請求項４８】
前記複数の電気光学変調ユニットは前記複数の画素ユニットと１対１の対応関係にあり、異なる投影方向の画像を複数の画素ユニットに表示するステップは、前記画像を前記複数の画素ユニットに時分割多重方式で表示するステップを含み、
複数の電気光学変調ユニットの各電気光学変調ユニットの少なくとも２つの第１の電極と少なくとも２つの第２の電極との間で電圧構成を受信して、電界を形成するステップは、前記複数の電気光学変調ユニットの各電気光学変調ユニットの前記少なくとも２つの第１の電極および前記少なくとも２つの第２の電極の間で時分割多重方式で変化する電圧構成を受信して、時分割多重方式で変化する電界を形成するステップであって、時分割多重方式で変化する前記電界は時分割多重方式で表示された前記画像と同期して変化する、ステップを含む、
請求項４３乃至４７の何れか１項に記載の立体撮像方法。
【発明の詳細な説明】
【技術分野】
【０００１】
本願は、発明の名称を「立体撮像装置および方法、ならびにディスプレイ」とした、２０１３年７月１９日に中国特許庁に出願された中国特許出願第２０１３１０３０７１０１．９号に対する優先権を主張し、引用により全体として組み込む。
【０００２】
本発明はディスプレイ技術に関し、特に、立体撮像装置および方法、ならびにディスプレイに関する。
【背景技術】
【０００３】
裸眼立体（ａｕｔｏ−ｓｔｅｒｅｏｓｃｏｐｉｃ）ディスプレイは肉眼二眼ディスプレイまたは肉眼３次元ディスプレイまたは両眼立体視差ディスプレイとも呼ばれる。既存の裸眼立体ディスプレイでは、各マイクロレンズは複数の画素をカバーし、立体画像が中央深度面（ｃｅｎｔｒａｌ  ｄｅｐｔｈ  ｐｌａｎｅ）上に生成される。２つの目を当該中央深度面にフォーカスすると、ユーザは当該立体画像を見ることができる。
【０００４】
従来の技術的解決策では、固定屈折率を有するマイクロレンズのアレイ（即ち、静的マイクロレンズのアレイ）が使用され、指定の画素に対応する画像の光線がＮ個の異なる方向に屈折する。当該解決策では、各方向において、当該立体画像の解像度が減少する（即ち、当該解像度は全画素数の１／Ｎである）。
【発明の概要】
【課題を解決するための手段】
【０００５】
本発明の諸実施形態では、立体撮像装置および方法、ならびにディスプレイを提供する。これらは裸眼立体ディスプレイの解像度を向上させることができる。
【０００６】
第１の態様によれば、立体撮像装置が提供される。当該装置は、複数の画素ユニットを備え、時分割多重方式で画像を表示するように構成されたディスプレイ・パネルと、それぞれ当該複数の画素ユニットに対応する位置に配置された複数の電気光学変調ユニットを備え、当該複数の画素ユニットに表示された画像の光線を、時分割多重方式で変化する印加された電界に従って異なる投影方向に交互に偏向するように構成された電気光学変調層であって、時分割多重方式で変化する当該電界は時分割多重方式で表示された画像と同期して変化する、電気光学変調層とを備える。
【０００７】
第１の可能な実装方式では、当該複数の電気光学変調ユニットは当該複数の画素ユニットと１対１の対応関係にあり、当該電気光学変調層は、電気光学変調媒体を備え出光面と入光面を有する電気光学変調媒体層と、当該電気光学変調媒体層の出光面に配置された電極を備えた第１の電極層と、当該電気光学変調媒体層の入光面に配置された電極を備えた第２の電極層とを備える。当該複数の電気光学変調ユニットの各電気光学変調ユニットは、当該電気光学変調媒体層に配置された電気光学変調媒体、第１の電極層に配置された少なくとも１つの第１の電極、および第２の電極層に配置された少なくとも１つの第２の電極を備える。当該電気光学変調媒体は、当該少なくとも１つの第１の電極および当該少なくとも１つの第２の電極の間で印加された電圧構成により形成された電界に従って、当該電気光学変調媒体に対応する画素ユニットに表示された画像の光線を事前設定された投影方向に偏向する。
【０００８】
第１の可能な実装方式を参照して、第２の可能な実装方式では、当該複数の電気光学変調ユニットの各電気光学変調ユニットは、それぞれが少なくとも２つの電圧を受信するように構成された少なくとも２つの第１の電極を備え、当該少なくとも１つの第２の電極は共通電極として使用され、基準電圧を受信するように構成される。
【０００９】
第１または第２の可能な実装方式を参照して、第３の可能な実装方式では、当該複数の電気光学変調ユニットの各電気光学変調ユニットは、それぞれが複数の電圧を受信するように構成された複数の第１の電極を備える。当該複数の電圧のうち少なくとも２つの電圧は異なり、その結果、当該電気光学変調媒体が、当該複数の第１の電極の各々で受信された複数の電圧と共通電極として使用される少なくとも１つの第２の電極で受信された基準電圧とにより形成された電界の影響の下で軸外レンズの機能を生成して、光線を事前設定された投影方向に偏向する。
【００１０】
第２の可能な実装方式を参照して、第４の可能な実装方式では、当該複数の電気光学変調ユニットの各電気光学変調ユニットは、２つの第１の電極と当該２つの第１の電極の間で接続された抵抗膜とを備える。当該２つの第１の電極の各々は、２つの電圧を受信するように構成される。当該２つの電圧は異なり、その結果、当該電気光学変調媒体は、当該２つの第１の電極の各々で受信された２つの電圧と共通電極として使用される少なくとも１つの第２の電極で受信された基準電圧とにより形成された電界の影響の下で線形位相チルトを有するレンズの機能を生成して、光線を事前設定された投影方向に偏向する。
【００１１】
第２乃至第４の可能な実装方式の何れか１つを参照して、第５の可能な実装方式では、当該複数の電気光学変調ユニットの各電気光学変調ユニットは、当該少なくとも２つの第１の電極と共通電極として使用される少なくとも１つの第２の電極との間で受信された第１の電圧構成により形成された電界に従って、当該電気光学変調媒体に対応する画素ユニットに表示された画像の光線を第１の投影方向に第１の期間において偏向し、当該少なくとも２つの第１の電極と共通電極として使用される少なくとも１つの第２の電極との間で受信された第２の電圧構成により形成された電界に従って、当該電気光学変調媒体に対応する画素ユニットに表示された画像の光線を第２の投影方向に第２の期間において偏向する。第１の電圧構成は第２の電圧構成と異なり、その結果、時分割多重方式で変化する電界が第１の期間および第２の期間において形成される。
【００１２】
第２の可能な実装方式を参照して、第６の可能な実装方式では、当該複数の電気光学変調ユニットの各電気光学変調ユニットは、２つの第１の電極と当該２つの第１の電極の間で接続された抵抗膜とを備える。当該２つの第１の電極の各々は、２つの電圧を受信するように構成される。当該２つの電圧は異なり、当該電気光学変調ユニットの各々は１つの第１の電極を隣接する電気光学変調ユニットと共有し、その結果、当該電気光学変調媒体は、当該２つの第１の電極の各々で受信された２つの電圧と共通電極として使用される少なくとも１つの第２の電極で受信された基準電圧とにより形成された電界の影響の下で線形位相チルトを有するレンズの機能を生成して、光線を事前設定された投影方向に偏向する。
【００１３】
第６の可能な実装方式を参照して、第７の可能な実装方式では、当該複数の電気光学変調ユニットの各電気光学変調ユニットは、当該２つの第１の電極と共通電極として使用される少なくとも１つの第２の電極との間で受信された第１の電圧構成に従って、当該電気光学変調媒体に対応する画素ユニットに表示された画像の光線を第１の投影方向に第１の期間において偏向し、当該２つの第１の電極と共通電極として使用される少なくとも１つの第２の電極との間で受信された第２の電圧構成に従って、当該電気光学変調媒体に対応する画素ユニットに表示された画像の光線を第２の投影方向に第２の期間において偏向し、当該隣接する電気光学変調ユニットは、当該隣接する電気光学変調ユニットの２つの第１の電極と共通電極として使用される少なくとも１つの第２の電極との間で受信された第２の電圧構成に従って、当該隣接する電気光学変調ユニットの電気光学変調媒体に対応する画素ユニットに表示された画像の光線を第２の投影方向に第１の期間において偏向し、当該隣接する電気光学変調ユニットの２つの第１の電極と共通電極として使用される少なくとも１つの第２の電極との間で受信された第１の電圧構成に従って、当該隣接する電気光学変調ユニットの電気光学変調媒体に対応する画素ユニットに表示された画像の光線を第１の投影方向に第２の期間において偏向する。第１の電圧構成は第２の電圧構成と異なり、その結果、時分割多重方式で変化する電界が第１の期間および第２の期間において形成される。
【００１４】
第２乃至第７の可能な実装方式の何れか１つを参照して、第８の可能な実装方式では、当該複数の電気光学変調ユニットの各電気光学変調ユニットは、少なくとも２つの第２の電極を備える。当該少なくとも２つの第２の電極の配置方向は当該少なくとも２つの第１の電極の配置方向とは異なり、当該立体撮像装置が第１の方向にあるとき、当該少なくとも２つの第１の電極の各々は当該少なくとも２つの電圧を受信し、当該少なくとも２つの第２の電極は基準電圧を受信するための共通電極として使用され、当該立体撮像装置が第２の方向にあるとき、当該少なくとも２つの第１の電極は基準電圧を受信するための共通電極として使用され、当該少なくとも２つの第２の電極の各々は当該少なくとも２つの電圧を受信する。
【００１５】
第８の可能な実装方式を参照して、第９の可能な実装方式では、当該複数の電気光学変調ユニットの各電気光学変調ユニットは、それぞれが複数の電圧を受信するように構成された複数の第２の電極を備える。当該複数の電圧のうち少なくとも２つの電圧は異なり、その結果、当該電気光学変調媒体は、当該複数の第２の電極の各々で受信された複数の電圧と共通電極として使用される少なくとも２つの第１の電極で受信された基準電圧とにより形成された電界の影響の下で軸外レンズの機能を生成して、光線を事前設定された投影方向に偏向する。
【００１６】
第８の可能な実装方式を参照して第１０の可能な実装方式では、当該複数の電気光学変調ユニットの各電気光学変調ユニットは、２つの第２の電極と当該２つの第２の電極の間で接続された抵抗膜とを備える。当該２つの第２の電極の各々は、２つの電圧を受信するように構成される。当該２つの電圧は異なり、その結果、当該電気光学変調媒体は、当該２つの第２の電極の各々で受信された２つの電圧と共通電極として使用される少なくとも２つの第１の電極で受信された基準電圧とにより形成された電界の影響の下で線形位相チルトを有するレンズの機能を生成して、光線を事前設定された投影方向に偏向する。
【００１７】
第８乃至第１０の可能な実装方式の何れか１つを参照して、第１１の可能な実装方式では、当該複数の電気光学変調ユニットの各電気光学変調ユニットは、共通電極として使用される少なくとも２つの第１の電極と当該少なくとも２つの第２の電極との間で受信された第３の電圧構成に従って、当該電気光学変調媒体に対応する画素ユニットに表示された画像の光線を第３の投影方向に第３の期間において偏向し、共通電極として使用される少なくとも２つの第１の電極と当該少なくとも２つの第２の電極との間で受信された第４の電圧構成に従って、当該電気光学変調媒体に対応する画素ユニットに表示された画像の光線を第４の投影方向に第４の期間において偏向する。第３の電圧構成は第４の電圧構成とは異なり、その結果、時分割多重方式で変化する電界が第３の期間および第４の期間において形成される。
【００１８】
第８の可能な実装方式を参照して、第１２の可能な実装方式では、当該複数の電気光学変調ユニットの各電気光学変調ユニットは、２つの第２の電極と当該２つの第２の電極の間で接続された抵抗膜とを備える。当該２つの第２の電極の各々は、２つの電圧を受信するように構成される。当該２つの電圧は異なり、当該電気光学変調ユニットの各々は１つの第２の電極を隣接する電気光学変調ユニットと共有し、その結果、当該電気光学変調媒体は、当該２つの第２の電極の各々で受信された２つの電圧と共通電極として使用される少なくとも２つの第１の電極で受信された基準電圧とにより形成された電界の影響の下で線形位相チルトを有するレンズの機能を生成して、光線を事前設定された投影方向に偏向する。
【００１９】
第１２の可能な実装方式を参照して、第１３の可能な実装方式では、当該複数の電気光学変調ユニットの各電気光学変調ユニットは、当該２つの第１の電極と共通電極として使用される少なくとも２つの第２の電極との間で受信された第３の電圧構成に従って、当該電気光学変調媒体に対応する画素ユニットに表示された画像の光線を第３の投影方向に第３の期間において偏向し、共通電極として使用される当該２つの第１の電極と当該２つの第２の電極との間で受信された第４の電圧構成に従って、当該電気光学変調媒体に対応する画素ユニットに表示された画像の光線を第４の投影方向に第４の期間において偏向し、当該隣接する電気光学変調ユニットは、共通電極として使用される２つの第１の電極と当該隣接する電気光学変調ユニットの少なくとも２つの第２の電極との間で受信された第４の電圧構成に従って、当該隣接する電気光学変調ユニットの電気光学変調媒体に対応する画素ユニットに表示された画像の光線を第４の投影方向に第３の期間において偏向し、共通電極として使用される当該２つの第２の電極と当該隣接する電気光学変調ユニットの２つの第１の電極との間で受信された第３の電圧構成に従って、当該隣接する電気光学変調ユニットの電気光学変調媒体に対応する画素ユニットに表示された画像の光線を第３の投影方向に第４の期間において偏向する。第３の電圧構成は第４の電圧構成とは異なり、その結果、時分割多重方式で変化する電界が第３の期間および第４の期間において形成される。
【００２０】
第２乃至第７の可能な実装方式の何れか１つを参照して、第１４の可能な実装方式では、当該少なくとも１つの第２の電極は連続的な酸化インジウムスズＩＴＯ透明導電膜を含む。
【００２１】
第１乃至第１４の可能な実装方式の何れか１つを参照して、第１５の可能な実装方式では、当該電気光学変調媒体は液晶またはニオブ酸リチウム結晶を含む。
【００２２】
第１乃至第１５の可能な実装方式の何れか１つを参照して、第１６の可能な実装方式では、当該電気光学変調ユニットの各々の幅は７５μｍ以下である。
【００２３】
第１乃至第１６の可能な実装方式の何れか１つを参照して、第１７の可能な実装方式では、当該立体撮像装置の少なくとも１つの方向の単位長において、当該電気光学変調ユニットに含まれる電極の数は画素ユニットの数より多い。
【００２４】
第１乃至第１７の可能な実装方式の何れか１つを参照して、第１８の可能な実装方式では、電界が印加されていない場合には、当該電気光学変調層はディスプレイ・パネルに二次元画像を表示させる。
【００２５】
第２の態様によれば、立体撮像装置が提供される。当該装置は、複数の画素ユニットを備え画像を表示するように構成されたディスプレイ・パネルと、複数の電気光学変調ユニットを備えた電気光学変調層とを備える。当該複数の電気光学変調ユニットの各電気光学変調ユニットは、電気光学変調媒体、当該電気光学変調媒体の出光面に配置された少なくとも２つの第１の電極、および当該電気光学変調媒体層の入光面に配置された少なくとも２つの第２の電極を備える。当該電気光学変調媒体は、当該少なくとも２つの第１の電極と当該少なくとも２つの第２の電極との間で受信された電圧構成により形成された電界に従って、当該電気光学変調媒体に対応する画素ユニットに表示された画像の光線を事前設定された投影方向に偏向し、当該少なくとも２つの第１の電極の配置方向は当該少なくとも２つの第２の電極の配置方向とは異なる。
【００２６】
第１の可能な実装方式では、当該立体撮像装置が第１の方向にあるとき、当該少なくとも２つの第１の電極の各々は少なくとも２つの電圧を受信し、当該立体撮像装置が第２の方向にあるとき、当該少なくとも２つの第１の電極は基準電圧を受信するための共通電極として使用され、当該立体撮像装置が第１の方向にあるとき、当該少なくとも２つの第２の電極は基準電圧を受信するための共通電極として使用され、当該立体撮像装置が第２の方向にあるとき、当該少なくとも２つの第２の電極の各々は当該少なくとも２つの電圧を受信する。
【００２７】
第２の態様の第１の可能な実装方式を参照して、第２の可能な実装方式では、当該複数の電気光学変調ユニットの各電気光学変調ユニットは、それぞれが複数の電圧を受信するように構成された複数の第１の電極を備える。当該複数の電圧のうち少なくとも２つの電圧は異なり、その結果、当該電気光学変調媒体は、当該複数の第１の電極の各々で受信された複数の電圧と共通電極として使用される少なくとも２つの第２の電極で受信された基準電圧とにより形成された電界の影響の下で軸外レンズの機能を生成して、光線を事前設定された投影方向に偏向する。当該複数の電気光学変調ユニットの各電気光学変調ユニットは、それぞれが複数の電圧を受信するように構成された複数の第２の電極を備える。当該複数の電圧のうち少なくとも２つの電圧は異なり、その結果、当該電気光学変調媒体は、当該複数の第２の電極の各々で受信された複数の電圧と共通電極として使用される少なくとも２つの第１の電極で受信された基準電圧とにより形成された電界の影響の下で軸外レンズの機能を生成して、光線を事前設定された投影方向に偏向する。
【００２８】
第２の態様の第１の可能な実装方式を参照して、第３の可能な実装方式では、当該複数の電気光学変調ユニットの各電気光学変調ユニットは、２つの第１の電極と当該２つの第１の電極の間で接続された抵抗膜とを備える。当該２つの第１の電極の各々は、２つの電圧を受信するように構成される。当該２つの電圧は異なり、その結果、当該電気光学変調媒体は、当該２つの第１の電極の各々で受信された２つの電圧と当該共通電極で受信された基準電圧とにより形成された電界の影響の下で線形位相チルトを有するレンズの機能を生成して、光線を事前設定された投影方向に偏向し、当該複数の電気光学変調ユニットの各電気光学変調ユニットは、２つの第２の電極と当該２つの第２の電極の間で接続された抵抗膜とを備える。当該少なくとも２つの第２の電極に含まれる当該２つの第２の電極の各々は、２つの電圧を受信するように構成される。当該２つの電圧は異なり、その結果、当該電気光学変調媒体は、当該２つの第２の電極の各々で受信された２つの電圧と共通電極として使用される少なくとも２つの第１の電極で受信された基準電圧とにより形成された電界の影響の下で線形位相チルトを有するレンズの機能を生成して、光線を事前設定された投影方向に偏向する。
【００２９】
第２の態様の第１の可能な実装方式を参照して、第４の可能な実装方式では、当該複数の電気光学変調ユニットの各電気光学変調ユニットは、２つの第１の電極と当該２つの第１の電極の間で接続された抵抗膜とを備える。当該２つの第１の電極の各々は、２つの電圧を受信するように構成される。当該２つの電圧は異なり、当該電気光学変調ユニットの各々は１つの第１の電極を隣接する電気光学変調ユニットと共有し、その結果、当該電気光学変調媒体は、当該２つの第１の電極の各々で受信された２つの電圧と共通電極として使用される少なくとも２つの第２の電極で受信された基準電圧とにより形成された電界の影響の下で線形位相チルトを有するレンズの機能を生成して、光線を事前設定された投影方向に偏向し、当該複数の電気光学変調ユニットの各電気光学変調ユニットは、２つの第２の電極と当該２つの第２の電極の間で接続された抵抗膜とを備える。当該２つの第２の電極の各々は、２つの電圧を受信するように構成される。当該２つの電圧は異なり、当該電気光学変調ユニットの各々は１つの第２の電極を隣接する電気光学変調ユニットと共有し、その結果、当該電気光学変調媒体は、当該２つの第２の電極の各々で受信された２つの電圧と共通電極として使用される少なくとも２つの第２の電極で受信された基準電圧とにより形成された電界の影響の下で線形位相チルトを有するレンズの機能を生成して、光線を事前設定された投影方向に偏向する。
【００３０】
第２の態様または第２の態様の上述の可能な実装方式の何れか１つを参照して、第５の可能な実装方式では、当該ディスプレイ・パネルは画像を時分割多重方式で表示し、当該複数の電気光学変調ユニットは、時分割多重方式で変化し受信された電圧構成により形成される電界に従って、当該複数の画素ユニットに表示された画像の光線を異なる投影方向に交互に偏向する。当該複数の電気光学変調ユニットは当該複数の画素ユニットと１対１の対応関係にあり、時分割多重方式で変化する電界は時分割多重方式で表示された画像と同期して変化する。
【００３１】
第３の態様によれば、ディスプレイが提供される。当該ディスプレイは、上述の立体撮像装置と、当該立体撮像装置の電気光学変調層と重なり合いバックライトを放射するように構成されたバックライト層と、時分割多重方式で画像を表示するように当該立体撮像装置のディスプレイ・パネルを制御し、時分割多重方式で変化する印加された電界に従って、当該ディスプレイ・パネルに表示された当該画像の光線を異なる投影方向に交互に偏向するように当該立体撮像装置の電気光学変調層を制御するように構成された制御モジュールとを備える。
【００３２】
第１の可能な実装方式では、当該制御モジュールは、センサによりフィードバックされた情報に従って画像の投影方向を計算するように構成された方向計算サブモジュールと、当該投影方向に従って当該投影方向に対応する電圧構成を計算するように構成された電圧計算サブモジュールと、当該投影方向に従って、当該投影方向に対応する画像を時分割多重方式で表示するように当該立体撮像装置のディスプレイ・パネルを制御するように構成された表示制御サブモジュールと、当該電圧構成に従って、時分割多重方式で変化し当該立体撮像装置の電気光学変調層に適用される電界を制御し、当該画像の光線を異なる投影方向に交互に偏向するように当該立体撮像装置の電気光学変調層を制御するように構成された電圧制御サブモジュールとを備える。
【００３３】
第３の態様の第１の可能な実装方式を参照して、第２の可能な実装方式では、当該センサによりフィードバックされた情報は、人間の目の位置の情報、ジャイロスコープ情報、加速度情報、および温度情報のうち少なくとも１つを含む。
【００３４】
第４の態様によれば、立体撮像方法が提供される。当該方法は、画像を複数の画素ユニットに時分割多重方式で表示するステップと、時分割多重方式で変化する電界を複数の電気光学変調ユニットに印加するステップと、時分割多重方式で変化する電界に従って、当該複数の画素ユニットに表示された画像の光線を異なる投影方向に交互に偏向するステップとを含む。時分割多重方式で変化する電界は時分割多重方式で表示された画像と同期して変化する。
【００３５】
第１の可能な実装方式では、当該複数の画素ユニットは当該複数の電気光学変調ユニットと１対１の対応関係にあり、時分割多重方式で変化する電界を複数の電気光学変調ユニットに印加するステップは、当該複数の画素ユニットの各画素ユニットの少なくとも１つの第１の電極と少なくとも１つの第２の電極層との間で電圧構成を受信して、電界を形成するステップを含む。
【００３６】
第１の可能な実装方式を参照して、第２の可能な実装方式では、当該複数の画素ユニットの各画素ユニットの少なくとも１つの第１の電極と少なくとも１つの第２の電極層との間で電圧構成を受信して電界を形成するステップは、少なくとも２つの電圧を、当該複数の電気光学変調ユニットの各電気光学変調ユニットの少なくとも２つの第１の電極の各々で受信し、基準電圧を当該少なくとも１つの第２の電極で受信するステップを含む。
【００３７】
第４の態様の第２の可能な実装方式を参照して、第３の可能な実装方式では、少なくとも２つの電圧を、当該複数の電気光学変調ユニットの各電気光学変調ユニットの少なくとも２つの第１の電極の各々で受信し、基準電圧を当該少なくとも１つの第２の電極で受信するステップは、複数の電圧を当該複数の電気光学変調ユニットの各電気光学変調ユニットの複数の第１の電極の各々で受信するステップを含む。当該複数の電圧のうち少なくとも２つの電圧は異なり、その結果、当該複数の電気光学変調ユニットは、当該複数の第１の電極の各々で受信された複数の電圧と当該少なくとも１つの第２の電極で受信された基準電圧とにより形成された電界の影響の下で軸外レンズの機能を生成して、光線を事前設定された投影方向に偏向する。
【００３８】
第４の態様の第２の可能な実装方式を参照して、第４の可能な実装方式では、少なくとも２つの電圧を、当該複数の電気光学変調ユニットの各電気光学変調ユニットの少なくとも２つの第１の電極の各々で受信し、基準電圧を当該少なくとも１つの第２の電極で受信するステップは、２つの電圧を、当該複数の電気光学変調ユニットの各電気光学変調ユニットの抵抗膜に接続された２つの第１の電極の各々で受信するステップを含む。当該２つの電圧は異なり、その結果、当該電気光学変調ユニットの各々は、当該２つの第１の電極の各々で受信された２つの電圧と当該少なくとも１つの第２の電極で受信された基準電圧とにより形成された電界の影響の下で線形位相チルトを有するレンズの機能を生成して、光線を事前設定された投影方向に偏向する。
【００３９】
第４の態様の第２乃至第４の可能な実装方式の何れか１つを参照して、第５の可能な実装方式では、時分割多重方式で変化する電界に従って、当該複数の画素ユニットに表示された画像の光線を異なる投影方向に交互に偏向するステップは、当該少なくとも２つの第１の電極と共通電極として使用される少なくとも１つの第２の電極との間で受信された第１の電圧構成により形成された電界に従って、当該複数の電気光学変調ユニットの各電気光学変調ユニットにより、当該電気光学変調ユニットの各々に対応する画素ユニットに表示された画像の光線を第１の投影方向に第１の期間において偏向するステップと、当該少なくとも２つの第１の電極と共通電極として使用される少なくとも１つの第２の電極との間で受信された第２の電圧構成により形成された電界に従って、当該複数の電気光学変調ユニットの各電気光学変調ユニットにより、当該電気光学変調ユニットの各々に対応する画素ユニットに表示された画像の光線を第２の投影方向に第２の期間において偏向するステップとを含む。第１の電圧構成は第２の電圧構成と異なり、その結果、時分割多重方式で変化する電界が第１の期間および第２の期間において形成される。
【００４０】
第４の態様の第２の可能な実装方式を参照して、第６の可能な実装方式では、少なくとも２つの電圧を、当該複数の電気光学変調ユニットの各電気光学変調ユニットの少なくとも２つの第１の電極の各々で受信し、基準電圧を当該少なくとも１つの第２の電極で受信するステップは、２つの電圧を、当該複数の電気光学変調ユニットの各電気光学変調ユニットの抵抗膜に接続された２つの第１の電極の各々で受信するステップを含む。当該２つの電圧は異なり、当該電気光学変調ユニットの各々は１つの第１の電極を隣接する電気光学変調ユニットと共有し、その結果、当該電気光学変調ユニットの各々は、当該２つの第１の電極の各々で受信された２つの電圧と当該少なくとも１つの第２の電極で受信された基準電圧とにより形成された電界の影響の下で線形位相チルトを有するレンズの機能を生成して、光線を事前設定された投影方向に偏向する。
【００４１】
第４の態様の第６の可能な実装方式を参照して、第７の可能な実装方式では、時分割多重方式で変化する電界に従って、当該複数の画素ユニットに表示された画像の光線を異なる投影方向に交互に偏向するステップは、当該２つの第１の電極と当該少なくとも１つの第２の電極との間で受信された第１の電圧構成に従って、当該複数の電気光学変調ユニットの各電気光学変調ユニットにより、当該電気光学変調ユニットの各々に対応する画素ユニットに表示された画像の光線を第１の投影方向に第１の期間において偏向するステップと、当該２つの第１の電極と当該少なくとも１つの第２の電極との間で受信された第２の電圧構成に従って、当該複数の電気光学変調ユニットの各電気光学変調ユニットにより、当該電気光学変調ユニットの各々に対応する画素ユニットに表示された画像の光線を第２の投影方向に第２の期間において偏向するステップと、当該隣接する電気光学変調ユニットの２つの第１の電極と当該少なくとも１つの第２の電極との間で受信された第２の電圧構成に従って、当該隣接する電気光学変調ユニットにより、当該隣接する電気光学変調ユニットに対応する画素ユニットに表示された画像の光線を第２の投影方向に第１の期間において偏向するステップと、当該隣接する電気光学変調ユニットの２つの第１の電極と当該少なくとも１つの第２の電極との間で受信された第１の電圧構成に従って、当該隣接する電気光学変調ユニットにより、当該隣接する電気光学変調ユニットに対応する画素ユニットに表示された画像の光線を第１の投影方向に第２の期間において偏向するステップとを含む。第１の電圧構成は第２の電圧構成と異なり、その結果、時分割多重方式で変化する電界が第１の期間および第２の期間において形成される。
【００４２】
第４の態様の第２乃至第７の可能な実装方式の何れか１つを参照して、第８の可能な実装方式では、当該複数の電気光学変調ユニットの各電気光学変調ユニットの少なくとも２つの第２の電極の配置方向は当該少なくとも２つの第１の電極の配置方向と異なり、当該複数の画素ユニットの各画素ユニットの少なくとも１つの第１の電極と少なくとも１つの第２の電極層との間で電圧構成を受信して、電界を形成するステップは、当該立体撮像装置が第１の方向にあるとき、当該少なくとも２つの電圧を当該少なくとも２つの第１の電極の各々で受信し、共通電極として使用される少なくとも２つの第２の電極で基準電圧を受信するステップを含む。当該立体撮像方法はさらに、当該立体撮像装置が第２の方向にあるとき、共通電極として使用される少なくとも２つの第１の電極で基準電圧を受信し、当該少なくとも２つの電圧を当該少なくとも２つの第２の電極の各々で受信するステップを含む。
【００４３】
第４の態様の第８の可能な実装方式を参照して、第９の可能な実装方式では、当該少なくとも２つの電圧を当該少なくとも２つの第２の電極の各々で受信するステップは、複数の電圧を当該複数の電気光学変調ユニットの各電気光学変調ユニットの複数の第２の電極の各々で受信するステップを含む。当該複数の電圧のうち少なくとも２つの電圧は異なり、その結果、当該電気光学変調ユニットの各々は、当該複数の第２の電極の各々で受信された複数の電圧と共通電極として使用される少なくとも２つの第１の電極で受信された基準電圧とにより形成された電界の影響の下で軸外レンズの機能を生成して、光線を事前設定された投影方向に偏向する。
【００４４】
第４の態様の第８の可能な実装方式を参照して、第１０の可能な実装方式では、当該少なくとも２つの電圧を当該少なくとも２つの第２の電極の各々で受信するステップは、２つの電圧を、当該複数の電気光学変調ユニットの各電気光学変調ユニットの抵抗膜に接続された２つの第２の電極の各々で受信するステップを含む。当該２つの電圧は異なり、その結果、当該電気光学変調ユニットの各々は、当該２つの第２の電極の各々で受信された２つの電圧と共通電極として使用される少なくとも２つの第１の電極で受信された基準電圧とにより形成された電界の影響の下で線形位相チルトを有するレンズの機能を生成して、光線を事前設定された投影方向に偏向する。
【００４５】
第４の態様の第８乃至第１０の可能な実装方式の何れか１つを参照して、第１１の可能な実装方式では、当該複数の電気光学変調ユニットの各電気光学変調ユニットは、共通電極として使用される少なくとも２つの第１の電極と当該少なくとも２つの第２の電極との間で受信された第３の電圧構成に従って、当該電気光学変調ユニットの各々に対応する画素ユニットに表示された画像の光線を第３の投影方向に第３の期間において偏向し、当該複数の電気光学変調ユニットの各電気光学変調ユニットは、共通電極として使用される少なくとも２つの第１の電極と当該少なくとも２つの第２の電極との間で受信された第４の電圧構成に従って、当該電気光学変調ユニットの各々に対応する画素ユニットに表示された画像の光線を第４の投影方向に第４の期間において偏向し、第３の電圧構成は第４の電圧構成とは異なり、その結果、時分割多重方式で変化する電界が第３の期間および第４の期間において形成される。
【００４６】
第４の態様の第８の可能な実装方式を参照して、第１２の可能な実装方式では、当該少なくとも２つの電圧を当該少なくとも２つの第２の電極の各々で受信するステップは、２つの電圧を、当該複数の電気光学変調ユニットの各電気光学変調ユニットの抵抗膜に接続された２つの第２の電極の各々で受信するステップを含む。当該２つの電圧は異なり、当該電気光学変調ユニットの各々は１つの第２の電極を隣接する電気光学変調ユニットと共有し、その結果、当該電気光学変調ユニットの各々は、当該２つの第２の電極の各々で受信された２つの電圧と共通電極として使用される少なくとも２つの第１の電極で受信された基準電圧とにより形成された電界の影響の下で線形位相チルトを有するレンズの機能を生成して、光線を事前設定された投影方向に偏向する。
【００４７】
第４の態様の第１２の可能な実装方式を参照して、第１３の可能な実装方式では、当該複数の電気光学変調ユニットの各電気光学変調ユニットは、当該２つの第１の電極と共通電極として使用される少なくとも２つの第２の電極との間で受信された第３の電圧構成に従って、当該電気光学変調ユニットの各々に対応する画素ユニットに表示された画像の光線を第３の投影方向に第３の期間において偏向し、当該複数の電気光学変調ユニットの各電気光学変調ユニットは、共通電極として使用される当該２つの第１の電極と当該２つの第２の電極との間で受信された第４の電圧構成に従って、当該電気光学変調ユニットの各々に対応する画素ユニットに表示された画像の光線を第４の投影方向に第４の期間において偏向し、当該隣接する電気光学変調ユニットは、共通電極として使用される２つの第１の電極と当該隣接する電気光学変調ユニットの少なくとも２つの第２の電極との間で受信された第４の電圧構成に従って、当該隣接する電気光学変調ユニットに対応する画素ユニットに表示された画像の光線を第４の投影方向に第３の期間において偏向し、当該隣接する電気光学変調ユニットは、共通電極として使用される当該２つの第２の電極と当該隣接する電気光学変調ユニットの２つの第１の電極との間で受信された第４の電圧構成に従って、当該隣接する電気光学変調ユニットに対応する画素ユニットに表示された画像の光線を第３の投影方向に第４の期間において偏向する。第３の電圧構成は第４の電圧構成とは異なり、その結果、時分割多重方式で変化する電界が第３の期間および第４の期間において形成される。
【００４８】
第５の態様によれば、立体撮像方法が提供される。当該方法は、画像を複数の画素ユニットに表示するステップと、複数の電気光学変調ユニットの各電気光学変調ユニットの少なくとも２つの第１の電極と少なくとも２つの第２の電極との間で電圧構成を受信して電界を形成するステップと、当該電界に従って、当該電気光学変調ユニットの各々に対応する画素ユニットに表示された画像の光線を事前設定された投影方向に偏向するステップとを含む。当該少なくとも２つの第１の電極の配置方向は当該少なくとも２つの第２の電極の配置方向とは異なる。
【００４９】
第１の可能な実装方式では、当該複数の電気光学変調ユニットの各電気光学変調ユニットの少なくとも２つの第１の電極と少なくとも２つの第２の電極との間で電圧構成を受信して電界を形成するステップは、当該立体撮像装置が第１の方向にあるとき、少なくとも２つの電圧を当該少なくとも２つの第１の電極の各々で受信して、当該少なくとも２つの第２の電極を共通電極として用いて基準電圧を受信するステップと、当該立体撮像装置が第２の方向にあるとき、当該少なくとも２つの第１の電極を共通電極として使用して基準電圧を受信し、当該少なくとも２つの電圧を当該少なくとも２つの第２の電極の各々で受信するステップとを含む。
【００５０】
第５の態様の第１の可能な実装方式を参照して、第２の可能な実装方式では、少なくとも２つの電圧を少なくとも２つの第１の電極の各々で受信するステップは、複数の電圧を複数の第１の電極の各々で受信するステップを含む。当該複数の電圧のうち少なくとも２つの電圧は異なり、その結果、当該電気光学変調ユニットの各々は、当該複数の第１の電極の各々で受信された複数の電圧と共通電極として使用される少なくとも２つの第２の電極で受信された基準電圧とにより形成された電界の影響の下で軸外レンズの機能を生成して、光線を事前設定された投影方向に偏向する。当該少なくとも２つの電圧を当該少なくとも２つの第２の電極の各々で受信するステップは、複数の電圧を複数の第２の電極の各々で受信するステップを含む。当該複数の電圧のうち少なくとも２つの電圧は異なり、その結果、当該電気光学変調ユニットの各々は、当該複数の第２の電極の各々で受信された複数の電圧と共通電極として使用される少なくとも２つの第１の電極で受信された基準電圧とにより形成された電界の影響の下で軸外レンズの機能を生成して、光線を事前設定された投影方向に偏向する。
【００５１】
第５の態様の第１の可能な実装方式を参照して、第３の可能な実装方式では、少なくとも２つの電圧を少なくとも２つの第１の電極の各々で受信するステップは、２つの電圧を抵抗膜に接続された２つの第１の電極の各々で受信するステップを含む。当該２つの電圧は異なり、その結果、当該電気光学変調ユニットの各々は、当該２つの第１の電極の各々で受信された２つの電圧と共通電極として使用される少なくとも２つの第２の電極で受信された基準電圧とにより形成された電界の影響の下で線形位相チルトを有するレンズの機能を生成して、光線を事前設定された投影方向に偏向する。当該少なくとも２つの電圧を当該少なくとも２つの第２の電極の各々で受信するステップは、２つの電圧を抵抗膜に接続された２つの第２の電極の各々で受信するステップを含む。当該２つの電圧は異なり、その結果、当該電気光学変調ユニットの各々は、当該２つの第２の電極の各々で受信された２つの電圧と共通電極として使用される少なくとも２つの第１の電極で受信された基準電圧とにより形成された電界の影響の下で線形位相チルトを有するレンズの機能を生成して、光線を事前設定された投影方向に偏向する。
【００５２】
第５の態様の第１の可能な実装方式を参照して、第４の可能な実装方式では、少なくとも２つの電圧を少なくとも２つの第１の電極の各々で受信するステップは、２つの電圧を抵抗膜に接続された２つの第１の電極の各々で受信するステップを含む。当該２つの電圧は異なり、当該電気光学変調ユニットの各々は１つの第１の電極を隣接する電気光学変調ユニットと共有し、その結果、当該電気光学変調ユニットの各々は、当該２つの第１の電極の各々で受信された２つの電圧と共通電極として使用される少なくとも２つの第２の電極で受信された基準電圧とにより形成された電界の影響の下で線形位相チルトを有するレンズの機能を生成して、光線を事前設定された投影方向に偏向する。当該少なくとも２つの電圧を当該少なくとも２つの第２の電極の各々で受信するステップは、２つの電圧を抵抗膜に接続された２つの第２の電極の各々で受信するステップを含む。当該２つの電圧は異なり、当該電気光学変調ユニットの各々は１つの第２の電極を隣接する電気光学変調ユニットと共有し、その結果、当該電気光学変調ユニットの各々は、当該２つの第２の電極の各々で受信された２つの電圧と共通電極として使用される少なくとも２つの第１の電極で受信された基準電圧とにより形成された電界の影響の下で線形位相チルトを有するレンズの機能を生成して、光線を事前設定された投影方向に偏向する。
【００５３】
第５の態様または第５の態様の可能な実装方式の何れか１つを参照して、複数の電気光学変調ユニットは複数の画素ユニットと１対１の対応関係にあり、異なる投影方向の画像を複数の画素ユニットに表示するステップは、当該画像を当該複数の画素ユニットに時分割多重方式で表示するステップを含む。当該複数の電気光学変調ユニットの各電気光学変調ユニットの少なくとも２つの第１の電極と少なくとも２つの第２の電極との間で電圧構成を受信して電界を形成するステップは、当該複数の電気光学変調ユニットの各電気光学変調ユニットの少なくとも２つの第１の電極と少なくとも２つの第２の電極の間で時分割多重方式で変化する電圧構成を受信して、時分割多重方式で変化する電界を形成するステップを含む。時分割多重方式で変化する当該電界は時分割多重方式で表示された画像と同期して変化する。
【００５４】
本発明の諸実施形態の技術的解決策によれば、異なる方向の画像を時分割多重方式で表示してもよく、複数の画素ユニットに表示された画像の光線が時分割多重方式で変化する印加された電界に従って異なる方向に偏向され、その結果、各方向に表示された画像の解像度はディスプレイ・パネルの全ての画素ユニットであり、それにより裸眼立体ディスプレイの解像度を改善する。
【００５５】
本発明の諸実施形態における技術的解決策をより明確に説明するために、以下では本発明の諸実施形態を説明するのに必要な添付図面を簡単に説明する。明らかに、以下の説明における添付図面は本発明の幾つかの実施形態を示すにすぎず、当業者は依然として創作的な努力なしにこれらの添付図面から他の図面を導出することができる。
【図面の簡単な説明】
【００５６】
【図１】本発明の１実施形態に従う立体撮像装置の略構造図である。
【図２】本発明の１実施形態に従う、電界を電気光学変調ユニットに適用する前後の液晶分子状態の略図である。
【図３】本発明の１実施形態に従う立体撮像装置の異なる表示状態の略図である。
【図４】本発明の別の実施形態に従う立体撮像装置の略構造図である。
【図５】本発明の１実施形態に従うディスプレイの略構造図である。
【図６】本発明の１実施形態に従う立体撮像装置の略断面図である。
【図７】本発明の別の実施形態に従う立体撮像装置の略図である。
【図８】本発明の別の実施形態に従う立体撮像装置の略図である。
【図９】本発明の１実施形態に従う立体撮像装置の２つの表示状態の略図である。
【図１０】本発明の別の実施形態に従う立体撮像装置の電極構成の略図である。
【図１１】本発明の１実施形態に従う立体撮像方法の略流れ図である。
【図１２】本発明の１実施形態に従う立体撮像方法の略流れ図である。
【発明を実施するための形態】
【００５７】
以下では、本発明の諸実施形態における添付図面を参照して本発明の諸実施形態における技術的解決策を明確かつ十分に説明する。明らかに、説明する実施形態は本発明の諸実施形態の一部であって全部ではない。当業者が創作的な努力なしに本発明の諸実施形態に基づいて得る他の全ての実施形態は本発明の保護範囲に入るものとする。
【００５８】
本発明の諸実施形態では、立体撮像とは３次元ディスプレイまたは裸眼立体ディスプレイを指しうる。
【００５９】
低解像度に加えて、固定屈折率を有するマイクロレンズのアレイはまた、立体撮像装置が立体撮像と二次元撮像の間で切り替えることができない原因となり、立体撮像装置が９０度回転した後、立体撮像の効果が完全に消失する。さらに、各マイクロレンズは複数の画素をカバーするので、クロストーク（ｃｒｏｓｓｔａｌｋ）が生ずる。即ち、１つの目が、他の目が見るべき画像を見ることとなる。固定屈折率を有するマイクロレンズのアレイの上述の欠点を克服するため、本発明の諸実施形態では、時分割多重技術と組み合わせて柔軟な（または電気的に調節可能な）プリズムのアレイを使用する裸眼立体ディスプレイの解決策を提供する。
【００６０】
図１は、本発明の実施形態に従う立体撮像装置の略構造図１００である。立体撮像装置１００はディスプレイ・パネル１１０および電気光学変調層１２０を備える。
【００６１】
ディスプレイ・パネル（またはディスプレイ・ユニット）１１０は、複数の画素ユニット１１１を備え、時分割多重方式で画像を表示、例えば、異なる投影方向の画像を表示するように構成される。異なる投影方向は異なる観察方向に対応する。電気光学変調層１２０は、当該複数の画素ユニットに対応する位置にそれぞれ配置された複数の電気光学変調ユニット１２１を備え、時分割多重方式で変化する印加された電界Ｅに従って当該複数の画素ユニットに表示された画像の光線を異なる投影方向に交互に偏向して、立体画像を提供、例えば、中央深度面上で裸眼により見ることができる立体画像を生成するように構成される。
【００６２】
例えば、当該複数の電気光学変調ユニットが当該画素ユニット上に直接配置されてもよく、または、当該複数の画素ユニットを完全に覆うかまたは包む位置に配置されてもよい。例えば、当該画素ユニットと当該電気光学変調ユニットの間に間隔（ｓｐａｃｅ）／またはスペーサ（フィルタ、仕切り板、断熱板等）が存在する。
【００６３】
本発明の当該実施形態によれば電気光学変調層を液晶により形成してもよい。電界を液晶に印加した後、当該液晶の屈折率が変化することができ、異なる電界が異なる屈折率に対応してもよい。即ち、液晶は、電気的に調節可能なプリズムのアレイを形成するために当該電気光学変調層において使用される。電界が印加される液晶を光線が通過すると、放射光線の位相差は外部の印加された電界とともに変化する。本発明の当該実施形態はそれに限定されない。当該電気光学変調層を、電界が印加されたとき屈折率が変化しうる別の結晶材料により形成してもよく、例えば、ニオブ酸リチウム結晶により形成してもよい。
【００６４】
本発明の当該実施形態によれば、電極が液晶の２つの反対の面に配置されてもよく、電界が、電圧を当該電極に印加することで当該液晶に印加される。
【００６５】
電気光学変調層１２０において、当該電気光学変調ユニットの各々に含まれる液晶は電界が印加された後のマイクロレンズと等価であり、当該複数の電気変調ユニットはマイクロレンズのアレイを形成する。図２は、本発明の１実施形態に従う、電界が電気光学変調ユニットに印加される前後の液晶分子状態の略図である。例えば、図２の（ａ）を参照すると、ネマチック液晶材料に関して、液晶分子は杖状の形状であり１つの軸を有し、杖状の液晶分子の長手方向は長軸方向である。図２の（ｂ）を参照すると、同一面に配置された液晶分子に対して、電圧が印加されていない場合、当該液晶分子の長軸は特定の方向を指す。図２の（ｃ）を参照すると、印加された電圧が液晶の閾値電圧を超えると、当該液晶分子がリダイレクトされ、即ち、機械的に回転され、入射光線の位相偏移をもたらす。かかる機械的回転は、印加された電圧により誘導される双極子モーメントにより生ずるトルクによりもたらされる。
【００６６】
ディスプレイ・ユニット１１０上の３つの画素ユニット（例えば、赤、黄、および青の画素ユニット）１１１が１つの表示画素（または１つの画像画素）を形成してもよいが、本発明に従う当該実施形態はそれに限定されない。例えば、ディスプレイ・ユニット１１０上の各画素ユニットが１つの表示画素を形成してもよい。
【００６７】
異なる投影方法に対応する観察方向が、左目観察方向（例えば、図１において実線矢印が指す方向）および右目観察方向（例えば、図１において点線矢印が指す方向）を含んでもよいが、本発明に従う当該実施形態はそれに限定されない。例えば、異なる観察方向が、複数の人が立体画像を同時に参照するように、複数の左目観察方向および複数の右目観察方向を含んでもよい。
【００６８】
例えば、立体撮像装置上に提供された立体画像の解像度を全ての画素ユニットとできるように、印加された電界が、視界が存続する期間内に、全ての画素を用いて各方向の画像が表示されるという要件を満たす必要がある。電界が複数の画素ユニットに印加される時分割多重方式が、異なる投影方向の画像がディスプレイ・パネルに表示される時分割多重方式と同一であってもよく、その結果、人間の目は複数の画素ユニットに表示された立体画像を異なる観察方向から観察することができる。２つの投影方向を例として用いる。第１の期間において、画素ユニットの各々が（例えば、右目観察方向に対応する）第１の投影方向の画像を表示し、当該画素ユニットに対応する電気光学変調ユニットが、当該画素ユニットにより放出された光線を、印加された第１の電界に従って第１の投影方向に偏向し、第２の期間において、当該画素ユニットが（例えば、左目観察方向に対応する）第２の投影方向の画像を表示し、当該電気光学変調ユニットが、当該画素ユニットにより放出された光線を、印加された第２の電界に従って第２の投影方向に偏向する。
【００６９】
本発明の当該実施形態の技術的解決策によれば、異なる方向の画像を時分割多重方式で表示してもよく、複数の画素ユニットに表示された画像の光線が時分割多重方式で変化する印加された電界に従って異なる方向に偏向され、その結果、各方向に表示された画像の解像度はディスプレイ・パネルの全ての画素ユニットであり、それにより裸眼立体ディスプレイの解像度を改善する。
【００７０】
本発明の当該実施形態によれば、電界が印加されていない場合には、当該電気光学変調層はさらに、ディスプレイ・パネルに二次元画像を表示させる。
【００７１】
図３は、本発明の１実施形態に従う立体撮像装置の異なる表示状態の略図である。図３の（ａ）を参照すると、第１の電界が印加される場合、液晶は第１の電界の影響下でプリズムを形成して、バックライトがディスプレイ・パネルに投影された後に生成された光線を右目観察方向に偏向する。図３の（ｂ）を参照すると、第２の電界が印加される場合、当該液晶は、第２の電界の影響下でプリズムを形成して、バックライトが当該ディスプレイ・パネルに投影された後に生成された光線を左目観察方向に偏向する。図３の（ｃ）を参照すると、電界が印加されていない場合には、当該液晶は光線を偏向させず、この場合、二次元画像を提供することができる。
【００７２】
本発明の当該実施形態は、全ての画素ユニットが同一の投影方向の画像を同一の期間に表示するケースには限定されないことは理解される。例えば、全ての画素ユニットに表示された画像を人間のアイビジョンが存続する期間内に異なる観察方向から観察できる限り、換言すれば、第１の期間および第２の期間の合計が人間のアイビジョンが存続する期間より短い限り、第１の期間において、第１の部分の画素ユニットが第１の投影方向の画像を表示してもよく、第２の部分の画素ユニットが第２の投影方向の画像を表示してもよく、第２の期間において、第１の部分の画素ユニットが第２の投影方向の画像を表示してもよく、第２の部分の画素ユニットが第１の投影方向の画像を表示してもよい。
【００７３】
本発明の当該実施形態によれば、両眼立体視差の視野（ｖｉｅｗ）が各時点で表示され、ディスプレイ・パネルの空間は従来の技術的解決策では分割されない。したがって、従来の技術のものと比較すると解像度はより高い。
【００７４】
具体的な実装において、電気光学変調層がガラス蓋板により覆われてもよく、他の媒体を必要に応じてディスプレイ・パネルと電気光学変調層の間ならびに電気光学変調層とガラス蓋板の間に配置してもよいことは理解される。
【００７５】
本発明の当該実施形態では、ディスプレイ・パネルを制御して異なる投影方向の画像を時分割多重方式で表示し、時分割多重方式で変化するように電気光学変調ユニットに印加された電界を制御するために、専用制御モジュールを配置してもよい。その結果、対応する画像が異なる投影方向に表示され、それにより裸眼により観察できる立体画像が形成される。
【００７６】
本発明の当該実施形態によれば、複数の電気光学変調ユニットは複数の画素ユニットと１対１の対応関係にあり、電気光学変調層は、電気光学変調媒体を備え出光面と入光面を有する電気光学変調媒体層と、当該電気光学変調媒体層の出光面に配置された電極を備えた第１の電極層と、当該電気光学変調媒体層の入光面に配置された電極を備えた第２の電極層とを備える。当該複数の電気光学変調ユニットの各電気光学変調ユニットは、当該電気光学変調媒体層に配置された電気光学変調媒体と、第１の電極層に配置された少なくとも１つの第１の電極と、第２の電極層に配置された少なくとも１つの第２の電極とを備える。当該電気光学変調媒体は、当該少なくとも１つの第１の電極および当該少なくとも１つの第２の電極で受信された電圧構成により形成された電界に従って、当該電気光学変調媒体に対応する画素ユニットに表示された画像の光線を事前設定された投影方向に偏向して、光線を事前設定された投影方向に偏向する。
【００７７】
本発明の当該実施形態によれば、電極が透明導電材料、例えば、酸化インジウムスズ（Ｉｎｄｉｕｍ  Ｔｉｎ  Ｏｘｉｄｅ、ＩＴＯ）のような透明導電材料から生成されてもよい。当該電気光学変調媒体が液晶またはニオブ酸リチウム結晶のような結晶材料を含んでもよい。即ち、当該電気光学変調媒体層が液晶層または別の水晶層であってもよい。当該少なくとも１つの第２の電極が連続ＩＴＯ透明導電膜であってもよい。例えば、当該透明導電膜電極が、蓋板の内面および電解質基板上に分配され、電界を生成するだけでなく、ディスプレイ・パネルと液晶層を分離するようにも構成される。本発明の当該実施形態では、調節可能な液晶プリズムが画素ごとに配置されてもよい。即ち、調節可能な画素レベルの液晶プリズムが配置されてもよい。したがって、本発明の当該実施形態では画素間のクロストークの現象を排除することができる。
【００７８】
本発明の当該実施形態によれば、複数の電気光学変調ユニットの各電気光学変調ユニットは、それぞれが少なくとも２つの電圧を受信するように構成された少なくとも２つの第１の電極を備える。当該少なくとも１つの第２の電極は共通電極として使用され、基準電圧を受信するように構成される。
【００７９】
当該少なくとも２つの第１の電極が一連の導電ストライプであってもよく、当該導電ストライプが電圧を受信したときに当該電気光学変調ユニットがマイクロレンズの効果または線形位相の効果を生成できるように当該導電ストライプが配置される限り、当該導電ストライプが均等に分散されてもよく、または不均等に分散されてもよい。第１の電極の各々で受信した電圧と基準電圧との間の電位差により対応する電界が液晶層に形成される。基準電圧が例えば０Ｖであってもよい。
【００８０】
本発明の当該実施形態によれば、複数の電気光学変調ユニットの各電気光学変調ユニットは、それぞれが複数の電圧を受信するように構成された複数の第１の電極を備える。当該複数の電圧のうち少なくとも２つの電圧は異なり、その結果、当該電気光学変調媒体が、当該複数の第１の電極の各々で受信された複数の電圧と共通電極として使用される少なくとも１つの第２の電極で受信された基準電圧とにより形成された電界の影響の下で軸外レンズの機能を生成して、光線を事前設定された投影方向に偏向する。
【００８１】
本発明の当該実施形態によれば、これらの電極で受信された電圧を調節することによって、電界を液晶層において生成して、当該液晶層に対する所望の位相構成を生成することができる。様々な位相構成が様々な電圧構成および電極分布に依存する。例えば、当該電気光学変調ユニットの各々が４つの第１の電極を含んでもよい。１つの電極は画素ユニットの端に位置し、受電電圧はＶ１、Ｖ２、Ｖ３、およびＶ４である。当該電気光学変調ユニットの各々が、４つを超えるかまたは４つ未満の第１の電極を備えてもよい。液晶の平滑性の特徴により、４つの電極がほぼ平滑な位相分布を生成するのに十分である。
【００８２】
本発明の当該実施形態によれば、当該複数の電気光学変調ユニットの各電気光学変調ユニットは、２つの第１の電極と当該２つの第１の電極の間で接続された抵抗膜とを備える。当該２つの第１の電極の各々は、２つの電圧を受信するように構成される。当該２つの電圧は異なり、その結果、当該電気光学変調媒体は、当該２つの第１の電極の各々で受信された２つの電圧と共通電極として使用される少なくとも１つの第２の電極で受信された基準電圧とにより形成された電界の影響の下で線形位相チルトを有するレンズの機能を生成して、光線を事前設定された投影方向に偏向する。
【００８３】
例えば、当該２つの第１の電極がＩＴＯ材料製の２つの導電ストライプであってもよく、当該電気光学変調ユニットの各々の２つの反対の端に沿って配置され、所定の間隔が、隣接する電気光学変調ユニットの当該２つの第１の電極および第１の電極の間に保たれる。当該連続抵抗膜が特定の抵抗性を有する透明材料で製造されていてもよく、当該２つの導電ストライプの間で接続される。その結果、当該２つの第１の電極が異なる電圧を受信するとき、連続的に変化する電圧分布が当該抵抗膜に生成される。連続的に変化する電圧分布と基準電圧との間の電位差により、当該抵抗膜により覆われた液晶層において連続的に変化する電界分布を生成し、連続的に変化する電界分布により、当該抵抗膜に対応する液晶は線形位相チルトを有するレンズの機能を生成して、光線を事前設定された投影方向に偏向することができる。
【００８４】
本発明の当該実施形態によれば、当該複数の電気光学変調ユニットの各電気光学変調ユニットは、当該少なくとも２つの第１の電極と共通電極として使用される少なくとも１つの第２の電極との間で受信された第１の電圧構成により形成された電界に従って、当該電気光学変調媒体に対応する画素ユニットに表示された画像の光線を第１の投影方向に第１の期間において偏向し、当該少なくとも２つの第１の電極と共通電極として使用される少なくとも１つの第２の電極との間で受信された第２の電圧構成により形成された電界に従って、当該電気光学変調媒体に対応する画素ユニットに表示された画像の光線を第２の投影方向に第２の期間において偏向する。第１の電圧構成は第２の電圧構成と異なり、その結果、時分割多重方式で変化する電界が第１の期間および第２の期間において形成される。
【００８５】
例えば、当該共通電極は基準電圧を受信し、当該少なくとも２つの第１の電極の各々は対応する電圧を第１の期間および第２の期間において受信する。
【００８６】
本発明の当該実施形態によれば、当該複数の電気光学変調ユニットの各電気光学変調ユニットは、２つの第１の電極と当該２つの第１の電極の間で接続された抵抗膜とを備える。当該２つの第１の電極の各々は、２つの電圧を受信するように構成される。当該２つの電圧は異なり、当該電気光学変調ユニットの各々は１つの第１の電極を隣接する電気光学変調ユニットと共有し、その結果、当該電気光学変調媒体は、当該２つの第１の電極の各々で受信された２つの電圧と共通電極として使用される少なくとも１つの第２の電極で受信された基準電圧とにより形成された電界の影響の下で線形位相チルトを有するレンズの機能を生成して、光線を事前設定された投影方向に偏向する。
【００８７】
本発明の当該実施形態によれば、当該複数の電気光学変調ユニットの各電気光学変調ユニットは、当該２つの第１の電極と共通電極として使用される少なくとも１つの第２の電極との間で受信された第１の電圧構成に従って、当該電気光学変調媒体に対応する画素ユニットに表示された画像の光線を第１の投影方向に第１の期間において偏向し、当該２つの第１の電極と共通電極として使用される少なくとも１つの第２の電極との間で受信された第２の電圧構成に従って、当該電気光学変調媒体に対応する画素ユニットに表示された画像の光線を第２の投影方向に第２の期間において偏向し、当該隣接する電気光学変調ユニットは、当該隣接する電気光学変調ユニットの２つの第１の電極と共通電極として使用される少なくとも１つの第２の電極との間で受信された第２の電圧構成に従って、当該隣接する電気光学変調ユニットの電気光学変調媒体に対応する画素ユニットに表示された画像の光線を第２の投影方向に第１の期間において偏向し、当該隣接する電気光学変調ユニットの２つの第１の電極と共通電極として使用される少なくとも１つの第２の電極との間で受信された第１の電圧構成に従って、当該隣接する電気光学変調ユニットの電気光学変調媒体に対応する画素ユニットに表示された画像の光線を第１の投影方向に第２の期間において偏向する。第１の電圧構成は第２の電圧構成と異なり、その結果、時分割多重方式で変化する電界が第１の期間および第２の期間において形成される。
【００８８】
本発明の当該実施形態によれば、当該複数の電気光学変調ユニットの各電気光学変調ユニットは、少なくとも２つの第２の電極を備える。当該少なくとも２つの第２の電極の配置方向は当該少なくとも２つの第１の電極の配置方向とは異なり、当該立体撮像装置が第１の方向にあるとき、当該少なくとも２つの第１の電極の各々は当該少なくとも２つの電圧を受信し、当該少なくとも２つの第２の電極は基準電圧を受信するための共通電極として使用され、当該立体撮像装置が第２の方向にあるとき、当該少なくとも２つの第１の電極は基準電圧を受信するための共通電極として使用され、当該少なくとも２つの第２の電極の各々は当該少なくとも２つの電圧を受信する。
【００８９】
本発明の当該実施形態によれば、当該複数の電気光学変調ユニットの各電気光学変調ユニットは、それぞれが複数の電圧を受信するように構成された複数の第２の電極を備える。当該複数の電圧のうち少なくとも２つの電圧は異なり、その結果、当該電気光学変調媒体は、当該複数の第２の電極の各々で受信された複数の電圧と共通電極として使用される少なくとも２つの第１の電極で受信された基準電圧とにより形成された電界の影響の下で軸外レンズの機能を生成して、光線を事前設定された投影方向に偏向する。
【００９０】
本発明の当該実施形態によれば、当該複数の電気光学変調ユニットの各電気光学変調ユニットは、２つの第２の電極と当該２つの第２の電極の間で接続された抵抗膜とを備える。当該２つの第２の電極の各々は、２つの電圧を受信するように構成される。当該２つの電圧は異なり、その結果、当該電気光学変調媒体は、当該２つの第２の電極の各々で受信された２つの電圧と共通電極として使用される少なくとも２つの第１の電極で受信された基準電圧とにより形成された電界の影響の下で線形位相チルトを有するレンズの機能を生成して、光線を事前設定された投影方向に偏向する。
【００９１】
本発明の当該実施形態によれば、当該複数の電気光学変調ユニットの各電気光学変調ユニットは、共通電極として使用される少なくとも２つの第１の電極と当該少なくとも２つの第２の電極との間で受信された第３の電圧構成に従って、当該電気光学変調媒体に対応する画素ユニットに表示された画像の光線を第３の投影方向に第３の期間において偏向し、共通電極として使用される少なくとも２つの第１の電極と当該少なくとも２つの第２の電極との間で受信された第４の電圧構成に従って、当該電気光学変調媒体に対応する画素ユニットに表示された画像の光線を第４の投影方向に第４の期間において偏向する。第３の電圧構成は第４の電圧構成とは異なり、その結果、時分割多重方式で変化する電界が第３の期間および第４の期間において形成される。
【００９２】
本発明の当該実施形態によれば、当該複数の電気光学変調ユニットの各電気光学変調ユニットは、２つの第２の電極と当該２つの第２の電極の間で接続された抵抗膜とを備える。当該２つの第２の電極の各々は、２つの電圧を受信するように構成される。当該２つの電圧は異なり、当該電気光学変調ユニットの各々は１つの第２の電極を隣接する電気光学変調ユニットと共有し、その結果、当該電気光学変調媒体は、当該２つの第２の電極の各々で受信された２つの電圧と共通電極として使用される少なくとも２つの第１の電極で受信された基準電圧とにより形成された電界の影響の下で線形位相チルトを有するレンズの機能を生成して、光線を事前設定された投影方向に偏向する。
【００９３】
本発明の当該実施形態によれば、当該複数の電気光学変調ユニットの各電気光学変調ユニットは、当該２つの第１の電極と共通電極として使用される少なくとも２つの第２の電極との間で受信された第３の電圧構成に従って、当該電気光学変調媒体に対応する画素ユニットに表示された画像の光線を第３の投影方向に第３の期間において偏向し、共通電極として使用される当該２つの第１の電極と当該２つの第２の電極との間で受信された第４の電圧構成に従って、当該電気光学変調媒体に対応する画素ユニットに表示された画像の光線を第４の投影方向に第４の期間において偏向し、当該隣接する電気光学変調ユニットは、共通電極として使用される２つの第１の電極と当該隣接する電気光学変調ユニットの少なくとも２つの第２の電極との間で受信された第４の電圧構成に従って、当該隣接する電気光学変調ユニットの電気光学変調媒体に対応する画素ユニットに表示された画像の光線を第４の投影方向に第３の期間において偏向し、共通電極として使用される当該２つの第２の電極と当該隣接する電気光学変調ユニットの２つの第１の電極との間で受信された第３の電圧構成に従って、当該隣接する電気光学変調ユニットの電気光学変調媒体に対応する画素ユニットに表示された画像の光線を第３の投影方向に第４の期間において偏向する。第３の電圧構成は第４の電圧構成とは異なり、その結果、時分割多重方式で変化する電界が第３の期間および第４の期間において形成される。
【００９４】
本発明の当該実施形態によれば、当該電気光学変調ユニットの各々の幅が７５μｍ以下であってもよい。
【００９５】
場合によっては、別の実施形態として、当該電気光学変調ユニットの各々の幅が２５μｍ以下であってもよい。
【００９６】
本発明の当該実施形態によれば、当該立体撮像装置の少なくとも１つの方向の単位長において、当該電気光学変調ユニットに含まれる電極の数は画素ユニットの数より多い。換言すれば、各画素ユニットに対応する電気光学変調ユニットは複数の電極を備える。
【００９７】
図４は、本発明の別の実施形態に従う立体撮像装置の略構造図４００である。立体撮像装置４００はディスプレイ・パネル４１０および電気光学変調層４２０を備える。
【００９８】
ディスプレイ・パネル４１０は、複数の画素ユニット４１１を備え、画像を表示するように構成される。電気光学変調層４２０は複数の電気光学変調ユニット４２１を備える。当該複数の電気光学変調ユニットの各電気光学変調ユニットは、電気光学変調媒体と、当該電気光学変調媒体の出光面に配置された少なくとも２つの第１の電極と、当該電気光学変調媒体層の入光面に配置された少なくとも２つの第２の電極とを備える。当該電気光学変調媒体は、当該少なくとも２つの第１の電極と当該少なくとも２つの第２の電極との間で受信された電圧構成により形成された電界に従って、当該電気光学変調媒体に対応する画素ユニットに表示された画像の光線を事前設定された投影方向に偏向し、当該少なくとも２つの第１の電極の配置方向は当該少なくとも２つの第２の電極の配置方向と異なる。
【００９９】
例えば、当該少なくとも２つの第１の電極の配置方向は当該少なくとも２つの第２の電極の配置方向に直交する。換言すれば、当該少なくとも２つの第１の電極の長手方向は当該少なくとも２つの第２の電極の長手方向に直交する。
【０１００】
本発明の当該実施形態によれば、当該立体撮像装置が第１の方向にあるとき、当該少なくとも２つの第１の電極の各々は少なくとも２つの電圧を受信し、当該立体撮像装置が第２の方向にあるとき、当該少なくとも２つの第１の電極は基準電圧を受信するための共通電極として使用され、当該立体撮像装置が第１の方向にあるとき、当該少なくとも２つの第２の電極は基準電圧を受信するための共通電極として使用され、当該立体撮像装置が第２の方向にあるとき、当該少なくとも２つの第２の電極の各々は当該少なくとも２つの電圧を受信する。
【０１０１】
換言すれば、当該立体撮像装置が第１の方向にあるとき、当該少なくとも２つの第１の電極の各々は対応する電圧を受信し、当該少なくとも２つの第２の電極は同一の基準電圧を受信する。当該立体撮像装置が第２の方向にあるとき、当該少なくとも２つの第２の電極の各々は当該対応する電圧を受信し、当該少なくとも２つの第１の電極は同一の基準電圧を受信する。
【０１０２】
本発明の当該実施形態によれば、当該複数の電気光学変調ユニットの各電気光学変調ユニットは、それぞれが複数の電圧を受信するように構成された複数の第１の電極を備える。当該複数の電圧のうち少なくとも２つの電圧は異なり、その結果、当該電気光学変調媒体は、当該複数の第１の電極の各々で受信された複数の電圧と共通電極として使用される少なくとも２つの第２の電極で受信された基準電圧とにより形成された電界の影響の下で軸外レンズの機能を生成して、光線を事前設定された投影方向に偏向する。当該複数の電気光学変調ユニットの各電気光学変調ユニットは、それぞれが複数の電圧を受信するように構成された複数の第２の電極を備える。当該複数の電圧のうち少なくとも２つの電圧は異なり、その結果、当該電気光学変調媒体は、当該複数の第２の電極の各々で受信された複数の電圧と共通電極として使用される少なくとも２つの第１の電極で受信された基準電圧とにより形成された電界の影響の下で軸外レンズの機能を生成して、光線を事前設定された投影方向に偏向する。
【０１０３】
本発明の当該実施形態によれば、当該複数の電気光学変調ユニットの各電気光学変調ユニットは、２つの第１の電極と当該２つの第１の電極の間で接続された抵抗膜とを備える。当該２つの第１の電極の各々は、２つの電圧を受信するように構成される。当該２つの電圧は異なり、その結果、当該電気光学変調媒体は、当該２つの第１の電極の各々で受信された２つの電圧と当該共通電極で受信された基準電圧とにより形成された電界の影響の下で線形位相チルトを有するレンズの機能を生成する。当該複数の電気光学変調ユニットの各電気光学変調ユニットは、２つの第２の電極と当該２つの第２の電極の間で接続された抵抗膜とを備える。当該少なくとも２つの第２の電極に含まれる当該２つの第２の電極の各々は、２つの電圧を受信するように構成される。当該２つの電圧は異なり、その結果、当該電気光学変調媒体は、当該２つの第２の電極の各々で受信された２つの電圧と共通電極として使用される少なくとも２つの第１の電極で受信された基準電圧とにより形成された電界の影響の下で線形位相チルトを有するレンズの機能を生成して、光線を事前設定された投影方向に偏向する。
【０１０４】
本発明の当該実施形態によれば、当該複数の電気光学変調ユニットの各電気光学変調ユニットは、２つの第１の電極と当該２つの第１の電極の間で接続された抵抗膜とを備える。当該２つの第１の電極の各々は、２つの電圧を受信するように構成される。当該２つの電圧は異なり、当該電気光学変調ユニットの各々は１つの第１の電極を隣接する電気光学変調ユニットと共有し、その結果、当該電気光学変調媒体は、当該２つの第１の電極の各々で受信された２つの電圧と共通電極として使用される少なくとも２つの第２の電極で受信された基準電圧とにより形成された電界の影響の下で線形位相チルトを有するレンズの機能を生成する。当該複数の電気光学変調ユニットの各電気光学変調ユニットは、２つの第２の電極と当該２つの第２の電極の間で接続された抵抗膜とを備える。当該２つの第２の電極の各々は、２つの電圧を受信するように構成される。当該２つの電圧は異なり、当該電気光学変調ユニットの各々は１つの第２の電極を隣接する電気光学変調ユニットと共有し、その結果、当該電気光学変調媒体は、当該２つの第２の電極の各々で受信された２つの電圧と共通電極として使用される少なくとも２つの第２の電極で受信された基準電圧とにより形成された電界の影響の下で線形位相チルトを有するレンズの機能を生成して、光線を事前設定された投影方向に偏向する。
【０１０５】
本発明の当該実施形態によれば、ディスプレイ・パネルは異なる投影方向の画像を時分割多重方式で表示し、当該複数の電気光学変調ユニットは、時分割多重方式で変化し受信された電圧構成により形成される電界に従って、当該複数の画素ユニットに表示された画像の光線を当該異なる投影方向に交互に偏向する。当該複数の電気光学変調ユニットは当該複数の画素ユニットと１対１の対応関係にあり、時分割多重方式で変化する当該電界は時分割多重方式で表示された画像と同期して変化する。
【０１０６】
図５は本発明の１実施形態に従うディスプレイ５００の略構造図である。ディスプレイ５００は立体撮像装置５１０、バックライト層５２０、および制御モジュール５３０を備える。バックライト層５２０は当該立体撮像装置の電気光学変調層と重なり合い、バックライトを放射するように構成される。立体撮像装置５１０が上述の実施形態における立体撮像装置であってもよい。制御モジュール５３０は、異なる投影方向の画像を時分割多重方式で表示するように当該立体撮像装置のディスプレイ・パネルを制御し、時分割多重方式で変化する印加された電界に従って、当該ディスプレイ・パネルに表示された画像の光線を交互に当該異なる投影方向に偏向するように当該立体撮像装置の電気光学変調層を制御するように構成される。
【０１０７】
本発明の当該実施形態によれば、制御モジュール５３０は、方向計算サブモジュール５３１、電圧計算サブモジュール５３２、電圧制御サブモジュール５３３、および表示制御サブモジュール５３４を備える。
【０１０８】
立体ディスプレイ（例えば、３Ｄディスプレイ）のコンテンツの切換えが、マイクロレンズのアレイの切換えと同期したままである必要がある。立体ディスプレイのコンテンツが、ローカル・デバイスに格納された異なる形式の同一コンテンツであってもよく、または、クラウドに格納された異なる形式の同一コンテンツであってもよい。以下では、複数の電極を１例として用いた上述の電極構成を用いて立体ディスプレイ・システムを説明する。方向計算サブモジュール５３１は、センサによりフィードバックされた情報に従って画像の投影方向を計算、即ち、情報フィードバックに従って表示内容の投影方向（または投影角）を計算するように構成される。例えば、方向計算サブモジュール６３１が、以下の情報フィードバック、即ち、（１）人間の目追跡器の情報フィードバック、例えば、人間の目の位置の情報、（２）ジャイロスコープの情報フィードバック、（３）加速度センサまたは温度センサのような別のセンサの情報フィードバックを受信してもよい。方向計算サブモジュール５３１が、コンテンツの投影方向の計算結果を電圧計算サブモジュール５３２に提供してもよい。電圧計算サブモジュール５３２は、当該投影方向に従って当該投影方向に対応する電圧構成を計算するように構成される。即ち、電圧計算サブモジュール５３２が、表示されたコンテンツの投影方向の計算結果に従って、対応する電圧構成を取得してもよい。例えば、電極の所望の電圧シーケンス・パターンが計算を実施するかまたはテーブルを問い合わせることで得られ、当該電圧構成（または電圧シーケンス・パターン）が、複数の電極で受信された電圧の値（例えば、Ｖ１、Ｖ２、Ｖ３、およびＶ４）を制御するために電圧制御サブモジュール５３３に入力され、それにより電気光学変調ユニット（例えば、電気的に調節可能な液晶）の位相特徴を制御する。電圧制御サブモジュール５３３は、当該電圧構成に従って、時分割多重方式で変化し当該立体撮像装置の電気光学変調層に適用される電界を制御し、当該画像の光線を当該異なる投影方向に交互に偏向するように当該立体撮像装置の電気光学変調層を制御するように構成される。表示制御サブモジュール５３４は、当該投影方向に従って、当該投影方向に対応する画像を時分割多重方式で表示するように当該立体撮像装置のディスプレイ・パネルを制御するように構成される。
【０１０９】
回転可能な立体撮像装置に対し、当該表示されたコンテンツがクラウドに格納されている場合、当該立体撮像装置が９０度回転していることを示す信号をクラウド・サーバにフィードバックすると、当該クラウド・サーバは、当該立体撮像装置の特定されたスクリーン機能に従って、回転後に立体ディスプレイのコンテンツを当該立体撮像装置に送信してもよい。当該立体撮像装置が配置された端末装置の相違に従って、当該センサが、頭部追跡器、目追跡器、視点追跡器、ジャイロスコープ、または重力加速度計のようなマイクロセンサを備えてもよい。本発明の当該実施形態によれば、適切な裸眼立体ディスプレイ軸を当該センサのフィードバック情報に従って決定してもよく、次いで当該液晶レンズアレイに必要な電圧モードが学習され、次いで立体ディスプレイの適切なコンテンツが表示される。
【０１１０】
本発明の諸実施形態における立体撮像装置およびディスプレイを以上で説明した。本発明の１実施形態における立体撮像装置の電極構成を以下で詳細に説明する。
【０１１１】
図６は本発明の１実施形態に従う立体撮像装置６００の略断面図である。
【０１１２】
当該実施形態では、説明の簡単さのため、電気光学変調層の６つの電気光学変調ユニットのみを示す。当該電気光学変調ユニットの各々において、連続な透明導電膜（即ち、第２の電極）が当該液晶電気光学変調ユニットの１つの面（例えば、入光面）に配置され、４つの導電ストライプ（第１の電極）が当該液晶電気光学変調ユニットの別の面（例えば、出光面）に配置され、共通電圧を当該透明導電膜で受信し対応する電圧を当該４つの導電ストライプで受信することで電界が形成され、その結果、当該対応する電気光学変調ユニットは軸外円筒レンズの効果をもたらす。電気光学変調層全体において、連続な透明導電膜が全体を形成してもよく、当該導電ストライプの各々が画素ユニットのカラムにわたってもよい。
【０１１３】
図６を参照すると、立体撮像装置６００はディスプレイ・パネル６１０、液晶６２０、ガラス蓋板６３０、第１の電極６４０、および第２の電極６５０を備える。第１の電極６４０は一連の導電ストライプであり、これらの導電ストライプが均等に分散してもよく、または不均等に分散してもよい。５つの第１の電極が各画素ユニットに配置されてもよく、各画素ユニットの端電極は隣接画素の端電極でもある。このように、平均して４つの電極が実際には各画素ユニットに配置され、４つの受電電圧はＶ１、Ｖ２、Ｖ３、およびＶ４である。例えば、Ｖ１、Ｖ２、Ｖ３、およびＶ４が約５Ｖの電圧であってもよいが、本発明に従う当該実施形態はそれに限定されない。例えば、２．６Ｖと２１Ｖの間の電圧を実際の要件に従って選択してもよい。第２の電極６５０は連続な透明導電薄膜であり、ディスプレイ・パネル６１０と液晶６２０の間に配置される。電極電圧Ｖｎを調節することによって、要件を満たす位相分布を各画素ユニットに対応する液晶上に生成することができる。液晶は不連続な電圧を平滑化する傾向の性質を有するので、要件を満たす位相分布を生成するには４つを超える電圧分布で十分である。第１の電極で受信された電圧を非常に高い周波数（例えば、約５０ＨＺ）で＋Ｖｎと−Ｖｎの間で切り換えて、直流（ＤＣ）電圧を安定に保ってもよい。各画素ユニットの大きさを７５μｍ以下に設定してもよい。
【０１１４】
図７は本発明の別の実施形態に従う立体撮像装置７００の略図である。
【０１１５】
当該実施形態では、説明の簡単さのため、電気光学変調層の６つの電気光学変調ユニットのみを示す。当該電気光学変調ユニットの各々において、連続な透明導電膜（即ち、第２の電極）は当該液晶電気光学変調ユニットの１つの面（例えば、入光面）に配置され、導電ストライプの間に接続された抵抗膜（第１の電極）は当該液晶電気光学変調ユニットの別の面（例えば、出光面）に配置され、共通電圧を当該透明導電膜で受信し対応する電圧を当該導電ストライプで受信することによって電界が形成される。その結果、当該対応する電気光学変調ユニットが線形位相を有するレンズの効果をもたらす。電気光学変調層全体において、連続な透明導電膜が全体を形成してもよく、当該導電ストライプの間で接続された抵抗膜が画素ユニットのカラムにわたってもよい。
【０１１６】
図７を参照すると、立体撮像装置７００はディスプレイ・パネル７１０、液晶７２０、ガラス蓋板７３０、第１の電極７４０、および第２の電極７５０を備える。第１の電極７４０を、２つの導電ストライプの間で接続された抵抗膜により形成してもよい。電極ギャップが隣接画素ユニットの第１の電極の間に存在する。第１の電極の各々の２つの導電ストライプが異なる電圧Ｖ（例えば、Ｖ＝０およびＶ＞Ｖｔｈ）を受信して、抵抗膜上に線形に分配された電圧を形成する。特に、当該２つの導電ストライプがＩＴＯ透明導電膜であってもよい。電圧Ｖ＝０およびＶ＞Ｖｔｈは当該２つの導電ストライプの各々で受信される。抵抗膜は伝導率Ｒを有するので、２つの導電ストライプの間で接続された抵抗膜には線形電圧降下があり、図７の折畳み線で示すように、液晶に線形位相ランプを提供させる。
【０１１７】
図８は本発明の別の実施形態に従う立体撮像装置８００の略図である。図８は、図８の立体撮像装置の異なる状態の間の切換えの略図である。立体撮像装置８００は、ディスプレイ・パネル８１０、液晶８２０、ガラス蓋板８３０、第１の電極８４０、および第２の電極８５０を備える。
【０１１８】
図８の実施形態は、第１の電極８４０が２つの導電ストライプの間で接続された抵抗膜によっても形成されるという点で図７の実施形態と同様であるが、図８の実施形態における違いは、導電ストライプを再利用する解決策が使用されること、即ち、隣接する電気光学変調ユニットが１つの導電ストライプを共有し、時間間隔および空間間隔でビームを制御することによって最大解像度が実装されることである。特に、図８の折畳み線で示すように、各画素ユニットは２つの導電ストライプを有し、電圧Ｖ１およびＶ２を当該２つの導電ストライプで受信することで三角相遅延分布を生成することができる。図８の（ａ）に示すように、第１の期間（例えば、第１の画像フレーム）において、隣接画素を通過する光線は２つの異なる方向に（左目方向および右目方向に）偏向する。Ｖ１およびＶ２が第２の画像フレームで交換される場合、当該三角相分布がシフトされる。当該位相分布により、光が以前のフレームとは異なる方向に偏向される。したがって、全ての画素ユニットの光線が第１のフレームにおいて左目観察方向に偏向され、全ての画素ユニットの光線が第２のフレームにおいて右目観察方向に偏向される方法と異なり、当該実施形態では、第１のフレームにおいて、第１の部分の選択された画素ユニットの光線は左目観察方向に偏向され、第２の部分の選択された画素ユニットの光線は右目観察方向に偏向され、次いで、次のフレームにおいて、第１の部分の選択された画素ユニットの光線は右目観察方向に偏向され、第２の部分の選択された画素ユニットの光線は右目観察方向に偏向される。人間の視覚系の持続性のため、時間において異なる１つの方向の２つの画像が１つの画像に見えることがわかる。したがって、図７の当該実施形態と同じ画像解像度が得られうる。
【０１１９】
図９は本発明の実施形態に従う立体撮像装置の２つの表示状態の略図である。図９の（ａ）および（ｂ）はそれぞれ、２つの異なる状態の間の、図８の（ａ）および（ｂ）における対応する三角相モードの光学的な振舞いの特徴の切換えを示す。図９の（ａ）は第１の状態を示す。即ち、第１の期間において、画素ユニットＡは光線を左目観察方向に偏向し、画素ユニットＢは光線を右目観察方向に偏向する。図９の（ｂ）は第２の状態を示す。即ち、第２の期間において、当該画素ユニットは位相モードを変更し、偏向方向を交換させる。即ち、画素ユニットＡは光線を右目観察方向に偏向し、画素ユニットＢは光線を左目観察方向に偏向する。
【０１２０】
図１０は本発明の別の実施形態に従う立体撮像装置の電極構成の略図である。
【０１２１】
当該実施形態では、当該立体撮像装置の電極構成が、当該立体撮像装置の液晶層の片側（例えば、出光面）に分配された複数の第１の電極と、当該立体撮像装置の液晶層の別の側（入光面）に分配された複数の第２の電極を備えてもよい。当該複数の第１の電極および当該複数の第２の電極を直交して配置してもよい。即ち、第１の電極の長手方向と第２の電極の長手方向が９０度の角度を形成してもよい。本発明の当該実施形態はそれに限定されない。例えば、第１の電極および第２の電極の間に含まれる角度が９０度より小さくてもよい。上述の実施形態との違いは、第１の電極および第２の電極の両方が、複数の導電ストライプを使用するか、または、２つの導電ストライプと当該２つの導電ストライプの間で接続された抵抗膜とを含むということである。
【０１２２】
当該実施形態では、当該立体撮像装置が第１の方向にあるとき、当該複数の第１の電極がレンズ効果をもたらすのに必要な電圧を受信してもよく、当該複数の第２の電極は同一の基準電圧（例えば、０Ｖ）を受信するための共通電極として使用され、回転後に当該立体撮像装置が第２の方向にあるとき、当該複数の第１の電極は同一の基準電圧を受信するための共通電極として使用され、当該複数の第２の電極は当該レンズ効果をもたらすために使用される電圧を受信する。その結果、当該立体撮像装置が回転した後、ユーザは依然として立体画像を見ることができる。第１の電極および第２の電極が直交する例を以下で説明に用いる。基準電圧が０Ｖより大きくてもよく、例えば、０．５Ｖであってもよいことは理解される。電極（例えば、第１の電極または第２の電極）で受信された基準電圧が、例えば、Ｖ０Ｖであるとき、当該電極に対応する別の電極（例えば、第２の電極または第１の電極）が純交流電圧にＶ０Ｖを加えたものを受信すべきである。
【０１２３】
特に、（一連の導電ストライプを含む）ＩＴＯ透明導電膜電極を液晶層の上面および底面の両方に配置してもよい。例えば、画素ユニットＰ（ｍ、ｎ）ごとに、４つの電極がｙ方向に沿って当該液晶層の上面に配置され、４つの電極がｘ方向に沿って当該液晶層の底面に配置される。全体でＭ×Ｎ個の画素ユニットがあると仮定すると、ｘ方向には４Ｍ個の電極であり、ｙ方向には４Ｎ個の電極がある。さらに、同一の電位が同一面上の電極に設定されるとき、ほぼ平滑な電位分布がこれらの電極の近傍に生成されるように、隣接電極の間隔を最適化してもよい。例えば、当該液晶層の同一の液晶面に配置された電極間の距離を同一に設定してもよく、または、電極が配置された２つの液晶面間の距離未満に設定してもよい。
【０１２４】
本発明の当該実施形態によれば、立体表示装置が動作するとき、表示中の方向を指すために、液晶面上の全ての電極が、接地板の役割を果たすために０Ｖの電圧を受信し、基準面の役割を果たすために特定の電圧を受信してもよく、別の液晶面上の電極が、軸外レンズ・パターン（ｏｆｆ−ａｘｉｓ  ｌｅｎｓ  ｐａｔｔｅｒｎｓ）を生成するのに必要な電圧を受信する。このように、裸眼立体ディスプレイ軸が対応する方向にあることを保証することができる。当該立体撮像装置が９０度回転したと検出すると、当該立体撮像装置は、当該２つの電極面上の電圧設定を交換することによって、当該裸眼立体ディスプレイ軸を別の方向に切り替えてもよい。
【０１２５】
本発明の当該実施形態における時分割多重方法を、液晶レンズを１例として用いることによって以下で詳細に説明する。
【０１２６】
ユーザが立体画像を見れるようにするために、位相ランプを有する軸外液晶レンズまたは液晶レンズを、様々な状態の間で迅速に切り替えてもよい。
【０１２７】
例えば、２つの投影方向（Ｑ＝２）がありリフレッシュ速度（ｒｅｆｒｅｓｈ  ｒａｔｅ）ｆｒｅｆｒｅｓｈ＝２５Ｈｚであるケースでは、切換え時間（ｓｗｉｔｃｈｉｎｇ  ｔｉｍｅ）τ＜２０ミリ秒であることが要求され、ｆｒｅｆｒｅｓｈ＝２５Ｈｚおよび投影方向Ｑ＝４であるケースでは、切換え時間τ＜１０ミリ秒であり、投影方向Ｑ＝８であるケースでは、切換え時間τ＜５ミリ秒であり、切換え時間τ＝１／（Ｑ＊ｆｒｅｆｒｅｓｈ）である。液晶が或る状態から別の状態に切り替わるのに特定の時間量を要する（従来の平面ネマチック液晶分子では、スイッチオン時間は約２ミリ秒であり、緩和時間は約１００ミリ秒である）。当該スイッチオン時間および当該緩和時間は光学セル（ｃｅｌｌ）の厚さ、液晶材料、受電電圧、および温度についての関数である。スイッチオン時間および緩和時間を減らすための方法はオーバードライブ電極を使用する（即ち、高＋ｖｅまたは−ｖｅ電圧パルスを受信する）ことであり、液晶分子を、当該オーバードライブ電極を用いることによって所望の状態に強制的に変化させることができる。次いで、ディスプレイのバックライトを鼓動方式で生成することによって、残存瞬間切換え効果を回避することができる。これを行う目的は、液晶の位相分布が安定する前に光線が液晶レンズアレイに投射されないことを保証することである。本発明に従う当該実施形態はそれに限定されず、別の迅速な切換え技術を使用してもよい。例えば、πタイプの光学セル（ｐｉ−ｃｅｌｌ）の構成を使用してもよく、πタイプの光学セルの切換え時間は平面配向（ｐｌａｎａｒ  ａｌｉｇｎｅｄ）光学セルの切換え時間よりもかなり短い。
【０１２８】
したがって、複数のユーザ／複数の投影方向の解決策が実装されるとき、切換え時間を最小化する必要がある。これを、光学セルの間の空間を減らすことによって実現することができる。確かに、切換え時間を、パイ・セルまたはオーバードライブ電圧を用いることで削減してもよい。
【０１２９】
図１１は本発明の１実施形態に従う立体撮像方法の略流れ図である。図１１の立体撮像方法は以下の内容を含む。
【０１３０】
１１１０：画像を複数の画素ユニットに時分割多重方式で表示する。
【０１３１】
１１２０：時分割多重方式で変化する電界を複数の電気光学変調ユニットに印加する。
【０１３２】
１１３０：時分割多重方式で変化する電界に従って、当該複数の画素ユニットに表示された画像の光線を異なる投影方向に交互に偏向する。時分割多重方式で変化する電界は時分割多重方式で表示された画像と同期して変化する。
【０１３３】
本発明の当該実施形態によれば、複数の画素ユニットは複数の電気光学変調ユニットと１対１の対応関係にある。１１２０において、電界を、当該複数の画素ユニットの各画素ユニットの少なくとも１つの第１の電極と少なくとも１つの第２の電極層との間で電圧構成を受信するステップにより形成してもよい。
【０１３４】
本発明の当該実施形態によれば、１１２０において、少なくとも２つの電圧を当該複数の電気光学変調ユニットの各電気光学変調ユニットの少なくとも２つの第１の電極の各々で受信してもよく、基準電圧を当該少なくとも１つの第２の電極で受信してもよい。
【０１３５】
本発明の当該実施形態によれば、１１２０において、複数の電圧を当該複数の電気光学変調ユニットの各電気光学変調ユニットの複数の第１の電極の各々で受信してもよい。当該複数の電圧のうち少なくとも２つの電圧は異なり、その結果、当該複数の電気光学変調ユニットは、当該複数の第１の電極の各々で受信された複数の電圧と当該少なくとも１つの第２の電極で受信された基準電圧とにより形成された電界の影響の下で軸外レンズの機能を生成して、光線を事前設定された投影方向に偏向する。
【０１３６】
本発明の当該実施形態によれば、１１２０において、２つの電圧を当該複数の電気光学変調ユニットの各電気光学変調ユニットの抵抗膜に接続された２つの第１の電極の各々で受信してもよい。当該２つの電圧は異なり、その結果、当該電気光学変調ユニットの各々は、当該２つの第１の電極の各々で受信された２つの電圧と当該少なくとも１つの第２の電極で受信された基準電圧とにより形成された電界の影響の下で線形位相チルトを有するレンズの機能を生成して、光線を事前設定された投影方向に偏向する。
【０１３７】
本発明の当該実施形態によれば、１１３０において、当該複数の電気光学変調ユニットの各電気光学変調ユニットが、当該少なくとも２つの第１の電極と共通電極として使用される少なくとも１つの第２の電極との間で受信された第１の電圧構成により形成された電界に従って、当該電気光学変調ユニットの各々に対応する画素ユニットに表示された画像の光線を第１の投影方向に第１の期間において偏向してもよく、当該複数の電気光学変調ユニットの各電気光学変調ユニットが、当該少なくとも２つの第１の電極と共通電極として使用される少なくとも１つの第２の電極との間で受信された第２の電圧構成により形成された電界に従って、当該電気光学変調ユニットの各々に対応する画素ユニットに表示された画像の光線を第２の投影方向に第２の期間において偏向してもよい。第１の電圧構成は第２の電圧構成と異なり、その結果、時分割多重方式で変化する電界が第１の期間および第２の期間において形成される。
【０１３８】
本発明の当該実施形態によれば、１１２０において、２つの電圧を当該複数の電気光学変調ユニットの各電気光学変調ユニットの抵抗膜に接続された２つの第１の電極の各々で受信してもよい。当該２つの電圧は異なり、当該電気光学変調ユニットの各々は１つの第１の電極を隣接する電気光学変調ユニットと共有し、その結果、当該電気光学変調ユニットの各々は、当該２つの第１の電極の各々で受信された２つの電圧と当該少なくとも１つの第２の電極で受信された基準電圧とにより形成された電界の影響の下で線形位相チルトを有するレンズの機能を生成して、光線を事前設定された投影方向に偏向する。
【０１３９】
本発明の当該実施形態によれば、１１３０において、当該複数の電気光学変調ユニットの各電気光学変調ユニットが、当該２つの第１の電極と当該少なくとも１つの第２の電極との間で受信された第１の電圧構成に従って、当該電気光学変調ユニットの各々に対応する画素ユニットに表示された画像の光線を第１の投影方向に第１の期間において偏向してもよい。当該複数の電気光学変調ユニットの各電気光学変調ユニットが、当該２つの第１の電極と当該少なくとも１つの第２の電極との間で受信された第２の電圧構成に従って、当該電気光学変調ユニットの各々に対応する画素ユニットに表示された画像の光線を第２の投影方向に第２の期間において偏向してもよい。当該隣接する電気光学変調ユニットが、当該隣接する電気光学変調ユニットの２つの第１の電極と当該少なくとも１つの第２の電極との間で受信された第２の電圧構成に従って、当該隣接する電気光学変調ユニットに対応する画素ユニットに表示された画像の光線を第２の投影方向に第１の期間において偏向してもよい。当該隣接する電気光学変調ユニットが、当該隣接する電気光学変調ユニットの２つの第１の電極と当該少なくとも１つの第２の電極との間で受信された第１の電圧構成に従って、当該隣接する電気光学変調ユニットに対応する画素ユニットに表示された画像の光線を第１の投影方向に第２の期間において偏向してもよい。第１の電圧構成は第２の電圧構成と異なり、その結果、時分割多重方式で変化する電界が第１の期間および第２の期間において形成される。
【０１４０】
本発明の当該実施形態によれば、当該複数の電気光学変調ユニットの各電気光学変調ユニットの少なくとも２つの第２の電極の配置方向は当該少なくとも２つの第１の電極の配置方向と異なる。１１２０において、当該立体撮像装置が第１の方向にあるとき、当該少なくとも２つの電圧を当該少なくとも２つの第１の電極の各々で受信してもよく、基準電圧を共通電極として使用される少なくとも２つの第２の電極で受信してもよい。図１１の立体撮像方法はさらに、当該立体撮像装置が第２の方向にあるとき、共通電極として使用される少なくとも２つの第１の電極で基準電圧を受信し、当該少なくとも２つの電圧を当該少なくとも２つの第２の電極の各々で受信するステップを含む。
【０１４１】
本発明の当該実施形態によれば、１１２０において、複数の電圧を当該複数の電気光学変調ユニットの各電気光学変調ユニットの複数の第２の電極の各々で受信してもよい。当該複数の電圧のうち少なくとも２つの電圧は異なり、その結果、当該電気光学変調ユニットの各々は、当該複数の第２の電極の各々で受信された複数の電圧と共通電極として使用される少なくとも２つの第１の電極で受信された基準電圧とにより形成された電界の影響の下で軸外レンズの機能を生成して、光線を事前設定された投影方向に偏向する。
【０１４２】
本発明の当該実施形態によれば、１１２０において、２つの電圧を当該複数の電気光学変調ユニットの各電気光学変調ユニットの抵抗膜に接続された２つの第２の電極の各々で受信してもよい。当該２つの電圧は異なり、その結果、当該電気光学変調ユニットの各々は、当該２つの第２の電極の各々で受信された２つの電圧と共通電極として使用される少なくとも２つの第１の電極で受信された基準電圧とにより形成された電界の影響の下で線形位相チルトを有するレンズの機能を生成する。
【０１４３】
本発明の当該実施形態によれば、１１３０において、当該複数の電気光学変調ユニットの各電気光学変調ユニットが、共通電極として使用される少なくとも２つの第１の電極と当該少なくとも２つの第２の電極との間で受信された第３の電圧構成に従って、当該電気光学変調ユニットの各々に対応する画素ユニットに表示された画像の光線を第３の投影方向に第３の期間において偏向してもよく、当該複数の電気光学変調ユニットの各電気光学変調ユニットが、共通電極として使用される少なくとも２つの第１の電極と当該少なくとも２つの第２の電極との間で受信された第４の電圧構成に従って、当該電気光学変調ユニットの各々に対応する画素ユニットに表示された画像の光線を第４の投影方向に第４の期間において偏向してもよい。第３の電圧構成は第４の電圧構成とは異なり、その結果、時分割多重方式で変化する電界が第３の期間および第４の期間において形成される。
【０１４４】
本発明の当該実施形態によれば、１１２０において、２つの電圧を当該複数の電気光学変調ユニットの各電気光学変調ユニットの抵抗膜に接続された２つの第２の電極の各々で受信してもよい。当該２つの電圧は異なり、当該電気光学変調ユニットの各々は１つの第２の電極を隣接する電気光学変調ユニットと共有し、その結果、当該電気光学変調ユニットの各々は、当該２つの第２の電極の各々で受信された２つの電圧と共通電極として使用される少なくとも２つの第１の電極で受信された基準電圧とにより形成された電界の影響の下で線形位相チルトを有するレンズの機能を生成して、光線を事前設定された投影方向に偏向する。
【０１４５】
本発明の当該実施形態によれば、１１３０において、当該複数の電気光学変調ユニットの各電気光学変調ユニットが、当該２つの第１の電極と共通電極として使用される少なくとも２つの第２の電極との間で受信された第３の電圧構成に従って、当該電気光学変調ユニットの各々に対応する画素ユニットに表示された画像の光線を第３の投影方向に第３の期間において偏向してもよく、当該複数の電気光学変調ユニットの各電気光学変調ユニットが、共通電極として使用される当該２つの第１の電極と当該２つの第２の電極との間で受信された第４の電圧構成に従って、当該電気光学変調ユニットの各々に対応する画素ユニットに表示された画像の光線を第４の投影方向に第４の期間において偏向してもよく、当該隣接する電気光学変調ユニットが、共通電極として使用される２つの第１の電極と当該隣接する電気光学変調ユニットの少なくとも２つの第２の電極との間で受信された第４の電圧構成に従って、当該隣接する電気光学変調ユニットに対応する画素ユニットに表示された画像の光線を第４の投影方向に第３の期間において偏向してもよい。当該隣接する電気光学変調ユニットが、共通電極として使用される当該２つの第２の電極と当該隣接する電気光学変調ユニットの２つの第１の電極との間で受信された第４の電圧構成に従って、当該隣接する電気光学変調ユニットに対応する画素ユニットに表示された画像の光線を第３の投影方向に第４の期間において偏向してもよい。第３の電圧構成は第４の電圧構成とは異なり、その結果、時分割多重方式で変化する電界が第３の期間および第４の期間において形成される。
【０１４６】
図１２は本発明の１実施形態に従う立体撮像方法の略流れ図である。図１２の立体撮像方法は以下の内容を含む。
【０１４７】
１２１０：画像を複数の画素ユニットに表示する。
【０１４８】
１２２０：複数の電気光学変調ユニットの各電気光学変調ユニットの少なくとも２つの第１の電極と少なくとも２つの第２の電極との間で電圧構成を受信して、電界を形成する。
【０１４９】
１２３０：当該電界に従って、当該電気光学変調ユニットの各々に対応する画素ユニットに表示された画像の光線を事前設定された投影方向に偏向する。当該少なくとも２つの第１の電極の配置方向は当該少なくとも２つの第２の電極の配置方向とは異なる。
【０１５０】
１２２０において、当該立体撮像装置が第１の方向にあるとき、少なくとも２つの電圧を当該少なくとも２つの第１の電極の各々で受信してもよく、当該少なくとも２つの第２の電極を共通電極として使用して、基準電圧を受信してもよく、当該立体撮像装置が第２の方向にあるとき、当該少なくとも２つの第１の電極を共通電極として使用して、基準電圧を受信してもよい。当該少なくとも２つの電圧を当該少なくとも２つの第２の電極の各々で受信してもよい。
【０１５１】
１２２０において、複数の電圧を複数の第１の電極の各々で受信してもよい。当該複数の電圧のうち少なくとも２つの電圧は異なり、その結果、当該電気光学変調ユニットの各々は、当該複数の第１の電極の各々で受信された複数の電圧と共通電極として使用される少なくとも２つの第２の電極で受信された基準電圧とにより形成された電界の影響の下で軸外レンズの機能を生成する。複数の電圧を複数の第２の電極の各々で受信してもよい。当該複数の電圧のうち少なくとも２つの電圧は異なり、その結果、当該電気光学変調ユニットの各々は、当該複数の第２の電極の各々で受信された複数の電圧と共通電極として使用される少なくとも２つの第１の電極で受信された基準電圧とにより形成された電界の影響の下で軸外レンズの機能を生成して、光線を事前設定された投影方向に偏向する。
【０１５２】
１２２０において、２つの電圧を抵抗膜に接続された２つの第１の電極の各々で受信してもよい。当該２つの電圧は異なり、その結果、当該電気光学変調ユニットの各々は、当該２つの第１の電極の各々で受信された２つの電圧と共通電極として使用される少なくとも２つの第２の電極で受信された基準電圧とにより形成された電界の影響の下で線形位相チルトを有するレンズの機能を生成する。２つの電圧を抵抗膜に接続された２つの第２の電極の各々で受信してもよい。当該２つの電圧は異なり、その結果、当該電気光学変調ユニットの各々は、当該２つの第２の電極の各々で受信された２つの電圧と共通電極として使用される少なくとも２つの第１の電極で受信された基準電圧とにより形成された電界の影響の下で線形位相チルトを有するレンズの機能を生成して、光線を事前設定された投影方向に偏向する。
【０１５３】
１２２０において、２つの電圧を抵抗膜に接続された２つの第１の電極の各々で受信してもよい。当該２つの電圧は異なり、当該電気光学変調ユニットの各々は１つの第１の電極を隣接する電気光学変調ユニットと共有し、その結果、当該電気光学変調ユニットの各々は、当該２つの第１の電極の各々で受信された２つの電圧と共通電極として使用される少なくとも２つの第２の電極で受信された基準電圧とにより形成された電界の影響の下で線形位相チルトを有するレンズの機能を生成する。２つの電圧を抵抗膜に接続された２つの第２の電極の各々で受信してもよい。当該２つの電圧は異なり、当該電気光学変調ユニットの各々は１つの第２の電極を隣接する電気光学変調ユニットと共有し、その結果、当該電気光学変調ユニットの各々は、当該２つの第２の電極の各々で受信された２つの電圧と共通電極として使用される少なくとも２つの第１の電極で受信された基準電圧とにより形成された電界の影響の下で線形位相チルトを有するレンズの機能を生成して、光線を事前設定された投影方向に偏向する。
【０１５４】
本発明の当該実施形態によれば、当該複数の電気光学変調ユニットは当該複数の画素ユニットと１対１の対応関係にある。１２１０において、異なる投影方向の画像を当該複数の画素ユニットに時分割多重方式で表示してもよい。１２２０において、時分割多重方式で変化する電圧構成を、当該複数の電気光学変調ユニットの各電気光学変調ユニットの当該少なくとも２つの第１の電極および当該少なくとも２つの第２の電極の間に印加して、時分割多重方式で変化する電界を形成してもよい。
【０１５５】
当業者は、本明細書で開示した諸実施形態で説明した例と組み合わせて、ユニットおよびアルゴリズムのステップを電子ハードウェアまたはコンピュータソフトウェアと電子ハードウェアの組合せにより実装してもよいことに気付くことができる。当該機能をハードウェアで実施するかまたはソフトウェアで実施するかは、特定の適用例および当該技術的解決策の設計制約条件に依存する。当業者は、説明した機能を特定の適用例ごとに実装するために様々な方法を使用してもよいが、当該実装が本発明の範囲を超えるとは考えるべきではない。
【０１５６】
説明の便宜および簡単さの目的のため、上述のシステム、装置、およびユニットの詳細な動作プロセスについては上述の方法の実施形態における対応するプロセスを参照し、詳細についてはここでは再度説明しないことは当業者により明確に理解できる。
【０１５７】
本願で提供した幾つかの実施形態において、開示したシステム、装置、および方法を他の方式で実装してもよいことは理解される。例えば、説明した装置の実施形態は例示的なものにすぎない。例えば、当該ユニット分割は論理的な機能分割にすぎず、実際の実装では他の分割であってもよい。例えば、複数のユニットまたはコンポーネントを組み合わせるかもしくは別のシステムに統合してもよく、または、幾つかの機能を無視するかもしくは実施しなくてもよい。さらに、表示または議論された相互接続または直接接続または通信接続を、幾つかのインタフェースを用いて実装してもよい。当該装置またはユニットの間の間接接続または通信接続を電子的、機械的、または他の形で実装してもよい。
【０１５８】
別々の部分として説明したユニットが物理的に別々であってもなくてもよく、ユニットとして表示した部分が物理的なユニットであってもなくてもよく、１つの位置に配置されてもよく、または、複数のネットワークユニットに分散されてもよい。当該ユニットの一部または全部を、諸実施形態の解決策の目的を達成するための実際のニーズに従って選択してもよい。
【０１５９】
さらに、本発明の諸実施形態における機能ユニットを１つの処理ユニットに統合してもよく、または、当該ユニットの各々が物理的に単体で存在してもよく、または、２つ以上のユニットが１つのユニットに統合される。
【０１６０】
当該機能をソフトウェア機能ユニットの形で実装し独立な製品として販売または使用するとき、当該機能をコンピュータ可読記憶媒体に格納してもよい。かかる理解に基づいて、本発明の技術的解決策を本質的に、または、先行技術に寄与する部分、または当該技術的解決策の一部を、ソフトウェア製品の形態で実装してもよい。当該コンピュータソフトウェア製品は記憶媒体に格納され、本発明の諸実施形態で説明した方法のステップの全部または一部を実施するようにコンピュータデバイス（パーソナル・コンピュータ、サーバ、またはネットワークデバイスであってもよい）に指示するための幾つかの命令を含む。上述の記憶媒体には、ＵＳＢフラッシュ・ドライブ、取外し可能ハード・ディスク、読取専用メモリ（ＲＯＭ、Ｒｅａｄ−Ｏｎｌｙ  Ｍｅｍｏｒｙ）、ランダム・アクセス・メモリ（ＲＡＭ、Ｒａｎｄｏｍ  Ａｃｃｅｓｓ  Ｍｅｍｏｒｙ）、磁気ディスク、または光ディスクのような、プログラム・コードを格納できる任意の媒体が含まれる。
【０１６１】
以上の説明は、本発明の具体的な実装方式にすぎず、本発明の保護範囲を限定しようとするものではない。本発明で開示した技術的範囲において当業者により容易に想到される任意の変形または置換えは本発明の保護範囲内に入るものとする。したがって、本発明の保護範囲は特許請求の範囲の保護範囲に支配されるものとする。
【符号の説明】
【０１６２】
５１０  立体撮像装置
５２０  バックライト層
５３０  制御モジュール
５３１  方向計算サブモジュール
５３２  電圧計算サブモジュール
５３３  電圧制御サブモジュール
５３４  表示制御サブモジュール
【図１】
2016533070.tif 000003
【図４】
2016533070.tif 000004
【図５】
2016533070.tif 000005
【図６】
2016533070.tif 000006
【図７】
2016533070.tif 000007
【図８】
2016533070.tif 000008
【図９】
2016533070.tif 000009
【図１０】
2016533070.tif 000010
【図１１】
2016533070.tif 000011
【図１２】
2016533070.tif 000012
【図２】
2016533070.tif 000013
【図３】
2016533070.tif 000014
【手続補正書】
【提出日】平成28年3月10日(2016.3.10)
【手続補正１】
【補正対象書類名】明細書
【補正対象項目名】００３８
【補正方法】変更
【補正の内容】
【００３８】
第４の態様の第２の可能な実装方式を参照して、第４の可能な実装方式では、少なくとも２つの電圧を、当該複数の電気光学変調ユニットの各電気光学変調ユニットの少なくとも２つの第１の電極の各々で受信し、基準電圧を当該少なくとも１つの第２の電極で受信するステップは、２つの電圧を、当該複数の電気光学変調ユニットの各電気光学変調ユニットの抵抗膜に接続された２つの第１の電極の各々で受信するステップを含む。当該２つの電圧は異なり、その結果、当該電気光学変調ユニットの各々は、当該２つの第１の電極の各々で受信された２つの電圧と当該少なくとも１つの第２の電極で受信された基準電圧とにより形成された電界の影響の下で線形位相チルトを有するレンズとして機能して、光線を事前設定された投影方向に偏向する。
【手続補正２】
【補正対象書類名】明細書
【補正対象項目名】００４０
【補正方法】変更
【補正の内容】
【００４０】
第４の態様の第２の可能な実装方式を参照して、第６の可能な実装方式では、少なくとも２つの電圧を、当該複数の電気光学変調ユニットの各電気光学変調ユニットの少なくとも２つの第１の電極の各々で受信し、基準電圧を当該少なくとも１つの第２の電極で受信するステップは、２つの電圧を、当該複数の電気光学変調ユニットの各電気光学変調ユニットの抵抗膜に接続された２つの第１の電極の各々で受信するステップを含む。当該２つの電圧は異なり、当該電気光学変調ユニットの各々は１つの第１の電極を隣接する電気光学変調ユニットと共有し、その結果、当該電気光学変調ユニットの各々は、当該２つの第１の電極の各々で受信された２つの電圧と当該少なくとも１つの第２の電極で受信された基準電圧とにより形成された電界の影響の下で線形位相チルトを有するレンズとして機能して、光線を事前設定された投影方向に偏向する。
【手続補正３】
【補正対象書類名】明細書
【補正対象項目名】００４３
【補正方法】変更
【補正の内容】
【００４３】
第４の態様の第８の可能な実装方式を参照して、第９の可能な実装方式では、当該少なくとも２つの電圧を当該少なくとも２つの第２の電極の各々で受信するステップは、複数の電圧を当該複数の電気光学変調ユニットの各電気光学変調ユニットの複数の第２の電極の各々で受信するステップを含む。当該複数の電圧のうち少なくとも２つの電圧は異なり、その結果、当該電気光学変調ユニットの各々は、当該複数の第２の電極の各々で受信された複数の電圧と共通電極として使用される少なくとも２つの第１の電極で受信された基準電圧とにより形成された電界の影響の下で軸外レンズとして機能して、光線を事前設定された投影方向に偏向する。
【手続補正４】
【補正対象書類名】明細書
【補正対象項目名】００４４
【補正方法】変更
【補正の内容】
【００４４】
第４の態様の第８の可能な実装方式を参照して、第１０の可能な実装方式では、当該少なくとも２つの電圧を当該少なくとも２つの第２の電極の各々で受信するステップは、２つの電圧を、当該複数の電気光学変調ユニットの各電気光学変調ユニットの抵抗膜に接続された２つの第２の電極の各々で受信するステップを含む。当該２つの電圧は異なり、その結果、当該電気光学変調ユニットの各々は、当該２つの第２の電極の各々で受信された２つの電圧と共通電極として使用される少なくとも２つの第１の電極で受信された基準電圧とにより形成された電界の影響の下で線形位相チルトを有するレンズとして機能して、光線を事前設定された投影方向に偏向する。
【手続補正５】
【補正対象書類名】明細書
【補正対象項目名】００４６
【補正方法】変更
【補正の内容】
【００４６】
第４の態様の第８の可能な実装方式を参照して、第１２の可能な実装方式では、当該少なくとも２つの電圧を当該少なくとも２つの第２の電極の各々で受信するステップは、２つの電圧を、当該複数の電気光学変調ユニットの各電気光学変調ユニットの抵抗膜に接続された２つの第２の電極の各々で受信するステップを含む。当該２つの電圧は異なり、当該電気光学変調ユニットの各々は１つの第２の電極を隣接する電気光学変調ユニットと共有し、その結果、当該電気光学変調ユニットの各々は、当該２つの第２の電極の各々で受信された２つの電圧と共通電極として使用される少なくとも２つの第１の電極で受信された基準電圧とにより形成された電界の影響の下で線形位相チルトを有するレンズとして機能して、光線を事前設定された投影方向に偏向する。
【手続補正６】
【補正対象書類名】明細書
【補正対象項目名】００５０
【補正方法】変更
【補正の内容】
【００５０】
第５の態様の第１の可能な実装方式を参照して、第２の可能な実装方式では、少なくとも２つの電圧を少なくとも２つの第１の電極の各々で受信するステップは、複数の電圧を複数の第１の電極の各々で受信するステップを含む。当該複数の電圧のうち少なくとも２つの電圧は異なり、その結果、当該電気光学変調ユニットの各々は、当該複数の第１の電極の各々で受信された複数の電圧と共通電極として使用される少なくとも２つの第２の電極で受信された基準電圧とにより形成された電界の影響の下で軸外レンズとして機能して、光線を事前設定された投影方向に偏向する。当該少なくとも２つの電圧を当該少なくとも２つの第２の電極の各々で受信するステップは、複数の電圧を複数の第２の電極の各々で受信するステップを含む。当該複数の電圧のうち少なくとも２つの電圧は異なり、その結果、当該電気光学変調ユニットの各々は、当該複数の第２の電極の各々で受信された複数の電圧と共通電極として使用される少なくとも２つの第１の電極で受信された基準電圧とにより形成された電界の影響の下で軸外レンズとして機能して、光線を事前設定された投影方向に偏向する。
【手続補正７】
【補正対象書類名】明細書
【補正対象項目名】００５１
【補正方法】変更
【補正の内容】
【００５１】
第５の態様の第１の可能な実装方式を参照して、第３の可能な実装方式では、少なくとも２つの電圧を少なくとも２つの第１の電極の各々で受信するステップは、２つの電圧を抵抗膜に接続された２つの第１の電極の各々で受信するステップを含む。当該２つの電圧は異なり、その結果、当該電気光学変調ユニットの各々は、当該２つの第１の電極の各々で受信された２つの電圧と共通電極として使用される少なくとも２つの第２の電極で受信された基準電圧とにより形成された電界の影響の下で線形位相チルトを有するレンズとして機能して、光線を事前設定された投影方向に偏向する。当該少なくとも２つの電圧を当該少なくとも２つの第２の電極の各々で受信するステップは、２つの電圧を抵抗膜に接続された２つの第２の電極の各々で受信するステップを含む。当該２つの電圧は異なり、その結果、当該電気光学変調ユニットの各々は、当該２つの第２の電極の各々で受信された２つの電圧と共通電極として使用される少なくとも２つの第１の電極で受信された基準電圧とにより形成された電界の影響の下で線形位相チルトを有するレンズとして機能して、光線を事前設定された投影方向に偏向する。
【手続補正８】
【補正対象書類名】明細書
【補正対象項目名】００５２
【補正方法】変更
【補正の内容】
【００５２】
第５の態様の第１の可能な実装方式を参照して、第４の可能な実装方式では、少なくとも２つの電圧を少なくとも２つの第１の電極の各々で受信するステップは、２つの電圧を抵抗膜に接続された２つの第１の電極の各々で受信するステップを含む。当該２つの電圧は異なり、当該電気光学変調ユニットの各々は１つの第１の電極を隣接する電気光学変調ユニットと共有し、その結果、当該電気光学変調ユニットの各々は、当該２つの第１の電極の各々で受信された２つの電圧と共通電極として使用される少なくとも２つの第２の電極で受信された基準電圧とにより形成された電界の影響の下で線形位相チルトを有するレンズとして機能して、光線を事前設定された投影方向に偏向する。当該少なくとも２つの電圧を当該少なくとも２つの第２の電極の各々で受信するステップは、２つの電圧を抵抗膜に接続された２つの第２の電極の各々で受信するステップを含む。当該２つの電圧は異なり、当該電気光学変調ユニットの各々は１つの第２の電極を隣接する電気光学変調ユニットと共有し、その結果、当該電気光学変調ユニットの各々は、当該２つの第２の電極の各々で受信された２つの電圧と共通電極として使用される少なくとも２つの第１の電極で受信された基準電圧とにより形成された電界の影響の下で線形位相チルトを有するレンズとして機能して、光線を事前設定された投影方向に偏向する。
【手続補正９】
【補正対象書類名】明細書
【補正対象項目名】００５４
【補正方法】変更
【補正の内容】
【００５４】
本発明の諸実施形態の技術的解決策によれば、異なる方向の画像を時分割多重方式で表示してもよく、複数の画素ユニットに表示された画像の光線が時分割多重方式で変化する印加された電界に従って異なる方向に偏向され、その結果、各方向に表示された画像の解像度はディスプレイ・パネルの全ての画素ユニットを含み、それにより裸眼立体ディスプレイの解像度を改善する。
【手続補正１０】
【補正対象書類名】明細書
【補正対象項目名】００６２
【補正方法】変更
【補正の内容】
【００６２】
例えば、当該複数の電気光学変調ユニットが当該画素ユニット上に直接配置されてもよく、または、当該複数の画素ユニットを完全に覆うかまたは包む位置に配置されてもよい。例えば、当該画素ユニットと当該電気光学変調ユニットの間に間隔（ｓｐａｃｅ）またはスペーサ（フィルタ、仕切り板、断熱板等）が存在する。
【手続補正１１】
【補正対象書類名】明細書
【補正対象項目名】００６５
【補正方法】変更
【補正の内容】
【００６５】
電気光学変調層１２０において、当該電気光学変調ユニットの各々に含まれる液晶は電界が印加された後のマイクロレンズと等価であり、当該複数の電気光学変調ユニットはマイクロレンズのアレイを形成する。図２は、本発明の１実施形態に従う、電界が電気光学変調ユニットに印加される前後の液晶分子状態の略図である。例えば、図２の（ａ）を参照すると、ネマチック液晶材料に関して、液晶分子は杖状の形状であり１つの軸を有し、杖状の液晶分子の長手方向は長軸方向である。図２の（ｂ）を参照すると、同一面に配置された液晶分子に対して、電圧が印加されていない場合、当該液晶分子の長軸は特定の方向を指す。図２の（ｃ）を参照すると、印加された電圧が液晶の閾値電圧を超えると、当該液晶分子がリダイレクトされ、即ち、機械的に回転され、入射光線の位相偏移をもたらす。かかる機械的回転は、印加された電圧により誘導される双極子モーメントにより生ずるトルクによりもたらされる。
【手続補正１２】
【補正対象書類名】明細書
【補正対象項目名】００７１
【補正方法】変更
【補正の内容】
【００７１】
図３は、本発明の１実施形態に従う立体撮像装置の異なる表示状態の略図である。図３の（ａ）を参照すると、第１の電界が印加される場合、液晶は第１の電界の影響下でプリズムを形成して、バックライトがディスプレイ・パネルを通過した後に生成された光線を右目観察方向に偏向する。図３の（ｂ）を参照すると、第２の電界が印加される場合、当該液晶は、第２の電界の影響下でプリズムを形成して、バックライトが当該ディスプレイ・パネルを通過した後に生成された光線を左目観察方向に偏向する。図３の（ｃ）を参照すると、電界が印加されていない場合には、当該液晶は光線を偏向させず、この場合、二次元画像を提供することができる。
【手続補正１３】
【補正対象書類名】明細書
【補正対象項目名】００７３
【補正方法】変更
【補正の内容】
【００７３】
本発明の当該実施形態によれば、両眼立体視差の視野（ｖｉｅｗ）が各時点で表示され、ディスプレイ・パネルの空間は従来の技術的解決策で行われるようには分割されない。したがって、従来の技術のものと比較すると、本発明の立体撮像装置の解像度はより高い。
【手続補正１４】
【補正対象書類名】明細書
【補正対象項目名】００７６
【補正方法】変更
【補正の内容】
【００７６】
本発明の当該実施形態によれば、複数の電気光学変調ユニットは複数の画素ユニットと１対１の対応関係にあり、電気光学変調層は、電気光学変調媒体を備え出光面と入光面を有する電気光学変調媒体層と、当該電気光学変調媒体層の出光面に配置された電極を備えた第１の電極層と、当該電気光学変調媒体層の入光面に配置された電極を備えた第２の電極層とを備える。当該複数の電気光学変調ユニットの各電気光学変調ユニットは、当該電気光学変調媒体層に配置された電気光学変調媒体と、第１の電極層に配置された少なくとも１つの第１の電極と、第２の電極層に配置された少なくとも１つの第２の電極とを備える。当該電気光学変調媒体は、当該少なくとも１つの第１の電極および当該少なくとも１つの第２の電極で受信された電圧構成により形成された電界に従って、当該電気光学変調媒体に対応する画素ユニットに表示された画像の光線を事前設定された投影方向に偏向する。
【手続補正１５】
【補正対象書類名】明細書
【補正対象項目名】００７９
【補正方法】変更
【補正の内容】
【００７９】
当該少なくとも２つの第１の電極が一連の導電ストライプであってもよく、当該導電ストライプが電圧を受信したときに当該電気光学変調ユニットがマイクロレンズとして光を偏向できるかまたは線形位相の効果を生成できるように当該導電ストライプが配置される限り、当該導電ストライプが均等に分散されてもよく、または不均等に分散されてもよい。第１の電極の各々で受信した電圧と基準電圧との間の電位差により対応する電界が液晶層に形成される。基準電圧が例えば０Ｖであってもよい。
【手続補正１６】
【補正対象書類名】明細書
【補正対象項目名】００８０
【補正方法】変更
【補正の内容】
【００８０】
本発明の当該実施形態によれば、複数の電気光学変調ユニットの各電気光学変調ユニットは、それぞれが複数の電圧を受信するように構成された複数の第１の電極を備える。当該複数の電圧のうち少なくとも２つの電圧は異なり、その結果、当該電気光学変調媒体が、当該複数の第１の電極の各々で受信された複数の電圧と共通電極として使用される少なくとも１つの第２の電極で受信された基準電圧とにより形成された電界の影響の下で軸外レンズとして機能して、光線を事前設定された投影方向に偏向する。
【手続補正１７】
【補正対象書類名】明細書
【補正対象項目名】００８１
【補正方法】変更
【補正の内容】
【００８１】
本発明の当該実施形態によれば、これらの電極で受信された電圧を調節することによって、電界を液晶層において生成して、当該液晶層に対する所望の位相構成を生成することができる。様々な位相構成が様々な電圧構成および電極分布に依存する。例えば、当該電気光学変調ユニットの各々が４つの第１の電極を含んでもよい。第１の電極の１つは画素ユニットの端に位置する。第１の電極はそれぞれ、Ｖ１、Ｖ２、Ｖ３、およびＶ４を受信する。当該電気光学変調ユニットの各々が、４つを超えるかまたは４つ未満の第１の電極を備えてもよい。液晶の平滑性の特徴により、４つの電極がほぼ平滑な位相分布を生成するのに十分である。
【手続補正１８】
【補正対象書類名】明細書
【補正対象項目名】００８２
【補正方法】変更
【補正の内容】
【００８２】
本発明の当該実施形態によれば、当該複数の電気光学変調ユニットの各電気光学変調ユニットは、２つの第１の電極と当該２つの第１の電極を接続する抵抗膜とを備える。当該２つの第１の電極の各々は、２つの電圧を受信するように構成される。第１の電極によって受信される電圧は異なり、その結果、当該電気光学変調媒体は、当該２つの第１の電極で受信された２つの電圧と共通電極として使用される少なくとも１つの第２の電極で受信された基準電圧とにより形成された電界の影響の下で線形位相チルトを有するレンズとして機能して、光線を事前設定された投影方向に偏向する。
【手続補正１９】
【補正対象書類名】明細書
【補正対象項目名】００８３
【補正方法】変更
【補正の内容】
【００８３】
例えば、当該２つの第１の電極がＩＴＯ材料製の２つの導電ストライプであってもよく、当該電気光学変調ユニットの各々の２つの反対の端に沿って配置され、所定の間隔が、隣接する電気光学変調ユニットの当該２つの第１の電極および第１の電極の間に保たれる。当該連続抵抗膜が特定の抵抗性を有する透明材料で製造されていてもよく、当該２つの導電ストライプを接続する。その結果、当該２つの第１の電極が異なる電圧を受信するとき、連続的に変化する電圧分布が当該抵抗膜に生成される。連続的に変化する電圧分布と基準電圧との間の電位差により、当該抵抗膜により覆われた液晶層において連続的に変化する電界分布を生成し、連続的に変化する電界分布により、当該抵抗膜に対応する液晶は線形位相チルトを有するレンズの機能を生成して、光線を事前設定された投影方向に偏向することができる。
【手続補正２０】
【補正対象書類名】明細書
【補正対象項目名】００８６
【補正方法】変更
【補正の内容】
【００８６】
本発明の当該実施形態によれば、当該複数の電気光学変調ユニットの各電気光学変調ユニットは、２つの第１の電極と当該２つの第１の電極を接続する抵抗膜とを備える。当該２つの第１の電極の各々は、異なる２つの電圧を受信するように構成される。当該電気光学変調ユニットの各々は１つの第１の電極を隣接する電気光学変調ユニットと共有し、その結果、当該電気光学変調媒体は、当該２つの第１の電極の各々で受信された２つの電圧と共通電極として使用される少なくとも１つの第２の電極で受信された基準電圧とにより形成された電界の影響の下で線形位相チルトを有するレンズとして機能して、光線を事前設定された投影方向に偏向する。
【手続補正２１】
【補正対象書類名】明細書
【補正対象項目名】００８７
【補正方法】変更
【補正の内容】
【００８７】
本発明の当該実施形態によれば、当該複数の電気光学変調ユニットの各電気光学変調ユニットは、当該２つの第１の電極と少なくとも１つの第２の電極との間で受信された第１の電圧構成に従って、当該電気光学変調媒体に対応する画素ユニットに表示された画像の光線を第１の投影方向に第１の期間において偏向し、当該２つの第１の電極と少なくとも１つの第２の電極との間で受信された第２の電圧構成に従って、当該電気光学変調媒体に対応する画素ユニットに表示された画像の光線を第２の投影方向に第２の期間において偏向し、当該隣接する電気光学変調ユニットは、当該隣接する電気光学変調ユニットの２つの第１の電極と少なくとも１つの第２の電極との間で受信された第２の電圧構成に従って、当該隣接する電気光学変調ユニットの電気光学変調媒体に対応する画素ユニットに表示された画像の光線を第２の投影方向に第１の期間において偏向し、当該隣接する電気光学変調ユニットの２つの第１の電極と少なくとも１つの第２の電極との間で受信された第１の電圧構成に従って、当該隣接する電気光学変調ユニットの電気光学変調媒体に対応する画素ユニットに表示された画像の光線を第１の投影方向に第２の期間において偏向する。第１の電圧構成は第２の電圧構成と異なり、その結果、時分割多重方式で変化する電界が第１の期間および第２の期間において形成される。
【手続補正２２】
【補正対象書類名】明細書
【補正対象項目名】００８８
【補正方法】変更
【補正の内容】
【００８８】
本発明の当該実施形態によれば、当該複数の電気光学変調ユニットの各電気光学変調ユニットは、少なくとも２つの第２の電極を備える。当該少なくとも２つの第２の電極の配置方向は当該少なくとも２つの第１の電極の配置方向とは異なる。当該立体撮像装置が第１の方向にあるとき、当該少なくとも２つの第１の電極の各々は当該少なくとも２つの電圧を受信し、当該少なくとも２つの第２の電極は基準電圧を受信するための共通電極として使用される。当該立体撮像装置が第２の方向にあるとき、当該少なくとも２つの第１の電極は基準電圧を受信するための共通電極として使用され、当該少なくとも２つの第２の電極の各々は当該少なくとも２つの電圧を受信する。
【手続補正２３】
【補正対象書類名】明細書
【補正対象項目名】００８９
【補正方法】変更
【補正の内容】
【００８９】
本発明の当該実施形態によれば、当該複数の電気光学変調ユニットの各電気光学変調ユニットは、それぞれが複数の電圧を受信するように構成された複数の第２の電極を備える。当該複数の電圧のうち少なくとも２つの電圧は異なり、その結果、当該電気光学変調媒体は、当該複数の第２の電極の各々で受信された複数の電圧と共通電極として使用される少なくとも２つの第１の電極で受信された基準電圧とにより形成された電界の影響の下で軸外レンズとして機能して、光線を事前設定された投影方向に偏向する。
【手続補正２４】
【補正対象書類名】明細書
【補正対象項目名】００９０
【補正方法】変更
【補正の内容】
【００９０】
本発明の当該実施形態によれば、当該複数の電気光学変調ユニットの各電気光学変調ユニットは、２つの第２の電極と当該２つの第２の電極を接続する抵抗膜とを備える。当該２つの第２の電極の各々は、２つの電圧を受信するように構成され、当該２つの電圧は異なり、その結果、当該電気光学変調媒体は、当該２つの第２の電極の各々で受信された２つの電圧と共通電極として使用される少なくとも２つの第１の電極で受信された基準電圧とにより形成された電界の影響の下で線形位相チルトを有するレンズとして機能して、光線を事前設定された投影方向に偏向する。
【手続補正２５】
【補正対象書類名】明細書
【補正対象項目名】００９２
【補正方法】変更
【補正の内容】
【００９２】
本発明の当該実施形態によれば、当該複数の電気光学変調ユニットの各電気光学変調ユニットは、２つの第２の電極と当該２つの第２の電極を接続する抵抗膜とを備える。当該２つの第２の電極の各々は、２つの電圧を受信するように構成される。当該２つの電圧は異なり、当該電気光学変調ユニットの各々は１つの第２の電極を隣接する電気光学変調ユニットと共有し、その結果、当該電気光学変調媒体は、当該２つの第２の電極の各々で受信された２つの電圧と共通電極として使用される少なくとも２つの第１の電極で受信された基準電圧とにより形成された電界の影響の下で線形位相チルトを有するレンズとして機能して、光線を事前設定された投影方向に偏向する。
【手続補正２６】
【補正対象書類名】明細書
【補正対象項目名】００９３
【補正方法】変更
【補正の内容】
【００９３】
本発明の当該実施形態によれば、当該複数の電気光学変調ユニットの各電気光学変調ユニットは、当該２つの第１の電極と共通電極として使用される少なくとも２つの第２の電極との間で受信された第３の電圧構成に従って、当該電気光学変調媒体に対応する画素ユニットに表示された画像の光線を第３の投影方向に第３の期間において偏向し、共通電極として使用される当該２つの第１の電極と当該２つの第２の電極との間で受信された第４の電圧構成に従って、当該電気光学変調媒体に対応する画素ユニットに表示された画像の光線を第４の投影方向に第４の期間において偏向する。当該隣接する電気光学変調ユニットは、共通電極として使用される２つの第１の電極と当該隣接する電気光学変調ユニットの少なくとも２つの第２の電極との間で受信された第４の電圧構成に従って、当該隣接する電気光学変調ユニットの電気光学変調媒体に対応する画素ユニットに表示された画像の光線を第４の投影方向に第３の期間において偏向し、共通電極として使用される当該２つの第２の電極と当該隣接する電気光学変調ユニットの２つの第１の電極との間で受信された第３の電圧構成に従って、当該隣接する電気光学変調ユニットの電気光学変調媒体に対応する画素ユニットに表示された画像の光線を第３の投影方向に第４の期間において偏向する。第３の電圧構成は第４の電圧構成とは異なり、その結果、時分割多重方式で変化する電界が第３の期間および第４の期間において形成される。
【手続補正２７】
【補正対象書類名】明細書
【補正対象項目名】０１００
【補正方法】変更
【補正の内容】
【０１００】
本発明の当該実施形態によれば、当該立体撮像装置が第１の方向にあるとき、当該少なくとも２つの第１の電極の各々は少なくとも２つの電圧を受信する。当該立体撮像装置が第２の方向にあるとき、当該少なくとも２つの第１の電極は基準電圧を受信するための共通電極として使用される。当該立体撮像装置が第１の方向にあるとき、当該少なくとも２つの第２の電極は基準電圧を受信するための共通電極として使用される。当該立体撮像装置が第２の方向にあるとき、当該少なくとも２つの第２の電極の各々は当該少なくとも２つの電圧を受信する。
【手続補正２８】
【補正対象書類名】明細書
【補正対象項目名】０１０１
【補正方法】変更
【補正の内容】
【０１０１】
換言すれば、当該立体撮像装置が第１の方向にあるとき、当該少なくとも２つの第１の電極の各々は対応する電圧を受信し、当該少なくとも２つの第２の電極は同一の基準電圧を受信する。対照的に、当該立体撮像装置が第２の方向にあるとき、当該少なくとも２つの第２の電極の各々は当該対応する電圧を受信し、当該少なくとも２つの第１の電極は同一の基準電圧を受信する。
【手続補正２９】
【補正対象書類名】明細書
【補正対象項目名】０１０２
【補正方法】変更
【補正の内容】
【０１０２】
本発明の当該実施形態によれば、当該複数の電気光学変調ユニットの各電気光学変調ユニットは、それぞれが、少なくとも２つの異なる電圧を含む複数の電圧を受信するように構成された複数の第１の電極を備え、その結果、当該電気光学変調媒体は、当該複数の第１の電極の各々で受信された複数の電圧と共通電極として使用される少なくとも２つの第２の電極で受信された基準電圧とにより形成された電界の影響の下で軸外レンズとして機能して、光線を事前設定された投影方向に偏向する。当該複数の電気光学変調ユニットの各電気光学変調ユニットは、それぞれが、少なくとも２つの異なる電圧を含む複数の電圧を受信するように構成された複数の第２の電極を備える。当該複数の電圧のうち少なくとも２つの電圧は異なり、その結果、当該電気光学変調媒体は、当該複数の第２の電極の各々で受信された複数の電圧と共通電極として使用される少なくとも２つの第１の電極で受信された基準電圧とにより形成された電界の影響の下で軸外レンズとして機能して、光線を事前設定された投影方向に偏向する。
【手続補正３０】
【補正対象書類名】明細書
【補正対象項目名】０１０３
【補正方法】変更
【補正の内容】
【０１０３】
本発明の当該実施形態によれば、当該複数の電気光学変調ユニットの各電気光学変調ユニットは、２つの第１の電極と当該２つの第１の電極を接続する抵抗膜とを備える。当該２つの第１の電極はそれぞれ２つの電圧を受信するように構成される。当該２つの電圧は異なり、その結果、当該電気光学変調媒体は、当該２つの第１の電極の各々で受信された２つの電圧と当該共通電極で受信された基準電圧とにより形成された電界の影響の下で線形位相チルトを有するレンズとして機能する。当該複数の電気光学変調ユニットの各電気光学変調ユニットは、２つの第２の電極と当該２つの第２の電極を接続する抵抗膜とを備える。当該少なくとも２つの第２の電極に含まれる当該２つの第２の電極の各々は、異なる２つの電圧を受信するように構成され、その結果、当該電気光学変調媒体は、当該２つの第２の電極の各々で受信された２つの電圧と共通電極として使用される少なくとも２つの第１の電極で受信された基準電圧とにより形成された電界の影響の下で線形位相チルトを有するレンズとして機能して、光線を事前設定された投影方向に偏向する。
【手続補正３１】
【補正対象書類名】明細書
【補正対象項目名】０１０４
【補正方法】変更
【補正の内容】
【０１０４】
本発明の当該実施形態によれば、当該複数の電気光学変調ユニットの各電気光学変調ユニットは、２つの第１の電極と当該２つの第１の電極を接続する抵抗膜とを備える。当該２つの第１の電極の各々は、異なる２つの電圧を受信するように構成される。当該電気光学変調ユニットの各々は１つの第１の電極を隣接する電気光学変調ユニットと共有し、その結果、当該電気光学変調媒体は、当該２つの第１の電極の各々で受信された２つの電圧と共通電極として使用される少なくとも２つの第２の電極で受信された基準電圧とにより形成された電界の影響の下で線形位相チルトを有するレンズとして機能する。当該複数の電気光学変調ユニットの各電気光学変調ユニットは、２つの第２の電極と当該２つの第２の電極を接続する抵抗膜とを備える。当該２つの第２の電極は、２つの電圧を受信するように構成される。当該２つの電圧は異なり、当該電気光学変調ユニットの各々は１つの第２の電極を隣接する電気光学変調ユニットと共有し、その結果、当該電気光学変調媒体は、当該２つの第２の電極の各々で受信された２つの電圧と共通電極として使用される少なくとも２つの第２の電極で受信された基準電圧とにより形成された電界の影響の下で線形位相チルトを有するレンズとして機能して、光線を事前設定された投影方向に偏向する。
【手続補正３２】
【補正対象書類名】明細書
【補正対象項目名】０１０６
【補正方法】変更
【補正の内容】
【０１０６】
図５は本発明の１実施形態に従うディスプレイ５００の略構造図である。ディスプレイ５００は立体撮像装置５１０、バックライト層５２０、および制御モジュール５３０を備える。バックライト層５２０は当該立体撮像装置の電気光学変調層と重なり合い、バックライトを放射するように構成される。立体撮像装置５１０が上述の実施形態の何れかにおける立体撮像装置であってもよい。制御モジュール５３０は、異なる投影方向の画像を時分割多重方式で表示するように当該立体撮像装置のディスプレイ・パネルを制御し、時分割多重方式で変化する印加された電界に従って、当該ディスプレイ・パネルに表示された画像の光線を交互に当該異なる投影方向に偏向するように当該立体撮像装置の電気光学変調層を制御するように構成される。
【手続補正３３】
【補正対象書類名】明細書
【補正対象項目名】０１０８
【補正方法】変更
【補正の内容】
【０１０８】
立体ディスプレイ（例えば、３Ｄディスプレイ）のコンテンツの切換えが、マイクロレンズのアレイの切換えと同期する必要がある。立体ディスプレイのコンテンツが、ローカル・デバイスに格納された異なる形式の同一コンテンツであってもよく、または、クラウドに格納された異なる形式の同一コンテンツであってもよい。以下では、複数の電極を１例として用いた上述の電極構成を用いて立体ディスプレイ・システムを説明する。方向計算サブモジュール５３１は、センサによりフィードバックされた情報に従って画像の投影方向を計算、即ち、情報フィードバックに従って表示内容の投影方向（または投影角）を計算するように構成される。例えば、方向計算サブモジュール５３１が、以下の情報フィードバック、即ち、（１）人間の目追跡器の情報フィードバック、例えば、人間の目の位置の情報、（２）ジャイロスコープの情報フィードバック、（３）加速度センサまたは温度センサのような別のセンサの情報フィードバックを受信してもよい。方向計算サブモジュール５３１が、コンテンツの投影方向の計算結果を電圧計算サブモジュール５３２に提供してもよい。電圧計算サブモジュール５３２は、当該投影方向に従って当該投影方向に対応する電圧構成を計算するように構成される。即ち、電圧計算サブモジュール５３２が、表示されたコンテンツの投影方向の計算結果に従って、対応する電圧構成を取得してもよい。例えば、電極の所望の電圧シーケンス・パターンが計算を実施するかまたはテーブルを問い合わせることで得られ、当該電圧構成（または電圧シーケンス・パターン）が、複数の電極で印加された電圧の値（例えば、Ｖ１、Ｖ２、Ｖ３、およびＶ４）を制御するために電圧制御サブモジュール５３３に入力され、それにより電気光学変調ユニット（例えば、電気的に調節可能な液晶）の位相特徴を制御する。電圧制御サブモジュール５３３は、当該電圧構成に従って、時分割多重方式で変化し当該立体撮像装置の電気光学変調層に適用される電界を制御し、当該画像の光線を当該異なる投影方向に交互に偏向するように当該立体撮像装置の電気光学変調層を制御するように構成される。表示制御サブモジュール５３４は、当該投影方向に従って、当該投影方向に対応する画像を時分割多重方式で表示するように当該立体撮像装置のディスプレイ・パネルを制御するように構成される。
【手続補正３４】
【補正対象書類名】明細書
【補正対象項目名】０１０９
【補正方法】変更
【補正の内容】
【０１０９】
回転可能な立体撮像装置に対し、当該表示されたコンテンツがクラウドに格納されている場合、当該立体撮像装置が９０度回転していることを示す信号をクラウド・サーバにフィードバックすると、当該クラウド・サーバは、当該立体撮像装置の特定されたスクリーン機能に従って、回転後に立体ディスプレイのコンテンツを当該立体撮像装置に送信してもよい。当該立体撮像装置が配置された様々な端末装置を適合させるために、当該センサが、頭部追跡器、目追跡器、視点追跡器、ジャイロスコープ、または重力加速度計のようなマイクロセンサを備えてもよい。本発明の当該実施形態によれば、適切な裸眼立体ディスプレイ軸を当該センサのフィードバック情報に従って決定してもよく、次いで当該液晶レンズアレイに必要な電圧モードが学習され、次いで立体ディスプレイの適切なコンテンツが表示される。
【手続補正３５】
【補正対象書類名】明細書
【補正対象項目名】０１１２
【補正方法】変更
【補正の内容】
【０１１２】
当該実施形態では、説明の簡単さのため、電気光学変調層の６つの電気光学変調ユニットのみを示す。当該電気光学変調ユニットの各々において、連続な透明導電膜（即ち、第２の電極）が当該液晶電気光学変調ユニットの１つの面（例えば、入光面）に配置され、４つの導電ストライプ（第１の電極）が当該液晶電気光学変調ユニットの別の面（例えば、出光面）に配置され、共通電圧を当該透明導電膜で受信し対応する電圧を当該４つの導電ストライプで受信することで電界が形成され、その結果、当該対応する電気光学変調ユニットは軸外円筒レンズとして機能する。電気光学変調層全体において、連続な透明導電膜が全体を形成してもよく、当該導電ストライプの各々が画素ユニットのカラムにわたってもよい。
【手続補正３６】
【補正対象書類名】明細書
【補正対象項目名】０１１３
【補正方法】変更
【補正の内容】
【０１１３】
図６を参照すると、立体撮像装置６００はディスプレイ・パネル６１０、液晶６２０、ガラス蓋板６３０、第１の電極６４０、および第２の電極６５０を備える。第１の電極６４０は一連の導電ストライプであり、これらの導電ストライプが均等に分散してもよく、または不均等に分散してもよい。５つの第１の電極が各画素ユニットに配置されてもよく、各画素ユニットの端電極は隣接画素ユニットの端電極でもある。このように、平均して４つの電極が実際には各画素ユニットに配置され、４つの受電電圧はＶ１、Ｖ２、Ｖ３、およびＶ４である。例えば、Ｖ１、Ｖ２、Ｖ３、およびＶ４が約５Ｖの電圧であってもよいが、本発明に従う当該実施形態はそれに限定されない。例えば、２．６Ｖと２１Ｖの間の電圧を実際の要件に従って選択してもよい。第２の電極６５０は連続な透明導電薄膜であり、ディスプレイ・パネル６１０と液晶６２０の間に配置される。電極電圧Ｖｎを調節することによって、要件を満たす位相分布を各画素ユニットに対応する液晶上に生成することができる。液晶は不連続な電圧を平滑化する傾向の性質を有するので、要件を満たす位相分布を生成するには４つを超える電圧分布で十分である。第１の電極で受信された電圧を非常に高い周波数（例えば、約５０ＨＺ）で＋Ｖｎと−Ｖｎの間で切り換えて、直流（ＤＣ）電圧を安定に保ってもよい。各画素ユニットの大きさを７５μｍ以下に設定してもよい。
【手続補正３７】
【補正対象書類名】明細書
【補正対象項目名】０１１５
【補正方法】変更
【補正の内容】
【０１１５】
当該実施形態では、説明の簡単さのため、電気光学変調層の６つの電気光学変調ユニットのみを示す。当該電気光学変調ユニットの各々において、連続な透明導電膜（即ち、第２の電極）は当該液晶電気光学変調ユニットの１つの面（例えば、入光面）に配置され、導電ストライプを接続する抵抗膜（第１の電極）は当該液晶電気光学変調ユニットの別の面（例えば、出光面）に配置され、共通電圧を当該透明導電膜で受信し対応する電圧を当該導電ストライプで受信することによって電界が形成される。その結果、当該対応する電気光学変調ユニットが線形位相を有するレンズとして機能する。電気光学変調層全体において、連続な透明導電膜が全体を形成してもよく、当該導電ストライプを接続する抵抗膜が画素ユニットのカラムにわたってもよい。
【手続補正３８】
【補正対象書類名】明細書
【補正対象項目名】０１１６
【補正方法】変更
【補正の内容】
【０１１６】
図７を参照すると、立体撮像装置７００はディスプレイ・パネル７１０、液晶７２０、ガラス蓋板７３０、第１の電極７４０、および第２の電極７５０を備える。第１の電極７４０を、２つの導電ストライプを接続する抵抗膜により形成してもよい。電極ギャップが隣接画素ユニットの第１の電極の間に存在する。第１の電極の各々の２つの導電ストライプが異なる電圧Ｖ（例えば、Ｖ＝０およびＶ＞Ｖｔｈ）を受信して、抵抗膜上に線形に分配された電圧を形成する。特に、当該２つの導電ストライプがＩＴＯ透明導電膜であってもよい。電圧Ｖ＝０およびＶ＞Ｖｔｈは当該２つの導電ストライプの各々で受信される。抵抗膜は伝導率Ｒを有するので、２つの導電ストライプを接続する抵抗膜には線形電圧降下があり、図７の折畳み線で示すように、液晶に線形位相ランプを提供させる。
【手続補正３９】
【補正対象書類名】明細書
【補正対象項目名】０１１８
【補正方法】変更
【補正の内容】
【０１１８】
図８の実施形態は、第１の電極８４０が２つの導電ストライプを接続する抵抗膜によっても形成されるという点で図７の実施形態と同様であるが、図８の実施形態における違いは、導電ストライプを再利用する解決策が使用されること、即ち、隣接する電気光学変調ユニットが１つの導電ストライプを共有し、時間間隔および空間間隔でビームを制御することによって最大解像度が実装されることである。特に、図８の折畳み線で示すように、各画素ユニットは２つの導電ストライプを有し、電圧Ｖ１およびＶ２を当該２つの導電ストライプで受信することで三角相遅延分布を生成することができる。図８の（ａ）に示すように、第１の期間（例えば、第１の画像フレーム）において、隣接画素ユニットを通過する光線は２つの異なる方向に（左目方向および右目方向に）偏向する。Ｖ１およびＶ２が第２の画像フレームで交換される場合、当該三角相分布がシフトされる。当該位相分布により、光が以前のフレームとは異なる方向に偏向される。したがって、全ての画素ユニットの光線が第１のフレームにおいて左目観察方向に偏向され、全ての画素ユニットの光線が第２のフレームにおいて右目観察方向に偏向される方法と異なり、当該実施形態では、第１のフレームにおいて、第１の部分の選択された画素ユニットの光線は左目観察方向に偏向され、第２の部分の選択された画素ユニットの光線は右目観察方向に偏向される。次のフレームにおいて、次いで、第１の部分の選択された画素ユニットの光線は右目観察方向に偏向され、第２の部分の選択された画素ユニットの光線は右目観察方向に偏向される。人間の視覚系の持続性のため、時間において異なる１つの方向の２つの画像が１つの画像に見えることがわかる。したがって、図７の当該実施形態と同じ画像解像度が得られうる。
【手続補正４０】
【補正対象書類名】明細書
【補正対象項目名】０１２１
【補正方法】変更
【補正の内容】
【０１２１】
当該実施形態では、当該立体撮像装置の電極構成が、当該立体撮像装置の液晶層の片側（例えば、出光面）に分配された複数の第１の電極と、当該立体撮像装置の液晶層の別の側（入光面）に分配された複数の第２の電極を備えてもよい。当該複数の第１の電極および当該複数の第２の電極を直交して配置してもよい。即ち、第１の電極の長手方向と第２の電極の長手方向が９０度の角度を形成してもよい。本発明の当該実施形態はそれに限定されない。例えば、第１の電極および第２の電極の間に含まれる角度が９０度より小さくてもよい。上述の実施形態との違いは、第１の電極および第２の電極の両方が、複数の導電ストライプを使用するか、または、２つの導電ストライプと当該２つの導電ストライプを接続する抵抗膜とを含むということである。
【手続補正４１】
【補正対象書類名】明細書
【補正対象項目名】０１２２
【補正方法】変更
【補正の内容】
【０１２２】
当該実施形態では、当該立体撮像装置が第１の方向にあるとき、当該複数の第１の電極がレンズ効果をもたらすのに必要な電圧を受信してもよく、当該複数の第２の電極は同一の基準電圧（例えば、０Ｖ）を受信するための共通電極として使用される。回転後に当該立体撮像装置が第２の方向にあるとき、当該複数の第１の電極は同一の基準電圧を受信するための共通電極として使用され、当該複数の第２の電極は当該レンズ効果をもたらすために使用される電圧を受信する。その結果、当該立体撮像装置が回転した後、ユーザは依然として立体画像を見ることができる。第１の電極および第２の電極が直交する例を以下で説明に用いる。基準電圧が０Ｖより大きくてもよく、例えば、０．５Ｖであってもよいことは理解される。電極（例えば、第１の電極または第２の電極）で受信された基準電圧が、例えば、Ｖ０電圧であるとき、当該電極に対応する別の電極（例えば、第２の電極または第１の電極）が純交流電圧にＶ０Ｖを加えたものを受信すべきである。
【手続補正４２】
【補正対象書類名】明細書
【補正対象項目名】０１２４
【補正方法】変更
【補正の内容】
【０１２４】
本発明の当該実施形態によれば、立体表示装置が動作するとき、表示中の方向を指すために、液晶面上の全ての電極が、接地板の役割を果たすために０Ｖの電圧を受信し、基準面の役割を果たすために特定の電圧を受信してもよく、別の液晶面上の電極が、軸外レンズ・パターン（ｏｆｆ−ａｘｉｓ  ｌｅｎｓ  ｐａｔｔｅｒｎｓ）を生成するのに必要な電圧を受信する。このように、裸眼立体ディスプレイ軸が対応する方向にあることが保証される。当該立体撮像装置が９０度回転したと検出すると、当該立体撮像装置は、当該２つの電極面上の電圧設定を交換することによって、当該裸眼立体ディスプレイ軸を別の方向に切り替えてもよい。
【手続補正４３】
【補正対象書類名】明細書
【補正対象項目名】０１２８
【補正方法】変更
【補正の内容】
【０１２８】
したがって、複数のユーザまたは複数の投影方向の解決策が実装されるとき、切換え時間を最小化する必要がある。これを、光学セルの間の空間を減らすことによって実現することができる。確かに、切換え時間を、パイ・セルおよびオーバードライブ電圧を用いることで削減してもよい。
【手続補正４４】
【補正対象書類名】明細書
【補正対象項目名】０１２９
【補正方法】変更
【補正の内容】
【０１２９】
図１１は本発明の１実施形態に従う立体撮像方法の略流れ図である。図１１の立体撮像方法は以下のステップを含む。
【手続補正４５】
【補正対象書類名】明細書
【補正対象項目名】０１３６
【補正方法】変更
【補正の内容】
【０１３６】
本発明の当該実施形態によれば、１１２０において、２つの電圧を当該複数の電気光学変調ユニットの各電気光学変調ユニットの抵抗膜に接続された２つの第１の電極の各々で受信してもよい。当該２つの電圧は異なり、その結果、当該電気光学変調ユニットの各々は、当該２つの第１の電極の各々で受信された２つの電圧と当該少なくとも１つの第２の電極で受信された基準電圧とにより形成された電界の影響の下で線形位相チルトを有するレンズとして機能して、光線を事前設定された投影方向に偏向する。
【手続補正４６】
【補正対象書類名】明細書
【補正対象項目名】０１３７
【補正方法】変更
【補正の内容】
【０１３７】
本発明の当該実施形態によれば、１１３０において、当該複数の電気光学変調ユニットの各電気光学変調ユニットが、当該少なくとも２つの第１の電極と共通電極として使用される少なくとも１つの第２の電極との間で受信された第１の電圧構成により形成された電界に従って、当該電気光学変調ユニットの各々に対応する画素ユニットに表示された画像の光線を第１の投影方向に第１の期間において偏向してもよい。当該複数の電気光学変調ユニットの各電気光学変調ユニットが、当該少なくとも２つの第１の電極と共通電極として使用される少なくとも１つの第２の電極との間で受信された第２の電圧構成により形成された電界に従って、当該電気光学変調ユニットの各々に対応する画素ユニットに表示された画像の光線を第２の投影方向に第２の期間において偏向してもよい。第１の電圧構成は第２の電圧構成と異なり、その結果、時分割多重方式で変化する電界が第１の期間および第２の期間において形成される。
【手続補正４７】
【補正対象書類名】明細書
【補正対象項目名】０１３８
【補正方法】変更
【補正の内容】
【０１３８】
本発明の当該実施形態によれば、１１２０において、２つの電圧を当該複数の電気光学変調ユニットの各電気光学変調ユニットの抵抗膜に接続された２つの第１の電極の各々で受信してもよい。当該２つの電圧は異なり、当該電気光学変調ユニットの各々は１つの第１の電極を隣接する電気光学変調ユニットと共有し、その結果、当該電気光学変調ユニットの各々は、当該２つの第１の電極の各々で受信された２つの電圧と当該少なくとも１つの第２の電極で受信された基準電圧とにより形成された電界の影響の下で線形位相チルトを有するレンズとして機能して、光線を事前設定された投影方向に偏向する。
【手続補正４８】
【補正対象書類名】明細書
【補正対象項目名】０１４１
【補正方法】変更
【補正の内容】
【０１４１】
本発明の当該実施形態によれば、１１２０において、複数の電圧を当該複数の電気光学変調ユニットの各電気光学変調ユニットの複数の第２の電極の各々で受信してもよい。当該複数の電圧のうち少なくとも２つの電圧は異なり、その結果、当該電気光学変調ユニットの各々は、当該複数の第２の電極の各々で受信された複数の電圧と共通電極として使用される少なくとも２つの第１の電極で受信された基準電圧とにより形成された電界の影響の下で軸外レンズとして機能して、光線を事前設定された投影方向に偏向する。
【手続補正４９】
【補正対象書類名】明細書
【補正対象項目名】０１４２
【補正方法】変更
【補正の内容】
【０１４２】
本発明の当該実施形態によれば、１１２０において、２つの電圧を当該複数の電気光学変調ユニットの各電気光学変調ユニットの抵抗膜に接続された２つの第２の電極の各々で受信してもよい。当該２つの電圧は異なり、その結果、当該電気光学変調ユニットの各々は、当該２つの第２の電極の各々で受信された２つの電圧と共通電極として使用される少なくとも２つの第１の電極で受信された基準電圧とにより形成された電界の影響の下で線形位相チルトを有するレンズとして機能する。
【手続補正５０】
【補正対象書類名】明細書
【補正対象項目名】０１４３
【補正方法】変更
【補正の内容】
【０１４３】
本発明の当該実施形態によれば、１１３０において、当該複数の電気光学変調ユニットの各電気光学変調ユニットが、共通電極として使用される少なくとも２つの第１の電極と当該少なくとも２つの第２の電極との間で受信された第３の電圧構成に従って、当該電気光学変調ユニットの各々に対応する画素ユニットに表示された画像の光線を第３の投影方向に第３の期間において偏向してもよい。当該複数の電気光学変調ユニットの各電気光学変調ユニットが、共通電極として使用される少なくとも２つの第１の電極と当該少なくとも２つの第２の電極との間で受信された第４の電圧構成に従って、当該電気光学変調ユニットの各々に対応する画素ユニットに表示された画像の光線を第４の投影方向に第４の期間において偏向してもよい。第３の電圧構成は第４の電圧構成とは異なり、その結果、時分割多重方式で変化する電界が第３の期間および第４の期間において形成される。
【手続補正５１】
【補正対象書類名】明細書
【補正対象項目名】０１４４
【補正方法】変更
【補正の内容】
【０１４４】
本発明の当該実施形態によれば、１１２０において、２つの電圧を当該複数の電気光学変調ユニットの各電気光学変調ユニットの抵抗膜に接続された２つの第２の電極の各々で受信してもよい。当該２つの電圧は異なり、当該電気光学変調ユニットの各々は１つの第２の電極を隣接する電気光学変調ユニットと共有し、その結果、当該電気光学変調ユニットの各々は、当該２つの第２の電極の各々で受信された２つの電圧と共通電極として使用される少なくとも２つの第１の電極で受信された基準電圧とにより形成された電界の影響の下で線形位相チルトを有するレンズとして機能して、光線を事前設定された投影方向に偏向する。
【手続補正５２】
【補正対象書類名】明細書
【補正対象項目名】０１４５
【補正方法】変更
【補正の内容】
【０１４５】
本発明の当該実施形態によれば、１１３０において、当該複数の電気光学変調ユニットの各電気光学変調ユニットが、当該２つの第１の電極と共通電極として使用される少なくとも２つの第２の電極との間で受信された第３の電圧構成に従って、当該電気光学変調ユニットの各々に対応する画素ユニットに表示された画像の光線を第３の投影方向に第３の期間において偏向してもよい。当該複数の電気光学変調ユニットの各電気光学変調ユニットが、共通電極として使用される当該２つの第１の電極と当該２つの第２の電極との間で受信された第４の電圧構成に従って、当該電気光学変調ユニットの各々に対応する画素ユニットに表示された画像の光線を第４の投影方向に第４の期間において偏向してもよい。当該隣接する電気光学変調ユニットが、共通電極として使用される２つの第１の電極と当該隣接する電気光学変調ユニットの少なくとも２つの第２の電極との間で受信された第４の電圧構成に従って、当該隣接する電気光学変調ユニットに対応する画素ユニットに表示された画像の光線を第４の投影方向に第３の期間において偏向してもよい。当該隣接する電気光学変調ユニットが、共通電極として使用される当該２つの第２の電極と当該隣接する電気光学変調ユニットの２つの第１の電極との間で受信された第４の電圧構成に従って、当該隣接する電気光学変調ユニットに対応する画素ユニットに表示された画像の光線を第３の投影方向に第４の期間において偏向してもよい。第３の電圧構成は第４の電圧構成とは異なり、その結果、時分割多重方式で変化する電界が第３の期間および第４の期間において形成される。
【手続補正５３】
【補正対象書類名】明細書
【補正対象項目名】０１５０
【補正方法】変更
【補正の内容】
【０１５０】
１２２０において、当該立体撮像装置が第１の方向にあるとき、少なくとも２つの電圧を当該少なくとも２つの第１の電極の各々で受信してもよく、当該少なくとも２つの第２の電極を共通電極として使用して、基準電圧を受信してもよい。当該立体撮像装置が第２の方向にあるとき、当該少なくとも２つの第１の電極を共通電極として使用して、基準電圧を受信してもよい。当該少なくとも２つの電圧を当該少なくとも２つの第２の電極の各々で受信してもよい。
【手続補正５４】
【補正対象書類名】明細書
【補正対象項目名】０１５１
【補正方法】変更
【補正の内容】
【０１５１】
１２２０において、複数の電圧を複数の第１の電極の各々で受信してもよい。当該複数の電圧のうち少なくとも２つの電圧は異なり、その結果、当該電気光学変調ユニットの各々は、当該複数の第１の電極の各々で受信された複数の電圧と共通電極として使用される少なくとも２つの第２の電極で受信された基準電圧とにより形成された電界の影響の下で軸外レンズとして機能する。複数の電圧を複数の第２の電極の各々で受信してもよい。当該複数の電圧のうち少なくとも２つの電圧は異なり、その結果、当該電気光学変調ユニットの各々は、当該複数の第２の電極の各々で受信された複数の電圧と共通電極として使用される少なくとも２つの第１の電極で受信された基準電圧とにより形成された電界の影響の下で軸外レンズとして機能して、光線を事前設定された投影方向に偏向する。
【手続補正５５】
【補正対象書類名】明細書
【補正対象項目名】０１５２
【補正方法】変更
【補正の内容】
【０１５２】
１２２０において、２つの電圧を抵抗膜に接続された２つの第１の電極の各々で受信してもよい。当該２つの電圧は異なり、その結果、当該電気光学変調ユニットの各々は、当該２つの第１の電極の各々で受信された２つの電圧と共通電極として使用される少なくとも２つの第２の電極で受信された基準電圧とにより形成された電界の影響の下で線形位相チルトを有するレンズとして機能する。２つの電圧を抵抗膜に接続された２つの第２の電極の各々で受信してもよい。当該２つの電圧は異なり、その結果、当該電気光学変調ユニットの各々は、当該２つの第２の電極の各々で受信された２つの電圧と共通電極として使用される少なくとも２つの第１の電極で受信された基準電圧とにより形成された電界の影響の下で線形位相チルトを有するレンズとして機能して、光線を事前設定された投影方向に偏向する。
【手続補正５６】
【補正対象書類名】明細書
【補正対象項目名】０１５３
【補正方法】変更
【補正の内容】
【０１５３】
１２２０において、２つの電圧を抵抗膜に接続された２つの第１の電極の各々で受信してもよい。当該２つの電圧は異なり、当該電気光学変調ユニットの各々は１つの第１の電極を隣接する電気光学変調ユニットと共有し、その結果、当該電気光学変調ユニットの各々は、当該２つの第１の電極の各々で受信された２つの電圧と共通電極として使用される少なくとも２つの第２の電極で受信された基準電圧とにより形成された電界の影響の下で線形位相チルトを有するレンズとして機能する。２つの電圧を抵抗膜に接続された２つの第２の電極の各々で受信してもよい。当該２つの電圧は異なり、当該電気光学変調ユニットの各々は１つの第２の電極を隣接する電気光学変調ユニットと共有し、その結果、当該電気光学変調ユニットの各々は、当該２つの第２の電極の各々で受信された２つの電圧と共通電極として使用される少なくとも２つの第１の電極で受信された基準電圧とにより形成された電界の影響の下で線形位相チルトを有するレンズとして機能して、光線を事前設定された投影方向に偏向する。
【手続補正５７】
【補正対象書類名】特許請求の範囲
【補正対象項目名】全文
【補正方法】変更
【補正の内容】
【特許請求の範囲】
【請求項１】
複数の画素ユニットを備え、時分割多重方式で画像を表示するように構成されたディスプレイ・パネルと、
それぞれ前記複数の画素ユニットに対応する位置に配置された複数の電気光学変調ユニットを備え、前記複数の画素ユニットに表示された前記画像の光線を、時分割多重方式で変化する印加された電界に従って異なる投影方向に交互に偏向するように構成された電気光学変調層であって、時分割多重方式で変化する前記電界は時分割多重方式で表示された前記画像と同期して変化する、電気光学変調層と、
を備える、立体撮像装置。
【請求項２】
前記複数の電気光学変調ユニットは前記複数の画素ユニットと１対１の対応関係にあり、前記電気光学変調層は、
電気光学変調媒体を備え、出光面および入光面を有する電気光学変調媒体層と、
前記電気光学変調媒体層の前記出光面に配置された電極を備える第１の電極層と、
前記電気光学変調媒体層の前記入光面に配置された電極を備える第２の電極層と、
を備え、
前記複数の電気光学変調ユニットの各電気光学変調ユニットは前記電気光学変調媒体層に配置された電気光学変調媒体、前記第１の電極層に配置された少なくとも１つの第１の電極、および前記第２の電極層に配置された少なくとも１つの第２の電極を備え、前記電気光学変調媒体は、前記少なくとも１つの第１の電極および前記少なくとも１つの第２の電極の間で印加された電圧構成により形成された電界に従って、前記電気光学変調媒体に対応する画素ユニットに表示された画像の光線を事前設定された投影方向に偏向する、
請求項１に記載の立体撮像装置。
【請求項３】
前記複数の電気光学変調ユニットの各電気光学変調ユニットは、少なくとも２つの第１の電極を備え、それぞれが少なくとも２つの電圧を受信するように構成され、前記少なくとも１つの第２の電極は共通電極として使用され、基準電圧を受信するように構成された、請求項２に記載の立体撮像装置。
【請求項４】
前記複数の電気光学変調ユニットの各電気光学変調ユニットは、それぞれが複数の電圧を受信するように構成された複数の第１の電極を備え、前記複数の電圧のうち少なくとも２つの電圧は異なり、その結果、前記電気光学変調媒体が、前記複数の第１の電極の各々で受信された前記複数の電圧と共通電極として使用される前記少なくとも１つの第２の電極で受信された前記基準電圧とにより形成された電界の影響の下で軸外レンズとして機能して、光線を事前設定された投影方向に偏向する、請求項２または３に記載の立体撮像装置。
【請求項５】
前記複数の電気光学変調ユニットの各電気光学変調ユニットは２つの第１の電極と前記２つの第１の電極を接続する抵抗膜とを備え、前記２つの第１の電極の各々は、２つの電圧を受信するように構成され、前記２つの電圧は異なり、その結果、前記電気光学変調媒体は、前記２つの第１の電極の各々で受信された前記２つの電圧と共通電極として使用される前記少なくとも１つの第２の電極で受信された前記基準電圧とにより形成された電界の影響の下で線形位相チルトを有するレンズとして機能して、光線を事前設定された投影方向に偏向する、請求項３に記載の立体撮像装置。
【請求項６】
前記複数の電気光学変調ユニットの各電気光学変調ユニットは、前記少なくとも２つの第１の電極と共通電極として使用される前記少なくとも１つの第２の電極との間で受信された第１の電圧構成により形成された電界に従って、前記電気光学変調媒体に対応する画素ユニットに表示された画像の光線を第１の投影方向に第１の期間において偏向し、前記少なくとも２つの第１の電極と共通電極として使用される前記少なくとも１つの第２の電極との間で受信された第２の電圧構成により形成された電界に従って、前記電気光学変調媒体に対応する前記画素ユニットに表示された画像の光線を第２の投影方向に第２の期間において偏向し、前記第１の電圧構成は前記第２の電圧構成と異なり、その結果、時分割多重方式で変化する電界が前記第１の期間および前記第２の期間において形成される、請求項３乃至５の何れか１項に記載の立体撮像装置。
【請求項７】
前記複数の電気光学変調ユニットの各電気光学変調ユニットは２つの第１の電極と前記２つの第１の電極を接続する抵抗膜とを備え、前記２つの第１の電極の各々は、２つの電圧を受信するように構成され、前記２つの電圧は異なり、前記電気光学変調ユニットの各々は１つの第１の電極を隣接する電気光学変調ユニットと共有し、その結果、前記電気光学変調媒体は、前記２つの第１の電極の各々で受信された前記２つの電圧と共通電極として使用される前記少なくとも１つの第２の電極で受信された前記基準電圧とにより形成された電界の影響の下で線形位相チルトを有するレンズとして機能して、光線を事前設定された投影方向に偏向する、請求項３に記載の立体撮像装置。
【請求項８】
前記複数の電気光学変調ユニットの各電気光学変調ユニットは、前記２つの第１の電極と共通電極として使用される前記少なくとも１つの第２の電極との間で受信された第１の電圧構成に従って、前記電気光学変調媒体に対応する画素ユニットに表示された画像の光線を第１の投影方向に第１の期間において偏向し、前記２つの第１の電極と共通電極として使用される前記少なくとも１つの第２の電極との間で受信された第２の電圧構成に従って、前記電気光学変調媒体に対応する前記画素ユニットに表示された画像の光線を第２の投影方向に第２の期間において偏向し、前記隣接する電気光学変調ユニットは、前記隣接する電気光学変調ユニットの２つの第１の電極と共通電極として使用される前記少なくとも１つの第２の電極との間で受信された前記第２の電圧構成に従って、前記隣接する電気光学変調ユニットの電気光学変調媒体に対応する画素ユニットに表示された画像の光線を前記第２の投影方向に前記第１の期間において偏向し、前記隣接する電気光学変調ユニットの前記２つの第１の電極と共通電極として使用される前記少なくとも１つの第２の電極との間で受信された前記第１の電圧構成に従って、前記隣接する電気光学変調ユニットの前記電気光学変調媒体に対応する前記画素ユニットに表示された画像の光線を前記第１の投影方向に前記第２の期間において偏向し、前記第１の電圧は前記第２の電圧と異なり、時分割多重方式で変化する電界が前記第１の期間および前記第２の期間において形成される、請求項７に記載の立体撮像装置。
【請求項９】
前記複数の電気光学変調ユニットの各電気光学変調ユニットは少なくとも２つの第２の電極を含み、前記少なくとも２つの第２の電極の配置方向は前記少なくとも２つの第１の電極の配置方向とは異なり、前記立体撮像装置が第１の方向にあるとき、前記少なくとも２つの第１の電極の各々は前記少なくとも２つの電圧を受信し、前記少なくとも２つの第２の電極は前記基準電圧を受信するための共通電極として使用され、前記立体撮像装置が第２の方向にあるとき、前記少なくとも２つの第１の電極は前記基準電圧を受信するための共通電極として使用され、前記少なくとも２つの第２の電極の各々は前記少なくとも２つの電圧を受信する、請求項３乃至８の何れか１項に記載の立体撮像装置。
【請求項１０】
前記複数の電気光学変調ユニットの各電気光学変調ユニットは複数の第２の電極を含み、それぞれが複数の電圧を受信するように構成され、前記複数の電圧のうち少なくとも２つの電圧は異なり、その結果、前記電気光学変調媒体は、前記複数の第２の電極の各々で受信された前記複数の電圧と共通電極として使用される前記少なくとも２つの第１の電極で受信された前記基準電圧とにより形成された電界の影響の下で軸外レンズとして機能して、光線を事前設定された投影方向に偏向する、請求項９に記載の立体撮像装置。
【請求項１１】
前記複数の電気光学変調ユニットの各電気光学変調ユニットは２つの第２の電極と前記２つの第２の電極を接続する抵抗膜とを備え、前記２つの第２の電極の各々は、２つの電圧を受信するように構成され、前記２つの電圧は異なり、その結果、前記電気光学変調媒体は、前記２つの第２の電極の各々で受信された前記２つの電圧と共通電極として使用される前記少なくとも２つの第１の電極で受信された前記基準電圧とにより形成された電界の影響の下で線形位相チルトを有するレンズとして機能して、光線を事前設定された投影方向に偏向する、請求項９に記載の立体撮像装置。
【請求項１２】
前記複数の電気光学変調ユニットの各電気光学変調ユニットは、共通電極として使用される前記少なくとも２つの第１の電極と前記少なくとも２つの第２の電極との間で受信された第３の電圧構成に従って、前記電気光学変調媒体に対応する画素ユニットに表示された画像の光線を第３の投影方向に第３の期間において偏向し、共通電極として使用される前記少なくとも２つの第１の電極と前記少なくとも２つの第２の電極との間で受信された第４の電圧構成に従って、前記電気光学変調媒体に対応する前記画素ユニットに表示された画像の光線を第４の投影方向に第４の期間において偏向し、前記第３の電圧は前記第４の電圧とは異なり、時分割多重方式で変化する電界が前記第３の期間および前記第４の期間において形成される、請求項９乃至１１の何れか１項に記載の立体撮像装置。
【請求項１３】
前記複数の電気光学変調ユニットの各電気光学変調ユニットは２つの第２の電極と前記２つの第２の電極を接続する抵抗膜とを含み、前記２つの第２の電極の各々は、２つの電圧を受信するように構成され、前記２つの電圧は異なり、前記電気光学変調ユニットの各々は１つの第２の電極を隣接する電気光学変調ユニットと共有し、その結果、前記電気光学変調媒体は、前記２つの第２の電極の各々で受信された前記２つの電圧と共通電極として使用される前記少なくとも２つの第１の電極で受信された前記基準電圧とにより形成された電界の影響の下で線形位相チルトを有するレンズとして機能して、光線を事前設定された投影方向に偏向する、請求項９に記載の立体撮像装置。
【請求項１４】
前記複数の電気光学変調ユニットの各電気光学変調ユニットは、前記２つの第１の電極と共通電極として使用される前記少なくとも２つの第２の電極との間で受信された第３の電圧構成に従って、前記電気光学変調媒体に対応する画素ユニットに表示された画像の光線を第３の投影方向に第３の期間において偏向し、共通電極として使用される前記２つの第１の電極と前記２つの第２の電極との間で受信された第４の電圧構成に従って、前記電気光学変調媒体に対応する前記画素ユニットに表示された画像の光線を第４の投影方向に第４の期間において偏向し、前記隣接する電気光学変調ユニットは、共通電極として使用される２つの第１の電極と前記隣接する電気光学変調ユニットの少なくとも２つの第２の電極との間で受信された前記第４の電圧構成に従って、前記隣接する電気光学変調ユニットの電気光学変調媒体に対応する画素ユニットに表示された画像の光線を前記第４の投影方向に前記第３の期間において偏向し、共通電極として使用される前記２つの第２の電極と前記隣接する電気光学変調ユニットの前記２つの第１の電極との間で受信された前記第３の電圧構成に従って、前記隣接する電気光学変調ユニットの前記電気光学変調媒体に対応する前記画素ユニットに表示された画像の光線を前記第３の投影方向に前記第４の期間において偏向し、前記第３の電圧は前記第４の電圧とは異なり、時分割多重方式で変化する電界が前記第３の期間および前記第４の期間において形成される、請求項１３に記載の立体撮像装置。
【請求項１５】
前記少なくとも１つの第２の電極は連続酸化インジウムスズＩＴＯ透明導電膜を備える、請求項３乃至８の何れか１項に記載の立体撮像装置。
【請求項１６】
前記電気光学変調媒体は液晶またはニオブ酸リチウム結晶を備える、請求項２乃至１５の何れか１項に記載の立体撮像装置。
【請求項１７】
前記電気光学変調ユニットの各々の幅は７５μｍ以下である、請求項２乃至１６の何れか１項に記載の立体撮像装置。
【請求項１８】
前記立体撮像装置の少なくとも１つの方向の単位長において、前記電気光学変調ユニットに含まれる電極の数は画素ユニットの数より多い、請求項２乃至１７の何れか１項に記載の立体撮像装置。
【請求項１９】
電界が印加されていない場合には、前記電気光学変調層は前記ディスプレイ・パネルに二次元画像を表示させる、請求項２乃至１８の何れか１項に記載の立体撮像装置。
【請求項２０】
複数の画素ユニットを備え画像を表示するように構成されたディスプレイ・パネルと、
複数の電気光学変調ユニットを備えた電気光学変調層であって、前記複数の電気光学変調ユニットの各電気光学変調ユニットは電気光学変調媒体層、前記電気光学変調媒体層の出光面に配置された少なくとも２つの第１の電極、および前記電気光学変調媒体層の入光面に配置された少なくとも２つの第２の電極を備え、前記電気光学変調媒体は、前記少なくとも２つの第１の電極と前記少なくとも２つの第２の電極との間で受信された電圧構成により形成された電界に従って、前記電気光学変調媒体に対応する画素ユニットに表示された画像の光線を事前設定された投影方向に偏向し、前記少なくとも２つの第１の電極の配置方向は前記少なくとも２つの第２の電極の配置方向とは異なる、電気光学変調層と、
を備える、立体撮像装置。
【請求項２１】
前記立体撮像装置が第１の方向にあるとき、前記少なくとも２つの第１の電極の各々は少なくとも２つの電圧を受信し、前記立体撮像装置が第２の方向にあるとき、前記少なくとも２つの第１の電極は基準電圧を受信するための共通電極として使用され、前記立体撮像装置が前記第１の方向にあるとき、前記少なくとも２つの第２の電極は前記基準電圧を受信するための共通電極として使用され、前記立体撮像装置が前記第２の方向にあるとき、前記少なくとも２つの第２の電極の各々は前記少なくとも２つの電圧を受信する、請求項２０に記載の立体撮像装置。
【請求項２２】
前記複数の電気光学変調ユニットの各電気光学変調ユニットはそれぞれが複数の電圧を受信するように構成された複数の第１の電極を備え、前記複数の電圧のうち少なくとも２つの電圧は異なり、その結果、前記電気光学変調媒体は、前記複数の第１の電極の各々で受信された前記複数の電圧と共通電極として使用される前記少なくとも２つの第２の電極で受信された前記基準電圧とにより形成された電界の影響の下で軸外レンズとして機能して、光線を事前設定された投影方向に偏向し、
前記複数の電気光学変調ユニットの各電気光学変調ユニットは複数の第２の電極を含み、それぞれが複数の電圧を受信するように構成され、前記複数の電圧のうち少なくとも２つの電圧は異なり、その結果、前記電気光学変調媒体は、前記複数の第２の電極の各々で受信された前記複数の電圧と共通電極として使用される前記少なくとも２つの第１の電極で受信された前記基準電圧とにより形成された電界の影響の下で軸外レンズとして機能して、光線を事前設定された投影方向に偏向する、
請求項２１に記載の立体撮像装置。
【国際調査報告】
2016533070.tif 000015
2016533070.tif 000016
2016533070.tif 000017
2016533070.tif 000018
2016533070.tif 000019
2016533070.tif 000020